(57)【要約】  本願は、データ通信システム及び方法を提供する。システムは、第１のシャーシ及び第２のシャーシを含む。第１のシャーシは、第１の高パフォーマンス・スイッチングモジュール及び第１の低パフォーマンス・スイッチングモジュールを含む。第２のシャーシは、第２の高パフォーマンス・スイッチングモジュール及び第２の低パフォーマンス・スイッチングモジュールを含む。第１の高パフォーマンス・スイッチングモジュールは、第２の低パフォーマンス・スイッチングモジュールに接続される。第１の低パフォーマンス・スイッチングモジュールは、第２の高パフォーマンス・スイッチングモジュールに接続される。第１の高パフォーマンス・スイッチングモジュールは、通信システムに追加される、第３のシャーシ内の第３の低パフォーマンス・スイッチングモジュールに接続するように構成される。第２の高パフォーマンス・スイッチングモジュールは、通信システムに追加される、第３のシャーシ内の第４の低パフォーマンス・スイッチングモジュールに接続するように構成される。中央スイッチングシャーシを取り外すと、データ通信システムの設置面積が削減され、消費電力及びコストが削減される。容量拡張中に、展開されるシャーシ同士の間でケーブルを変更する必要はない。従って、容量拡張が便利で、スムーズな容量拡張が実現される。
2021517782.tif 000002
【特許請求の範囲】
【請求項１】
第１のシャーシ及び第２のシャーシを含むデータ通信システムであって、
前記第１のシャーシは、第１の高パフォーマンス・スイッチングモジュール及び第１の低パフォーマンス・スイッチングモジュールを含み、
前記第２のシャーシは、第２の高パフォーマンス・スイッチングモジュール及び第２の低パフォーマンス・スイッチングモジュールを含み、
前記第１の高パフォーマンス・スイッチングモジュールは前記第２の低パフォーマンス・スイッチングモジュールに接続され、前記第１の低パフォーマンス・スイッチングモジュールは前記第２の高パフォーマンス・スイッチングモジュールに接続され、
前記第１の高パフォーマンス・スイッチングモジュールは、当該データ通信システムに追加される、第３のシャーシ内の第３の低パフォーマンス・スイッチングモジュールに接続するように構成され、前記第２の高パフォーマンス・スイッチングモジュールは、当該データ通信システムに追加される、前記第３のシャーシ内の第４の低パフォーマンス・スイッチングモジュールに接続するように構成される、
データ通信システム。
【請求項２】
当該データ通信システムは第４のシャーシをさらに含み、該第４のシャーシは、第５の低パフォーマンス・スイッチングモジュール及び第６の低パフォーマンス・スイッチングモジュールを含み、
前記第１の高パフォーマンス・スイッチングモジュールは前記第５の低パフォーマンス・スイッチングモジュールに接続され、第２の高パフォーマンス・スイッチングモジュールは前記第６の低パフォーマンス・スイッチングモジュールに接続される、請求項１に記載のデータ通信システム。
【請求項３】
当該データ通信システムは第５のシャーシをさらに含み、該第５のシャーシは、第３の高パフォーマンス・スイッチングモジュール、第７の低パフォーマンス・スイッチングモジュール、及び第８の低パフォーマンス・スイッチングモジュールを含み、前記第１のシャーシは第９の低パフォーマンス・スイッチングモジュールをさらに含み、前記第２のシャーシは第１０の低パフォーマンス・スイッチングモジュールをさらに含み、
前記第３の高パフォーマンス・スイッチングモジュールは、前記第９の低パフォーマンス・スイッチングモジュール、及び前記第１０の低パフォーマンス・スイッチングモジュールに接続され、前記第１の高パフォーマンス・スイッチングモジュールは、前記第７の低パフォーマンス・スイッチングモジュールに接続され、前記第２の高パフォーマンス・スイッチングモジュールは、前記第８の低パフォーマンス・スイッチングモジュールに接続され、
前記第３の高パフォーマンス・スイッチングモジュールは、当該データ通信システムに追加される、前記第３のシャーシ内の第１１の低パフォーマンス・スイッチングモジュールに接続するように構成される、請求項１に記載のデータ通信システム。
【請求項４】
当該データ通信システムは第６のシャーシをさらに含み、該第６のシャーシは、第１２の低パフォーマンス・スイッチングモジュール、第１３の低パフォーマンス・スイッチングモジュール、及び第１４の低パフォーマンス・スイッチングモジュールを含み、
前記第１２の低パフォーマンス・スイッチングモジュールは、前記第１の高パフォーマンス・スイッチングモジュールに接続され、前記第１３の低パフォーマンス・スイッチングモジュールは、前記第２の高パフォーマンス・スイッチングモジュールに接続され、前記第１４の低パフォーマンス・スイッチングモジュールは、前記第３の高パフォーマンス・スイッチングモジュールに接続される、請求項３に記載のデータ通信システム。
【請求項５】
前記第１のシャーシは、第１のサービス転送モジュール及び第２のサービス転送モジュールをさらに含み、前記第１のサービス転送モジュール及び前記第２のサービス転送モジュールは、当該データ通信システムの外部にある装置と通信するように構成され、前記第１の低パフォーマンス・スイッチングモジュールは、
前記第１のサービス転送モジュールから受信したデータを前記第２の高パフォーマンス・スイッチングモジュールに送信し、
前記第２の高パフォーマンス・スイッチングモジュールから受信したデータを前記第２のサービス転送モジュールに送信するように構成される、請求項１乃至４のいずれか一項に記載のデータ通信システム。
【請求項６】
前記第１のシャーシは、第３のサービス転送モジュール及び第４のサービス転送モジュールをさらに含み、前記第３のサービス転送モジュール及び前記第４のサービス転送モジュールは、当該データ通信システムの外部にある装置と通信するように構成され、前記第１の高パフォーマンス・スイッチングモジュールは、
前記第３のサービス転送モジュールから受信したデータを前記第２の低パフォーマンス・スイッチングモジュールに送信し、
前記第２の低パフォーマンス・スイッチングモジュールから受信したデータを前記第４のサービス転送モジュールに送信するように構成される、請求項１乃至５のいずれか一項に記載のデータ通信システム。
【請求項７】
前記第１の高パフォーマンス・スイッチングモジュールは、
前記第３のシャーシが当該データ通信システムに追加された後に、前記第３の低パフォーマンス・スイッチングモジュールから受信したデータを前記第２の低パフォーマンス・スイッチングモジュールに送信し、
前記第３のシャーシが当該データ通信システムに追加された後に、前記第２の低パフォーマンス・スイッチングモジュールから受信したデータを前記第３の低パフォーマンス・スイッチングモジュールに送信するように構成される、請求項１に記載のデータ通信システム。
【請求項８】
前記第１の高パフォーマンス・スイッチングモジュールは、
前記第５の低パフォーマンス・スイッチングモジュールから受信したデータを前記第２の低パフォーマンス・スイッチングモジュールに送信し、
前記第２の低パフォーマンス・スイッチングモジュールから受信したデータを前記第５の低パフォーマンス・スイッチングモジュールに送信するように構成される、請求項２に記載のデータ通信システム。
【請求項９】
前記第１の高パフォーマンス・スイッチングモジュールは、
前記第２の低パフォーマンス・スイッチングモジュールから受信したデータを前記第７の低パフォーマンス・スイッチングモジュールに送信し、
前記第７の低パフォーマンス・スイッチングモジュールから受信したデータを前記第２の低パフォーマンス・スイッチングモジュールに送信し、
前記第３のシャーシが当該データ通信システムに追加された後に、前記第３の低パフォーマンス・スイッチングモジュールから受信したデータを、前記第２の低パフォーマンス・スイッチングモジュール及び前記第７の低パフォーマンス・スイッチングモジュールのうちの１つに送信し、
前記第３のシャーシが当該データ通信システムに追加された後に、前記第２の低パフォーマンス・スイッチングモジュール及び前記第７の低パフォーマンス・スイッチングモジュールのうちの１つから受信したデータを、前記第３の低パフォーマンス・スイッチングモジュールに送信するように構成される、請求項３に記載のデータ通信システム。
【請求項１０】
前記第１の高パフォーマンス・スイッチングモジュールは、
前記第１２の低パフォーマンス・スイッチングモジュールから受信したデータを、前記第２の低パフォーマンス・スイッチングモジュール及び前記第７の低パフォーマンス・スイッチングモジュールのうちの１つに送信し、
前記第２の低パフォーマンス・スイッチングモジュール及び前記第７の低パフォーマンス・スイッチングモジュールのうちの１つから受信したデータを、前記第１２の低パフォーマンス・スイッチングモジュールに送信するように構成される、請求項４に記載のデータ通信システム。
【請求項１１】
第１のシャーシ及び第２のシャーシを含むデータ通信システムであって、
前記第１のシャーシは、第１の高パフォーマンス・スイッチングモジュール、第１のサービス転送モジュール、及び第２のサービス転送モジュールを含み、前記第１のサービス転送モジュール及び前記第２のサービス転送モジュールは、当該データ通信システムの外部にある装置と通信するように構成され、
前記第２のシャーシは、第１の低パフォーマンス・スイッチングモジュールを含み、
前記第１の高パフォーマンス・スイッチングモジュールは、前記第１の低パフォーマンス・スイッチングモジュールに接続され、
前記第１の高パフォーマンス・スイッチングモジュールは、前記第１のサービス転送モジュールから受信したデータを前記第１の低パフォーマンス・スイッチングモジュールに送信し、該第１の低パフォーマンス・スイッチングモジュールから受信したデータを前記第２のサービス転送モジュールに送信するように構成され、
前記第１の高パフォーマンス・スイッチングモジュールは、当該データ通信システムに追加される、第３のシャーシ内の第２の低パフォーマンス・スイッチングモジュールに接続するようにさらに構成される、
データ通信システム。
【請求項１２】
前記第１の高パフォーマンス・スイッチングモジュールは、
前記第３のシャーシが当該データ通信システムに追加された後に、前記第２の低パフォーマンス・スイッチングモジュールから受信したデータを、前記第１の低パフォーマンス・スイッチングモジュール、前記第１のサービス転送モジュール、及び前記第２のサービス転送モジュールのうちの１つに送信し、
前記第３のシャーシが当該データ通信システムに追加された後に、前記第１の低パフォーマンス・スイッチングモジュール、前記第１のサービス転送モジュール、及び前記第２のサービス転送モジュールのうちの１つから受信したデータを、前記第２の低パフォーマンス・スイッチングモジュールに送信するようにさらに構成される、請求項１１に記載のデータ通信システム。
【請求項１３】
データ通信システムに適用されるデータ通信方法であって、前記データ通信システムは第１のシャーシ及び第２のシャーシを含み、前記第１のシャーシは、第１の高パフォーマンス・スイッチングモジュール及び第１の低パフォーマンス・スイッチングモジュールを含み、前記第２のシャーシは、第２の高パフォーマンス・スイッチングモジュール及び第２の低パフォーマンス・スイッチングモジュールを含み、前記第１の高パフォーマンス・スイッチングモジュールは前記第２の低パフォーマンス・スイッチングモジュールに接続され、前記第１の低パフォーマンス・スイッチングモジュールは前記第２の高パフォーマンス・スイッチングモジュールに接続され、前記第１の高パフォーマンス・スイッチングモジュールは、前記データ通信システムに追加される、第３のシャーシ内の第３の低パフォーマンス・スイッチングモジュールに接続するように構成され、前記第２の高パフォーマンス・スイッチングモジュールは、前記データ通信システムに追加される、前記第３のシャーシ内の第４の低パフォーマンス・スイッチングモジュールに接続するように構成され、当該方法は、
前記第１の高パフォーマンス・スイッチングモジュールによって、前記第３の低パフォーマンス・スイッチングモジュールから受信したデータを前記第２の低パフォーマンス・スイッチングモジュールに送信するステップと、前記第１の高パフォーマンス・スイッチングモジュールによって、前記第２の低パフォーマンス・スイッチングモジュールから受信したデータを前記第３の低パフォーマンス・スイッチングモジュールに送信するステップと、
前記第２の高パフォーマンス・スイッチングモジュールによって、前記第４の低パフォーマンス・スイッチングモジュールから受信したデータを前記第１の低パフォーマンス・スイッチングモジュールに送信するステップと、前記第２の高パフォーマンス・スイッチングモジュールによって、前記第１の低パフォーマンス・スイッチングモジュールから受信したデータを前記第４の低パフォーマンス・スイッチングモジュールに送信するステップと、を含む、
方法。
【請求項１４】
前記データ通信システムは第４のシャーシをさらに含み、該第４のシャーシは、第５の低パフォーマンス・スイッチングモジュール及び第６の低パフォーマンス・スイッチングモジュールを含み、
前記第１の高パフォーマンス・スイッチングモジュールは前記第５の低パフォーマンス・スイッチングモジュールに接続され、前記第２の高パフォーマンス・スイッチングモジュールは前記第６の低パフォーマンス・スイッチングモジュールに接続される、請求項１３に記載の方法。
【請求項１５】
前記データ通信システムは第５のシャーシをさらに含み、該第５のシャーシは、第３の高パフォーマンス・スイッチングモジュール、第７の低パフォーマンス・スイッチングモジュール、及び第８の低パフォーマンス・スイッチングモジュールを含み、前記第１のシャーシは第９の低パフォーマンス・スイッチングモジュールをさらに含み、前記第２のシャーシは第１０の低パフォーマンス・スイッチングモジュールをさらに含み、
前記第３の高パフォーマンス・スイッチングモジュールは、前記第９の低パフォーマンス・スイッチングモジュール及び前記第１０の低パフォーマンス・スイッチングモジュールに接続され、前記第１の高パフォーマンス・スイッチングモジュールは前記第７の低パフォーマンス・スイッチングモジュールに接続され、前記第２の高パフォーマンス・スイッチングモジュールは前記第８の低パフォーマンス・スイッチングモジュールに接続され、
前記第３の高パフォーマンス・スイッチングモジュールは、前記データ通信システムに追加される、前記第３のシャーシ内の第１１の低パフォーマンス・スイッチングモジュールに接続するように構成され、
当該方法は、
前記第３の高パフォーマンス・スイッチングモジュールによって、前記第１１の低パフォーマンス・スイッチングモジュールから受信したデータを、前記第９の低パフォーマンス・スイッチングモジュール及び前記第１０の低パフォーマンス・スイッチングモジュールのうちの１つに送信するステップと、前記第９の低パフォーマンス・スイッチングモジュール及び前記第１０の低パフォーマンス・スイッチングモジュールのうちの１つから受信したデータを、前記第１１の低パフォーマンス・スイッチングモジュールに送信するステップと、をさらに含む、請求項１３に記載の方法。
【請求項１６】
前記データ通信システムは第６のシャーシをさらに含み、該第６のシャーシは、第１２の低パフォーマンス・スイッチングモジュール、第１３の低パフォーマンス・スイッチングモジュール、及び第１４の低パフォーマンス・スイッチングモジュールを含み、
前記第１２の低パフォーマンス・スイッチングモジュールは前記第１の高パフォーマンス・スイッチングモジュールに接続され、前記第１３の低パフォーマンス・スイッチングモジュールは前記第２の高パフォーマンス・スイッチングモジュールに接続され、前記第１４の低パフォーマンス・スイッチングモジュールは前記第３の高パフォーマンス・スイッチングモジュールに接続される、請求項１５に記載の方法。
【請求項１７】
前記第１のシャーシは、第１のサービス転送モジュール及び第２のサービス転送モジュールをさらに含み、前記第１のサービス転送モジュール及び前記第２のサービス転送モジュールは、前記データ通信システムの外部にある装置と通信するように構成され、当該方法は、
前記第１の低パフォーマンス・スイッチングモジュールによって、前記第１のサービス転送モジュールから受信したデータを前記第２の高パフォーマンス・スイッチングモジュールに送信するステップと、
前記第１の低パフォーマンス・スイッチングモジュールによって、前記第２の高パフォーマンス・スイッチングモジュールから受信したデータを前記第２のサービス転送モジュールに送信するステップと、をさらに含む、請求項１３乃至１６のいずれか一項に記載の方法。
【請求項１８】
前記第１のシャーシは、第３のサービス転送モジュール及び第４のサービス転送モジュールをさらに含み、前記第３のサービス転送モジュール及び前記第４のサービス転送モジュールは、前記データ通信システムの外部にある装置と通信するように構成され、当該方法は、
前記第１の高パフォーマンス・スイッチングモジュールによって、前記第３のサービス転送モジュールから受信したデータを前記第２の低パフォーマンス・スイッチングモジュールに送信するステップと、
該第２の低パフォーマンス・スイッチングモジュールによって、前記第２の高パフォーマンス・スイッチングモジュールから受信したデータを前記第４のサービス転送モジュールに送信するステップと、をさらに含む、請求項１３乃至１７のいずれか一項に記載の方法。
【請求項１９】
当該方法は、
前記第１の高パフォーマンス・スイッチングモジュールによって、前記第５の低パフォーマンス・スイッチングモジュールから受信したデータを前記第２の低パフォーマンス・スイッチングモジュールに送信するステップと、
前記第１の高パフォーマンス・スイッチングモジュールによって、前記第２の低パフォーマンス・スイッチングモジュールから受信したデータを前記第５の低パフォーマンス・スイッチングモジュールに送信するステップと、をさらに含む、請求項１４に記載の方法。
【請求項２０】
当該方法は、
前記第１の高パフォーマンス・スイッチングモジュールによって、前記第２の低パフォーマンス・スイッチングモジュールから受信したデータを前記第７の低パフォーマンス・スイッチングモジュールに送信するステップと、
前記第１の高パフォーマンス・スイッチングモジュールによって、前記第７の低パフォーマンス・スイッチングモジュールから受信したデータを前記第２の低パフォーマンス・スイッチングモジュールに送信するステップと、
前記第１の高パフォーマンス・スイッチングモジュールによって、前記第３の低パフォーマンス・スイッチングモジュールから受信したデータを、前記第２の低パフォーマンス・スイッチングモジュール及び前記第７の低パフォーマンス・スイッチングモジュールのうちの１つに送信するステップと、
前記第１の高パフォーマンス・スイッチングモジュールによって、前記第２の低パフォーマンス・スイッチングモジュール及び前記第７の低パフォーマンス・スイッチングモジュールのうちの１つから受信したデータを、前記第３の低パフォーマンス・スイッチングモジュールに送信するステップと、をさらに含む、請求項１５に記載の方法。
【請求項２１】
当該方法は、
前記第１の高パフォーマンス・スイッチングモジュールによって、前記第１２の低パフォーマンス・スイッチングモジュールから受信したデータを、前記第２の低パフォーマンス・スイッチングモジュール及び前記第７の低パフォーマンス・スイッチングモジュールのうちの１つに送信するステップと、
前記第１の高パフォーマンス・スイッチングモジュールによって、前記第２の低パフォーマンス・スイッチングモジュール及び前記第７の低パフォーマンス・スイッチングモジュールのうちの１つから受信したデータを、前記第１２の低パフォーマンス・スイッチングモジュールに送信するステップと、をさらに含む、請求項１６に記載の方法。
【請求項２２】
データ通信システムに適用されるデータ通信方法であって、前記データ通信システムは、第１のシャーシ及び第２のシャーシを含み、前記第１のシャーシは、第１の高パフォーマンス・スイッチングモジュール、第１のサービス転送モジュール、及び第２のサービス転送モジュールを含み、前記第１のサービス転送モジュール及び前記第２のサービス転送モジュールは、当該データ通信システムの外部にある装置と通信するように構成され、前記第２のシャーシは第１の低パフォーマンス・スイッチングモジュールを含み、前記第１の高パフォーマンス・スイッチングモジュールは前記第１の低パフォーマンス・スイッチングモジュールに接続され、前記第１の高パフォーマンス・スイッチングモジュールは、前記データ通信システムに追加される、第３のシャーシ内の第２の低パフォーマンス・スイッチングモジュールに接続するように構成され、当該方法は、
前記第１の高パフォーマンス・スイッチングモジュールによって、前記第１のサービス転送モジュールから受信したデータを前記第１の低パフォーマンス・スイッチングモジュールに送信するステップと、
前記第１の高パフォーマンス・スイッチングモジュールによって、前記第１の低パフォーマンス・スイッチングモジュールから受信したデータを前記第２のサービス転送モジュールに送信するステップと、
前記第１の高パフォーマンス・スイッチングモジュールによって、前記第２の低パフォーマンス・スイッチングモジュールから受信したデータを、前記第１の低パフォーマンス・スイッチングモジュール、前記第１のサービス転送モジュール、及び前記第２のサービス転送モジュールのうちの１つに送信するステップと、
前記第１の高パフォーマンス・スイッチングモジュールによって、前記第１の低パフォーマンス・スイッチングモジュール、前記第１のサービス転送モジュール、及び前記第２のサービス転送モジュールのうちの１つから受信したデータを、前記第２の低パフォーマンス・スイッチングモジュールに送信するステップと、を含む、データ通信方法。
【発明の詳細な説明】
【技術分野】
【０００１】
本願は、通信技術、特にデータ通信システム及び方法に関連する。
【背景技術】
【０００２】
通信技術の発展によって、マルチシャーシ・クラスタデータ通信装置システムの適用及び開発がもたらされた。マルチシャーシ・クラスタデータ通信装置システムは、データ通信シャーシ同士の間の内部及び外部のデータ交換タスクを実施するために接続される複数のデータ通信シャーシを含む。
【０００３】
中央スイッチングシャーシを、マルチシャーシ・クラスタデータ通信装置システム内の各データ通信シャーシに配置及び接続する必要があり、それによって各データ通信シャーシは、中央スイッチングシャーシを使用することにより、シャーシ同士の間のデータ交換タスクを完了する。具体的には、ｍ個のデータスイッチングモジュールが各データ通信シャーシ内に展開され、ｍ個の中央スイッチングモジュールが中央スイッチングシャーシ内に展開され、ここで、ｍは正の整数である。データ通信シャーシ内の各データスイッチングモジュールは、１対１の対応関係で１つの中央スイッチングモジュールに接続されており、それによってデータ通信シャーシは、データスイッチングモジュールと、データスイッチングモジュールに対応する中央スイッチングモジュールとを使用することにより、シャーシ同士の間のデータ交換タスクを完了する。
【０００４】
しかしながら、中央スイッチングシャーシをマルチシャーシ・クラスタデータ通信装置システムに展開する方法は、設置面積を占有する必要がある。さらに、マルチシャーシ・クラスタデータ通信装置システムは、比較的広い機器受入れ領域（room  area：空き領域）を占有する必要があり、これは、マルチシャーシ・クラスタデータ通信装置システムの展開にとって不便である。また、中央スイッチングシャーシを展開するときに、中央スイッチングシャーシのために電源ユニット、放熱ユニット、制御ユニット等のハードウェア装置を構成する必要がある。これらのハードウェア装置は、大量の電力を消費する必要がある。その結果、コストが増大する。
【発明の概要】
【０００５】
本願は、中央スイッチングシャーシを含むマルチシャーシ・クラスタデータ通信装置システムが大きな設置面積を占有し、大量の電力消費を消費し、且つ比較的高いコストを有するという問題を解決するためのデータ通信システム及び方法を提供する。
【０００６】
本願の第１の態様は、第１のシャーシ及び第２のシャーシを含むデータ通信システムを提供し、
第１のシャーシは、第１の高パフォーマンス・スイッチングモジュール及び第１の低パフォーマンス・スイッチングモジュールを含み、
第２のシャーシは、第２の高パフォーマンス・スイッチングモジュール及び第２の低パフォーマンス・スイッチングモジュールを含み、
第１の高パフォーマンス・スイッチングモジュールは第２の低パフォーマンス・スイッチングモジュールに接続され、第１の低パフォーマンス・スイッチングモジュールは第２の高パフォーマンス・スイッチングモジュールに接続され、
第１の高パフォーマンス・スイッチングモジュールは、通信システムに追加される、第３のシャーシ内の第３の低パフォーマンス・スイッチングモジュールに接続するように構成され、第２の高パフォーマンス・スイッチングモジュールは、通信システムに追加される、第３のシャーシ内の第４の低パフォーマンス・スイッチングモジュールに接続するように構成される。従って、中央スイッチングシャーシが除去され、タイプＡサービスシャーシ及びタイプＢサービスシャーシのみが展開される。タイプＡサービスシャーシは、高パフォーマンス・スイッチングモジュールを含むサービスシャーシである。タイプＢサービスシャーシは、高パフォーマンス・スイッチングモジュールを含まないが、低パフォーマンス・スイッチングモジュールのみを含むサービスシャーシである。従って、データ通信システムの設置面積が削減される。さらに、中央スイッチングシャーシが除去されているため、補助ハードウェア装置を追加する必要がなく、消費電力及びコストが削減される。第１の態様で提供されるデータ通信システムの構造は、スムーズな拡張の特徴を有する。第１のシャーシ及び第２のシャーシを含むデータ通信システムの容量拡張中に、システムに追加される第３のシャーシは、第１のシャーシと第２のシャーシとの間のケーブル及びインターフェイスを変更せずに、第１のシャーシ及び第２のシャーシに個別に接続することができる。これにより、容量の拡張が容易になり、それによってこの実施形態では、バックツーバック・クラスタシステムをマルチシャーシ・クラスタデータ通信システムにスムーズに拡張することができる。
【０００７】
第１の態様に関して、第１の態様の第１の実施態様では、データ通信システムは第４のシャーシをさらに含み、第４のシャーシは、第５の低パフォーマンス・スイッチングモジュール及び第６の低パフォーマンス・スイッチングモジュールを含み、
第１の高パフォーマンス・スイッチングモジュールは第５の低パフォーマンス・スイッチングモジュールに接続され、第２の高パフォーマンス・スイッチングモジュールは第６の低パフォーマンス・スイッチングモジュールに接続される。従って、第１のシャーシ、第２のシャーシ、及び第４シャーシを含むデータ通信システムの容量拡張中に、システムに追加される第３のシャーシは、第１のシャーシと、第２のシャーシと、第４のシャーシとの間のケーブル及びインターフェイスを変更せずに、第１のシャーシ及び第２のシャーシに個別に接続することができる。これにより、容量の拡張が容易になり、それによってこの実施形態では、バックツーバック・クラスタシステムをマルチシャーシ・クラスタデータ通信システムにスムーズに拡張することができる。
【０００８】
第１の態様に関して、第１の態様の第２の実施態様では、データ通信システムは第５のシャーシをさらに含み、第５のシャーシは、第３の高パフォーマンス・スイッチングモジュール、第７の低パフォーマンス・スイッチングモジュール、及び第８の低パフォーマンス・スイッチングモジュールを含み、第１のシャーシは第９の低パフォーマンス・スイッチングモジュールをさらに含み、第２のシャーシは第１０の低パフォーマンス・スイッチングモジュールをさらに含み、
第３の高パフォーマンス・スイッチングモジュールは、第９の低パフォーマンス・スイッチングモジュール及び第１０の低パフォーマンス・スイッチングモジュールに接続され、第１の高パフォーマンス・スイッチングモジュールは第７の低パフォーマンス・スイッチングモジュールに接続され、第２の高パフォーマンス・スイッチングモジュールは、第８の低パフォーマンス・スイッチングモジュールに接続され、
第３の高パフォーマンス・スイッチングモジュールは、通信システムに追加される、第３のシャーシ内の第１１の低パフォーマンス・スイッチングモジュールに接続するように構成される。従って、複数のタイプＡサービスシャーシを含むデータ通信システムの容量拡張中に、システムに追加されるタイプＢサービスシャーシは、タイプＡサービスシャーシ同士の間ケーブル及びインターフェイスを変更せずに、タイプＡサービスシャーシに個別に接続することができる。これにより、容量拡張が容易になり、スムーズな容量拡張が実現される。
【０００９】
第１の態様の第２の実施態様に関して、第１の態様の第３の実施態様では、データ通信システムは第６のシャーシをさらに含み、第６のシャーシは、第１２の低パフォーマンス・スイッチングモジュール、第１３の低パフォーマンス・スイッチングモジュール、及び第１４の低パフォーマンス・スイッチングモジュールを含み、
第１２の低パフォーマンス・スイッチングモジュールは第１の高パフォーマンス・スイッチングモジュールに接続され、第１３の低パフォーマンス・スイッチングモジュールは第２の高パフォーマンス・スイッチングモジュールに接続され、第１４の低パフォーマンス・スイッチングモジュールは第３の高パフォーマンス・スイッチングモジュールに接続される。従って、複数のタイプＡサービスシャーシと少なくとも１つのタイプＢサービスシャーシとを含むデータ通信システムの容量拡張中に、システムに追加されるタイプＢサービスシャーシは、タイプＡサービスシャーシ同士の間のケーブル及びインターフェイス、又は展開されたタイプＢサービスシャーシとタイプＡサービスシャーシとの間のケーブル及びインターフェイスを変更せずに、個別に接続することができる。これにより、容量拡張が容易になり、スムーズな容量拡張が実現される。
【００１０】
第１の態様又は第１の態様の実施態様のいずれか１つに関して、第１の態様の第４の実施態様では、第１のシャーシは、第１のサービス転送モジュール及び第２のサービス転送モジュールをさらに含み、第１のサービス転送モジュール及び第２のサービス転送モジュールは、データ通信システムの外部にある装置と通信するように構成され、第１の低パフォーマンス・スイッチングモジュールは、
第１のサービス転送モジュールから受信したデータを第２の高パフォーマンス・スイッチングモジュールに送信し、
第２の高パフォーマンス・スイッチングモジュールから受信したデータを第２のサービス転送モジュールに送信するように構成される。従って、サービス転送モジュールは第１のシャーシに配置され、換言すると、サービス転送モジュールは各タイプＡサービスシャーシに配置され、それによってデータ通信システム内のシャーシは、サービス転送モジュールを使用することにより、データ通信システムの外部にある別の装置と通信できる。さらに、各タイプＡサービスシャーシは、サービス転送モジュール、現在のタイプＡサービスシャーシ内の低パフォーマンス・スイッチングモジュール、及び別のタイプＡサービスシャーシ内の高パフォーマンス・スイッチングモジュールを使用することにより、データ通信システム内のシャーシ同士の間のデータ交換を完了することができる。
【００１１】
第１の態様又は第１の態様の実施態様のいずれか１つに関して、第１の態様の第５の実施態様では、第１のシャーシは、第３のサービス転送モジュール及び第４のサービス転送モジュールをさらに含み、第３のサービス転送モジュール及び第４のサービス転送モジュールは、データ通信システムの外部にある装置と通信するように構成され、第１の高パフォーマンス・スイッチングモジュールは、
第３のサービス転送モジュールから受信したデータを第２の低パフォーマンス・スイッチングモジュールに送信し、
第２の低パフォーマンス・スイッチングモジュールから受信したデータを第４のサービス転送モジュールに送信するように構成される。従って、複数のサービス転送モジュールが第１のシャーシに配置され、換言すると、複数のサービス転送モジュールが各タイプＡサービスシャーシに配置され、それによってデータ通信システム内のシャーシは、サービス転送モジュールを使用することにより、データ通信システムの外部にある別の装置と通信できる。さらに、各タイプＡサービスシャーシは、サービス転送モジュール、現在のタイプＡサービスシャーシ内の高パフォーマンス・スイッチングモジュール、及び別のタイプＡサービスシャーシ内の低パフォーマンス・スイッチングモジュールを使用することにより、データ通信システム内のシャーシ同士の間のデータ交換を完了することができる。
【００１２】
第１の態様に関して、第１の態様の第６の実施態様では、第１の高パフォーマンス・スイッチングモジュールは、
第３のシャーシが通信システムに追加された後に、第３の低パフォーマンス・スイッチングモジュールから受信したデータを第２の低パフォーマンス・スイッチングモジュールに送信し、
第３のシャーシが通信システムに追加された後に、第２の低パフォーマンス・スイッチングモジュールから受信したデータを第３の低パフォーマンス・スイッチングモジュールに送信するように構成される。従って、データ通信システムが２つのタイプＡサービスシャーシと１つのタイプＢサービスシャーシとを含む場合に、タイプＢサービスシャーシ内の低パフォーマンス・スイッチングモジュールを使用することにより、各タイプＡサービスシャーシとタイプＢサービスシャーシとの間でデータを送受信することができる。各タイプＡサービスシャーシは、タイプＢサービスシャーシのデータを別のタイプＡサービスシャーシに送信することができる。各タイプＡサービスシャーシは、別のタイプＡサービスシャーシのデータをタイプＢサービスシャーシに送信することができる。従って、データは、データ通信システム内のシャーシ同士の間で交換される。
【００１３】
第１の態様の第１の実施態様に関して、第１の態様の第７の実施態様では、第１の高パフォーマンス・スイッチングモジュールは、
第５の低パフォーマンス・スイッチングモジュールから受信したデータを第２の低パフォーマンス・スイッチングモジュールに送信し、
第２の低パフォーマンス・スイッチングモジュールから受信したデータを第５の低パフォーマンス・スイッチングモジュールに送信するように構成される。従って、データ通信システムが少なくとも１つのタイプＡサービスシャーシと少なくとも１つのタイプＢサービスシャーシとを含む場合に、タイプＢサービスシャーシ内の低パフォーマンス・スイッチングモジュールを使用することにより、タイプＡサービスシャーシとタイプＢサービスシャーシとの間でデータを送受信することができる。各タイプＡサービスシャーシは、タイプＢサービスシャーシのデータを別のタイプＡサービスシャーシに送信することができる。各タイプＡサービスシャーシは、別のタイプＡサービスシャーシのデータをタイプＢサービスシャーシに送信することができる。従って、データは、データ通信システム内のシャーシ同士の間で交換される。より多くのタイプＢサービスシャーシがデータ通信システムに追加された場合に、依然として、前述したデータ交換プロセスを実現できる。
【００１４】
第１の態様の第２の実施態様に関して、第１の態様の第８の実施態様では、第１の高パフォーマンス・スイッチングモジュールは、
第２の低パフォーマンス・スイッチングモジュールから受信したデータを第７の低パフォーマンス・スイッチングモジュールに送信し、
第７の低パフォーマンス・スイッチングモジュールから受信したデータを第２の低パフォーマンス・スイッチングモジュールに送信し、
第３のシャーシが通信システムに追加された後に、第３の低パフォーマンス・スイッチングモジュールから受信したデータを、第２の低パフォーマンス・スイッチングモジュール及び第７の低パフォーマンス・スイッチングモジュールのうちの１つに送信し、
第３のシャーシが通信システムに追加された後に、第２の低パフォーマンス・スイッチングモジュール及び第７の低パフォーマンス・スイッチングモジュールのうちの１つから受信したデータを、第３の低パフォーマンス・スイッチングモジュールに送信するように構成される。従って、複数のタイプＡサービスシャーシを含むデータ通信システムに関して、タイプＡサービスシャーシを含むデータ通信システムの容量拡張中に、データ通信システムに追加されるタイプＢサービスシャーシは、タイプＡサービスシャーシ同士の間のケーブル及びインターフェイスを変更せずに、タイプＡサービスシャーシに個別に接続することができる。これにより、容量拡張が容易になり、スムーズな容量拡張が実現される。さらに、データ通信システムでのデータ通信は、高パフォーマンス・スイッチングモジュール及び低パフォーマンス・スイッチングモジュールを使用することにより、様々なサービスシャーシとタイプＢサービスシャーシとの間で実現される。
【００１５】
第１の態様の第３の実施態様に関して、第１の態様の第９の実施態様では、第１の高パフォーマンス・スイッチングモジュールは、
第１２の低パフォーマンス・スイッチングモジュールから受信したデータを、第２の低パフォーマンス・スイッチングモジュール及び第７の低パフォーマンス・スイッチングモジュールのうちの１つに送信し、
第２の低パフォーマンス・スイッチングモジュール及び第７の低パフォーマンス・スイッチングモジュールのうちの１つから受信したデータを、第１２の低パフォーマンス・スイッチングモジュールに送信するように構成される。従って、複数のタイプＡサービスシャーシと少なくとも１つのタイプＢサービスシャーシとを含むデータ通信システムの容量拡張中に、システムに追加されるタイプＢサービスシャーシは、タイプＡサービスシャーシ同士の間のケーブル及びインターフェイス、又は展開されたタイプＢサービスシャーシとタイプＡサービスシャーシとの間のケーブル及びインターフェイスを変更せずに、タイプＡサービスシャーシに個別に接続することができる。これにより、容量拡張が容易になり、スムーズな容量拡張が実現される。さらに、タイプＡサービスシャーシ及びタイプＢサービスシャーシはそれぞれサービス転送モジュールを有しており、それによってデータ通信システム内のシャーシは、サービス転送モジュールを使用することにより、データ通信システムの外部にある別の装置と通信することができる。タイプＡサービスシャーシ及びタイプＢサービスシャーシはそれぞれ、、高パフォーマンス・スイッチングモジュール及び低パフォーマンス・スイッチングモジュールを使用することにより、データ通信システムでのデータ通信を完了する。
【００１６】
本願の第２の態様は、第１のシャーシ及び第２のシャーシを含むデータ通信システムを提供し、
第１のシャーシは、第１の高パフォーマンス・スイッチングモジュール、第１のサービス転送モジュール、及び第２のサービス転送モジュールを含み、第１のサービス転送モジュール及び第２のサービス転送モジュールは、データ通信システムの外部にある装置と通信するように構成され、
第２のシャーシは、第１の低パフォーマンス・スイッチングモジュールを含み、
第１の高パフォーマンス・スイッチングモジュールは、第１の低パフォーマンス・スイッチングモジュールに接続され、
第１の高パフォーマンス・スイッチングモジュールは、第１のサービス転送モジュールから受信したデータを第１の低パフォーマンス・スイッチングモジュールに送信し、第１の低パフォーマンス・スイッチングモジュールから受信したデータを第２のサービス転送モジュールに送信するように構成され、
第１の高パフォーマンス・スイッチングモジュールは、通信システムに追加される、第３のシャーシ内の第２の低パフォーマンス・スイッチングモジュールに接続するようにさらに構成される。従って、中央スイッチングシャーシが除去され、タイプＣサービスシャーシ及び少なくとも１つのタイプＤサービスシャーシのみが展開される。タイプＣサービスシャーシは、高パフォーマンス・スイッチングモジュールのみを含むサービスシャーシである。タイプＤサービスシャーシは、低パフォーマンス・スイッチングモジュールのみを含むサービスシャーシである。従って、データ通信システムの設置面積が削減される。さらに、中央スイッチングシャーシが除去されているため、補助ハードウェア装置を追加する必要がなく、消費電力及びコストが削減される。第２の態様で提供されるデータ通信システムの構造は、スムーズな拡張が可能であるという特徴を有する。第１のシャーシ及び第２のシャーシを含むデータ通信システムの容量拡張中に、システムに追加される第３のシャーシは、第１のシャーシと第２のシャーシとの間のケーブル及びインターフェイスを変更せずに、第１のシャーシに別個（separately）に接続することができる。これにより、容量の拡張が容易になり、それによってこの実施形態では、バックツーバック・クラスタシステムをマルチシャーシ・クラスタデータ通信システムにスムーズに拡張することができる。
【００１７】
第２の態様に関して、第２の態様の第１の実施態様では、第１の高パフォーマンス・スイッチングモジュールは、
第３のシャーシが通信システムに追加された後に、第２の低パフォーマンス・スイッチングモジュールから受信したデータを、第１の低パフォーマンス・スイッチングモジュール、第１のサービス転送モジュール、及び第２のサービス転送モジュールのうちの１つに送信し、
第３のシャーシが通信システムに追加された後に、第１の低パフォーマンス・スイッチングモジュール、第１のサービス転送モジュール、及び第２のサービス転送モジュールのうちの１つから受信したデータを、第２の低パフォーマンス・スイッチングモジュールに送信するようにさらに構成される。従って、より多くのタイプＤサービスシャーシが第２の態様で提供されるデータ通信システムに追加される場合に、追加されるタイプＤサービスシャーシはタイプＣサービスシャーシに接続される。展開されたタイプＣサービスシャーシと展開されたタイプＤサービスシャーシとの両方でサービスを変更したり、又は展開されたタイプＣサービスシャーシと展開されたタイプＤサービスシャーシとの間のシャーシ間接続を変更したりする必要はない。これにより、スムーズな容量拡張が実現される。さらに、タイプＣサービスシャーシは、高パフォーマンス・スイッチングモジュールを使用することにより、タイプＤサービスシャーシにより送信されたデータを受信し、次にそのデータを現在のタイプＣサービスシャーシに格納するか、又はそのデータを別のタイプＤサービスシャーシに送信することができる。タイプＣサービスシャーシは、データ通信システム内のシャーシ同士の間のデータ通信を実施するために、タイプＣサービスシャーシのデータをタイプＤサービスシャーシにさらに送信することができる。
【００１８】
本願の第３の態様は、データ通信システムに適用されるデータ通信方法を提供する。データ通信システムは、第１のシャーシ及び第２のシャーシを含む。第１のシャーシは、第１の高パフォーマンス・スイッチングモジュール及び第１の低パフォーマンス・スイッチングモジュールを含む。第２のシャーシは、第２の高パフォーマンス・スイッチングモジュール及び第２の低パフォーマンス・スイッチングモジュールを含む。第１の高パフォーマンス・スイッチングモジュールは、第２の低パフォーマンス・スイッチングモジュールに接続される。第１の低パフォーマンス・スイッチングモジュールは、第２の高パフォーマンス・スイッチングモジュールに接続される。第１の高パフォーマンス・スイッチングモジュールは、通信システムに追加される、第３のシャーシ内の第３の低パフォーマンス・スイッチングモジュールに接続するように構成される。第２の高パフォーマンス・スイッチングモジュールは、通信システムに追加される、第３のシャーシ内の第４の低パフォーマンス・スイッチングモジュールに接続するように構成される。この方法は、
第１の高パフォーマンス・スイッチングモジュールによって、第３の低パフォーマンス・スイッチングモジュールから受信したデータを第２の低パフォーマンス・スイッチングモジュールに送信するステップと、第１の高パフォーマンス・スイッチングモジュールによって、第２の低パフォーマンス・スイッチングモジュールから受信したデータを第３の低パフォーマンス・スイッチングモジュールに送信するステップと、
第２の高パフォーマンス・スイッチングモジュールによって、第４の低パフォーマンス・スイッチングモジュールから受信したデータを第１の低パフォーマンス・スイッチングモジュールに送信するステップと、第２の高パフォーマンス・スイッチングモジュールによって、第１の低パフォーマンス・スイッチングモジュールから受信したデータを第４の低パフォーマンス・スイッチングモジュールに送信するステップと、を含む。
【００１９】
第３の態様に関して、第３の態様の第１の実施態様では、データ通信システムは第４のシャーシをさらに含み、第４のシャーシは、第５の低パフォーマンス・スイッチングモジュール及び第６の低パフォーマンス・スイッチングモジュールを含み、
第１の高パフォーマンス・スイッチングモジュールは第５の低パフォーマンス・スイッチングモジュールに接続され、第２の高パフォーマンス・スイッチングモジュールは第６の低パフォーマンス・スイッチングモジュールに接続される。
【００２０】
第３の態様に関して、第３の態様の第２の実施態様では、データ通信システムは第５のシャーシをさらに含み、第５のシャーシは、第３の高パフォーマンス・スイッチングモジュール、第７の低パフォーマンス・スイッチングモジュール、及び第８の低パフォーマンス・スイッチングモジュールを含み、第１のシャーシは第９の低パフォーマンス・スイッチングモジュールをさらに含み、第２のシャーシは第１０の低パフォーマンス・スイッチングモジュールをさらに含み、
第３の高パフォーマンス・スイッチングモジュールは、第９の低パフォーマンス・スイッチングモジュール及び第１０の低パフォーマンス・スイッチングモジュールに接続され、第１の高パフォーマンス・スイッチングモジュールは第７の低パフォーマンス・スイッチングモジュールに接続され、第２の高パフォーマンス・スイッチングモジュールは第８の低パフォーマンス・スイッチングモジュールに接続され、
第３の高パフォーマンス・スイッチングモジュールは、通信システムに追加される、第３のシャーシ内の第１１の低パフォーマンス・スイッチングモジュールに接続するように構成され、
この方法は、
第３の高パフォーマンス・スイッチングモジュールによって、第１１の低パフォーマンス・スイッチングモジュールから受信したデータを、第９の低パフォーマンス・スイッチングモジュール及び第１０の低パフォーマンス・スイッチングモジュールのうちの１つに送信するステップと、第９の低パフォーマンス・スイッチングモジュール及び第１０の低パフォーマンス・スイッチングモジュールのうちの１つから受信したデータを、第１１の低パフォーマンス・スイッチングモジュールに送信するステップと、をさらに含む。
【００２１】
第３の態様の第２の実施態様に関して、第３の態様の第３の実施態様では、データ通信システムは第６のシャーシをさらに含み、第６のシャーシは、第１２の低パフォーマンス・スイッチングモジュール、第１３の低パフォーマンス・スイッチングモジュール、及び第１４の低パフォーマンス・スイッチングモジュールを含み、
第１２の低パフォーマンス・スイッチングモジュールは第１の高パフォーマンス・スイッチングモジュールに接続され、第１３の低パフォーマンス・スイッチングモジュールは第２の高パフォーマンス・スイッチングモジュールに接続され、第１４の低パフォーマンス・スイッチングモジュールは第３の高パフォーマンス・スイッチングモジュールに接続される。
【００２２】
第３の態様又は第３の態様の実施態様のいずれか１つに関して、第３の態様の第４の実施態様では、第１のシャーシは、第１のサービス転送モジュール及び第２のサービス転送モジュールをさらに含み、第１のサービス転送モジュール及び第２のサービス転送モジュールは、データ通信システムの外部にある装置と通信するように構成され、この方法は、
第１の低パフォーマンス・スイッチングモジュールによって、第１のサービス転送モジュールから受信したデータを第２の高パフォーマンス・スイッチングモジュールに送信するステップと、
第１の低パフォーマンス・スイッチングモジュールによって、第２の高パフォーマンス・スイッチングモジュールから受信したデータを第２のサービス転送モジュールに送信するステップと、をさらに含む。
【００２３】
第３の態様又は第３の態様の実施態様のいずれか１つに関して、第３の態様の第５の実施態様では、第１のシャーシは、第３のサービス転送モジュール及び第４のサービス転送モジュールをさらに含み、第３のサービス転送モジュール及び第４のサービス転送モジュールは、データ通信システムの外部にある装置と通信するように構成され、この方法は、
第１の高パフォーマンス・スイッチングモジュールによって、第３のサービス転送モジュールから受信したデータを第２の低パフォーマンス・スイッチングモジュールに送信するステップと、
第２の高パフォーマンス・スイッチングモジュールによって、第２の高パフォーマンス・スイッチングモジュールから受信したデータを第４のサービス転送モジュールに送信するステップと、をさらに含む。
【００２４】
第３の態様の第１の実施態様に関して、第３の態様の第６の実施態様では、この方法は、
第１の高パフォーマンス・スイッチングモジュールによって、第５の低パフォーマンス・スイッチングモジュールから受信したデータを第２の低パフォーマンス・スイッチングモジュールに送信するステップと、
第１の高パフォーマンス・スイッチングモジュールによって、第２の低パフォーマンス・スイッチングモジュールから受信したデータを第５の低パフォーマンス・スイッチングモジュールに送信するステップと、をさらに含む。
【００２５】
第３の態様の第２の実施態様に関して、第３の態様の第７の実施態様では、この方法は、
第１の高パフォーマンス・スイッチングモジュールによって、第２の低パフォーマンス・スイッチングモジュールから受信したデータを第７の低パフォーマンス・スイッチングモジュールに送信するステップと、
第１の高パフォーマンス・スイッチングモジュールによって、第７の低パフォーマンス・スイッチングモジュールから受信したデータを第２の低パフォーマンス・スイッチングモジュールに送信するステップと、
第１の高パフォーマンス・スイッチングモジュールによって、第３の低パフォーマンス・スイッチングモジュールから受信したデータを、第２の低パフォーマンス・スイッチングモジュール及び第７の低パフォーマンス・スイッチングモジュールのうちの１つに送信するステップと、
第１の高パフォーマンス・スイッチングモジュールによって、第２の低パフォーマンス・スイッチングモジュール及び第７の低パフォーマンス・スイッチングモジュールのうちの１つから受信したデータを、第３の低パフォーマンス・スイッチングモジュールに送信するステップと、をさらに含む。
【００２６】
第３の態様の第３の実施態様に関して、第３の態様の第８の実施態様では、この方法は、
第１の高パフォーマンス・スイッチングモジュールによって、第１２の低パフォーマンス・スイッチングモジュールから受信したデータを、第２の低パフォーマンス・スイッチングモジュール及び第７の低パフォーマンス・スイッチングモジュールのうちの１つに送信するステップと、
第１の高パフォーマンス・スイッチングモジュールによって、第２の低パフォーマンス・スイッチングモジュール及び第７の低パフォーマンス・スイッチングモジュールのうちの１つから受信したデータを、第１２の低パフォーマンス・スイッチングモジュールに送信するステップと、をさらに含む。
【００２７】
本願の第４の態様は、データ通信システムに適用されるデータ通信方法を提供する。データ通信システムは、第１のシャーシ及び第２のシャーシを含む。第１のシャーシは、第１の高パフォーマンス・スイッチングモジュール、第１のサービス転送モジュール、及び第２のサービス転送モジュールを含む。第１のサービス転送モジュール及び第２のサービス転送モジュールは、データ通信システムの外部にある装置と通信するように構成される。第２のシャーシは、第１の低パフォーマンス・スイッチングモジュールを含む。第１の高パフォーマンス・スイッチングモジュールは、第１の低パフォーマンス・スイッチングモジュールに接続される。第１の高パフォーマンス・スイッチングモジュールは、通信システムに追加される、第３のシャーシ内の第２の低パフォーマンス・スイッチングモジュールに接続するように構成される。この方法は、
第１の高パフォーマンス・スイッチングモジュールによって、第１のサービス転送モジュールから受信したデータを第１の低パフォーマンス・スイッチングモジュールに送信するステップと、
第１の高パフォーマンス・スイッチングモジュールによって、第１の低パフォーマンス・スイッチングモジュールから受信したデータを第２のサービス転送モジュールに送信するステップと、
第１の高パフォーマンス・スイッチングモジュールによって、第２の低パフォーマンス・スイッチングモジュールから受信したデータを、第１の低パフォーマンス・スイッチングモジュール、第１のサービス転送モジュール、及び第２のサービス転送モジュールのうちの１つに送信するステップと、
第１の高パフォーマンス・スイッチングモジュールによって、第１の低パフォーマンス・スイッチングモジュール、第１のサービス転送モジュール、及び第２のサービス転送モジュールのうちの１つから受信したデータを、第２の低パフォーマンス・スイッチングモジュールに送信するステップと、を含む。
【００２８】
第５の態様によれば、第３の態様の任意の方法のステップを実行するように構成されたユニット又は手段（means）を含む、データ通信システムが提供される。
【００２９】
第６の態様によれば、データ通信システムが提供される。データ通信システムの各シャーシは、プロセッサ及びメモリを含む。メモリは、コンピュータプログラムを格納するように構成される。プロセッサは、メモリに格納されるコンピュータプログラムを呼び出して、第３の態様の任意の方法を実行する。
【００３０】
第７の態様によれば、第３の態様の任意の方法を実行するように構成された少なくとも１つの処理要素又はチップを含むデータ通信システムが提供される。
【００３１】
第８の態様によれば、プログラムが提供される。プロセッサによって実行されるときに、プログラムは、第３の態様の任意の方法を実行するために使用される。
【００３２】
第９の態様によれば、第８の態様のプログラムを含む、コンピュータ可読記憶媒体が提供される。
【００３３】
第１０の態様によれば、第４の態様の任意の方法のステップを実行するように構成されたユニット又は手段（means）を含む、データ通信システムが提供される。
【００３４】
第１１の態様によれば、データ通信システムが提供される。データ通信システムの各シャーシは、プロセッサ及びメモリを含む。メモリは、コンピュータプログラムを格納するように構成される。プロセッサは、メモリに格納されるコンピュータプログラムを呼び出して、第４の態様の任意の方法を実行する。
【００３５】
第１２の態様によれば、第４の態様の任意の方法を実行するように構成された少なくとも１つの処理要素又はチップを含むデータ通信システムが提供される。
【００３６】
第１３の態様によれば、プログラムが提供される。プロセッサによって実行されるときに、プログラムは、第４の態様の任意の方法を実行するために使用される。
【００３７】
第１４の態様によれば、第１３の態様のプログラムを含む、コンピュータ可読記憶媒体が提供される。
【図面の簡単な説明】
【００３８】
【図１】大規模な単一シャーシのデータ通信装置の構造の概略図である。
【図２】バックツーバック・クラスタシステムの構造の概略図である。
【図３Ａ】中央スイッチングシャーシベースのマルチシャーシ・クラスタシステムの構造の概略図１である。
【図３Ｂ】中央スイッチングシャーシベースのマルチシャーシ・クラスタシステムの構造の概略図１である。
【図４Ａ】中央スイッチングシャーシベースのマルチシャーシ・クラスタシステムの構造の概略図２である。
【図４Ｂ】中央スイッチングシャーシベースのマルチシャーシ・クラスタシステムの構造の概略図２である。
【図５Ａ】本願の一実施形態による、スイッチングネットワーク・マルチシャーシ・クラスタシステムのメッシュ構造の概略図１である。
【図５Ｂ】本願の一実施形態による、スイッチングネットワーク・マルチシャーシ・クラスタシステムのメッシュ構造の概略図１である。
【図６Ａ】本願の一実施形態による、スイッチングネットワーク・マルチシャーシ・クラスタシステムのメッシュ構造の概略図２である。
【図６Ｂ】本願の一実施形態による、スイッチングネットワーク・マルチシャーシ・クラスタシステムのメッシュ構造の概略図２である。
【図７】本願の一実施形態によるデータ通信システムの構造の概略図である。
【図８】本願の一実施形態による別のデータ通信システムの構造の概略図である。
【図９】本願の一実施形態による、さらに別のデータ通信システムの構造の概略図である。
【図１０】本願の一実施形態による、さらに別のデータ通信システムにおけるタイプＡサービスシャーシの構造の概略図１である。
【図１１】本願の一実施形態による、さらに別のデータ通信システムにおけるタイプＡサービスシャーシの構造の概略図２である。
【図１２】本願の一実施形態による、さらに別のデータ通信システムにおけるタイプＢサービスシャーシの構造の概略図１である。
【図１３】本願の一実施形態による、さらに別のデータ通信システムにおけるタイプＢサービスシャーシの構造の概略図２である。
【図１４】本願の一実施形態による、さらに別のデータ通信システムにおける単一シャーシのシステムの構造の概略図である。
【図１５】本願の一実施形態による、さらに別のデータ通信システムにおける２つのシャーシのバックツーバック・クラスタシステムの構造の概略図である。
【図１６】本願の一実施形態による、さらに別のデータ通信システムにおける３つのシャーシのクラスタシステムの構造の概略図である。
【図１７】本願の一実施形態による、さらに別のデータ通信システムにおける４つのシャーシのクラスタシステムの構造の概略図である。
【図１８】本願の一実施形態による、さらに別のデータ通信システムにおけるマルチシャーシ・クラスタシステムの構造の概略図である。
【図１９】本願の一実施形態による、さらに別のデータ通信システムの構造の概略図である。
【図２０】本願の一実施形態による、さらに別のデータ通信システムにおけるタイプＡサービスシャーシの接続関係の図である。
【図２１】本願の一実施形態による、別のデータ通信システムの構造の概略図である。
【図２２】本願の一実施形態による、さらに別のデータ通信システムの構造の概略図１である。
【図２３】本願の一実施形態による、さらに別のデータ通信システムの構造の概略図２である。
【図２４】本願の一実施形態による、別のデータ通信システムの構造の概略図１である。
【図２５】本願の一実施形態による、別のデータ通信システムにおける第１のシャーシの構造の概略図１である。
【図２６】本願の一実施形態による、別のデータ通信システムにおける第１のシャーシの構造の概略図２である。
【図２７】本願の一実施形態による、別のデータ通信システムにおける第２のシャーシの構造の概略図１である。
【図２８】本願の一実施形態による、別のデータ通信システムにおける第２のシャーシの構造の概略図２である。
【図２９】本願の一実施形態による、別のデータ通信システムの構造の概略図２である。
【図３０】本願の一実施形態による、別のデータ通信システムにおける単一シャーシのシステムの構造の概略図である。
【図３１】本願の一実施形態による、別のデータ通信システムにおける２つのシャーシのバックツーバック・クラスタシステムの構造の概略図である。
【図３２】本願の一実施形態による、別のデータ通信システムにおける３つのシャーシのクラスタシステムの構造の概略図である。
【図３３】本願の一実施形態による、別のデータ通信システムにおけるマルチシャーシ・クラスタシステムの構造の概略図である。
【図３４】本願の一実施形態による、データ通信システムに適用されるデータ通信方法を示す図である。
【図３５】本願の一実施形態による、データ通信システムに適用される別のデータ通信方法を示す図である。
【図３６】本願の一実施形態による、データ通信システムに適用される別のデータ通信方法を示す図である。
【図３７】本願の一実施形態による、さらに別のデータ通信システムにおけるマルチシャーシ・クラスタシステムの構造の概略図である。
【図３８】本願の一実施形態による、さらに別のデータ通信システムにおけるマルチシャーシ・クラスタシステムの構造の概略図である。
【発明を実施するための形態】
【００３９】
本願の実施形態は、ロングタームエボリューション（long  term  evolution,  LTE）、第４世代移動通信技術（the  4th  generation  mobile  communication  technology,  4G）、第５世代移動通信技術（the  5th  generation  mobile  communication  technology,  5G）通信システムに、又は将来出現し得る別のシステムに適用される。以下は、当業者による理解を容易にするために、本願におけるいくつかの用語を説明及び記述する。本願の実施形態の解決策が４Ｇシステム、５Ｇシステム、又は将来出現し得る別のシステムに適用される場合に、ネットワーク装置及び端末の名前が変わる可能性があるが、これは本願の実施形態における解決策の実施態様に影響を与えないことに留意されたい。
【００４０】
以下は、添付の図面を参照して、本願における実施形態の技術的解決策を説明する。
【００４１】
本願の技術的用語を、最初に説明する。
【００４２】
１．大規模なデータ通信装置は、コア・イーサネットスイッチ装置、ルータ装置、及び光伝送装置を含むが、これらに限定されない。論理アーキテクチャでは、大規模なデータ通信装置は、通常、高速データ転送及びスイッチングのためのデータプレーンと、シグナリングプロトコル処理のためのコントロールプレーンと、装置実行モニタリングのための管理プレーンとに分割される。本明細書における「プレーン（plane）」は、大規模なデータ通信装置内のモジュール、ユニット等を示す。
【００４３】
２．シャーシ（chassis）は、大規模なデータ通信装置内のハードウェアコンポーネントであり、シャーシは、サービスシャーシ又はデータ通信サービスシャーシとも呼ばれ得る。
【００４４】
３．マルチシャーシ・クラスタデータ通信システムは、少なくとも２つのシャーシを含み、マルチシャーシ・クラスタデータ通信システムは、マルチシャーシ・クラスタデータ通信システム、又はマルチシャーシ・クラスタシステムとも呼ばれ得る。
【００４５】
本願の実施形態における名詞又は用語は、互いに参照され得ることに留意されたい。詳細については、説明しない。
【００４６】
図１は、大規模な単一シャーシのデータ通信装置の構造の概略図である。図１に示されるように、大規模なデータ通信装置は、１つのシャーシのみを含む。シャーシはサブラックと呼ばれ得、シャーシは、単一シャーシのデータ通信装置又は単一のサブラックデータ通信装置と呼ばれ得る。単一シャーシのデータ通信装置では、単一シャーシのデータ通信装置のデータプレーンは、通常、少なくとも１つのサービス転送モジュールと、少なくとも１つのデータスイッチングモジュールとを含む。本明細書のサービス転送モジュールは、サービス転送ボードとも呼ばれ得る。データスイッチングモジュールは、データスイッチングボードとも呼ばれ得る。サービス転送モジュール及びデータスイッチングモジュールは、高速データチャネルを介して均等に相互接続される。各サービス転送モジュールは、少なくとも１つの外部サービスインターフェイスに接続される。例えば、大規模なデータ通信装置は、ｎ個のサービス転送モジュールと、ｍ個のデータスイッチングモジュールとを含み、ここで、ｎとｍとの両方が正の整数である。データスイッチングモジュール１は各サービス転送モジュールに接続され、データスイッチングモジュール２は各サービス転送モジュールに接続され、・・・（以下、同様に接続され）、データスイッチングモジュールｍは各サービス転送モジュールに接続される。図１の大規模な単一シャーシのデータ通信装置では、サービス転送モジュールは、外部サービスインターフェイスを介したデータの送受信、サービス要件に基づくデータパケットの高速転送処理の実行、データスイッチングモジュールへの切り替えが必要なデータの送信、及びデータスイッチングモジュールからのデータの受信を担当する。データスイッチングモジュールは、任意のサービス転送モジュール同士の間のデータ交換を担当する。データスイッチングモジュールは、通常、負荷分散モードで動作して、シャーシ全体でデータ交換タスクを実行する。データスイッチングモジュールは、通常、データ交換機能をサポートする集積回路チップである。
【００４７】
マルチシャーシ・クラスタデータ通信装置システムは、データスイッチングモジュールの拡張を通じて複数のシャーシを相互接続して、より高いサービスデータ転送性能を有するマルチシャーシ・クラスタシステムを形成する。マルチシャーシ・クラスタデータ通信装置システムのサービスデータ転送性能の合計は、通常、全てのシャーシのデータ転送性能の合計である。マルチシャーシ・クラスタデータ通信装置システムは、外部に１つ又は１セットの装置として提示され、複数のネットワークノードリソースを占有するのではなく、ネットワーク内の１つのネットワークノードリソースを占有する。
【００４８】
図２は、バックツーバック（back-to-back：背中合せの）クラスタシステムの構造の概略図である。図２に示されるように、１つのデータ通信システムは、２つのシャーシコンポーネントを含み、シャーシ１及びシャーシ２を提供する。各シャーシは、図１に示されるシャーシである。シャーシ内部のモジュール及びモジュールの接続方法は、図１のものと同じである。２つのシャーシのそれぞれのデータスイッチングモジュールは、シャーシ間（inter-chassis）相互接続インターフェイスを拡張できる。２つのシャーシのデータスイッチングモジュールは、シャーシ間相互接続インターフェイスを介して背中合せに（back-to-back）相互接続される。シャーシのシャーシ間相互接続インターフェイスは、マルチシャーシ・クラスタデータ通信装置システムを構築するための重要なコンポーネントであり、シャーシ間データ交換のためのベアラチャネルを提供するように構成される。図２に示されるように、シャーシ１内のデータスイッチングモジュール１は、シャーシ間相互接続インターフェイスを介してシャーシ２内のデータスイッチングモジュール１に接続される。シャーシ１内のデータスイッチングモジュール２は、シャーシ間相互接続インターフェイスを介してシャーシ２内のデータスイッチングモジュール２に接続され、・・・（以下、同様に接続され）、シャーシ１内のデータスイッチングモジュールｍは、シャーシ間相互接続インターフェイスを介してシャーシ２内のデータスイッチングモジュールｍに接続され、バックツーバック・クラスタシステムを形成する。バックツーバック・クラスタシステムのシステム容量は、図１に示される装置のシステム容量の２倍である。バックツーバック・クラスタシステムが展開（deploy：配置）されると、図１に示されるような単一シャーシが最初に展開され、そして第２のシャーシが展開されて、単一シャーシのデータ通信装置をバックツーバック・クラスタシステムに拡張することができる。バックツーバック・クラスタシステムでは、シャーシは、シャーシ内のデータスイッチングモジュールを使用することによりローカルデータを交換したり、又はデータスイッチングモジュールを使用することによりシャーシ同士の間でデータを転送したりできる。バックツーバック・クラスタシステムでは、シャーシ同士の間の相互接続帯域幅がシャーシの最大サービス転送能力以上である場合に、２つのシャーシ同士の間でラインレート（line-rate）スイッチングを実現できる。
【００４９】
図３Ａ及び図３Ｂは、中央スイッチングシャーシベースのマルチシャーシ・クラスタシステムの構造の概略図１である。図３Ａ及び図３Ｂに示されるように、中央スイッチングシャーシベースのマルチシャーシ・クラスタシステムは、複数のサービスシャーシと、１つの中央スイッチングシャーシとを含む。各サービスシャーシは、中央スイッチングシャーシに接続される。各サービスシャーシは、図１に示されるシャーシである。サービスシャーシ内部のモジュール、及びモジュールの接続方法は、図１のものと同じである。ｍ個のデータスイッチングモジュールが各サービスシャーシ内に展開され、ｍ個の中央スイッチングモジュールが中央スイッチングシャーシ内に展開され、ここで、ｍは正の整数である。各サービスシャーシに関して、１つのサービスシャーシ内の各データスイッチングモジュールは、１対１の対応関係で１つの中央スイッチングモジュールに接続される。中央スイッチングシャーシは、１つ又は複数の装置を含むことができる。中央スイッチングシャーシには、サービス転送モジュールがない。中央スイッチングシャーシは、サービスインターフェイスを提供しない。物理的実施態様では、前述したモジュールのそれぞれは、１つ又は複数の物理的モジュールを含み得る。図３に示される中央スイッチングシャーシベースのマルチシャーシ・クラスタシステムでは、サービスシャーシは、サービスシャーシ内のデータスイッチングモジュールを使用することによりローカルデータを交換したり、又は中央スイッチングシャーシ内の中央スイッチングモジュールを使用することによりリモートデータを交換したりすることができる。２つの異なるサービスシャーシの間のデータ交換は、中央スイッチングシャーシ内の中央スイッチングモジュールを使用することにより完了する必要がある。従って、サービスシャーシは、データスイッチングモジュールと、データスイッチングモジュールに対応する中央スイッチングモジュールとを使用することにより、シャーシ同士の間のデータ交換タスクを完了する。理論的には、各サービスシャーシと中央スイッチングシャーシとの間のシャーシ間相互接続帯域幅がシャーシの最大サービス転送能力以上である場合に、シャーシ間ラインレートスイッチングを実現できる。図３に示される中央スイッチングシャーシベースのマルチシャーシ・クラスタシステムでは、サービスシャーシは互いに切り離すことができる。新しいサービスシャーシを追加するのは容易である。図４Ａ及び図４Ｂは、中央スイッチングシャーシベースのマルチシャーシ・クラスタシステムの構造の概略図２である。図４Ａ及び図４Ｂに示されるように、各サービスシャーシについて、１つのサービスシャーシ内の各データスイッチングモジュールは、１対１の対応関係で１つの中央スイッチングモジュールに接続されて、フルスター（full-star）クロスコネクト（cross-connect）プレーンを形成する。中央スイッチングシャーシ内にｍ個の中央スイッチングモジュールがある場合に、中央スイッチングシャーシベースのマルチシャーシ・クラスタシステムには、合計ｍ個のフルスター・クロスコネクトプレーンが含まれる。サービスシャーシ同士の間のデータ交換は、ｍ個のフルスター・クロスコ��クトプレーンを介して完了する。さらに、各フルスター・クロスコネクトプレーンは互いに独立しており、負荷分散モードで全てのシャーシ間データ交換機能を実行する。中央スイッチングシャーシ内の中央スイッチングモジュールを使用することにより、様々なサービスシャーシがデータを交換する。従って、各中央スイッチングモジュールは、１／ｍのデータ交換トラフィックを搬送する。
【００５０】
図３Ａ〜図４Ｂに示される中央スイッチングシャーシベースのマルチシャーシ・クラスタシステムでは、サービスシャーシに加えて、設置面積を占有する必要がある中央スイッチングシャーシも展開する必要がある。さらに、マルチシャーシ・クラスタデータ通信装置システムは、比較的広い機器受入れ領域を占有する必要があり、これは、マルチシャーシ・クラスタデータ通信装置システムの展開にとって不便である。中央スイッチングシャーシを展開する場合に、中央スイッチングシャーシのために電源ユニット、放熱ユニット、制御ユニット等のハードウェア装置を構成する必要がある。これらのハードウェア装置は、大量の電力を消費する。その結果、コストが増大する。さらに、バックツーバック・クラスタシステムを中央スイッチングシャーシベースのマルチシャーシ・クラスタシステムに拡張する場合に、サービスシャーシ同士の間の相互接続ケーブルを再分離して調整し、サービスシャーシのケーブルを中央スイッチングシャーシ内の中央スイッチングモジュールに個別に接続する必要がある。従って、拡張操作は非常に複雑である。
【００５１】
図５Ａ及び図５Ｂは、本願の一実施形態による、スイッチングネットワーク・マルチシャーシ・クラスタシステムのメッシュ（mesh）構造の概略図１である。図５に示されるように、スイッチングネットワーク・マルチシャーシ・クラスタシステムは、複数のサービスシャーシを含む。各サービスシャーシは、図１に示されるシャーシである。サービスシャーシ内部のモジュール、及びモジュールの接続方法は、図１のものと同じである。各サービスシャーシ内のデータスイッチングモジュールは、別のサービスシャーシ内のデータスイッチングモジュールに接続される。接続方法は、サービスシャーシ内のデータスイッチングモジュールをフルメッシュ（full  mesh）方法で相互接続する方法である。サービスシャーシは、シャーシ内のデータスイッチングモジュールを使用することにより、ローカルデータを交換できる。相互接続されたデータスイッチングモジュールを使用することにより、様々なサービスシャーシがデータを交換する。スイッチングネットワーク・マルチシャーシ・クラスタシステムでは、シャーシ間ラインレートスイッチングを実現するには、任意の２つのサービスシャーシの間のメッシュ相互接続帯域幅が、サービスシャーシの最大サービス転送能力以上である必要がある。任意の２つのサービスシャーシの間のデータ交換が、任意の２つのサービスシャーシに直接接続されたデータスイッチングモジュールを使用することによりのみ実現できる場合に、各サービスシャーシのシャーシ間帯域幅は、単一のサービスシャーシの最大サービス転送能力の（ｘ−１）倍以上である必要があり、ここで、ｘはスイッチングネットワーク・マルチシャーシ・クラスタシステムのサービスシャーシの総数であり、ｘは３以上である。任意の２つのサービスシャーシの間のデータが、任意の２つのサービスシャーシに直接接続されたデータスイッチングモジュールを使用することにより交換可能であり、サードパーティのサービスシャーシ内のデータスイッチングモジュールを使用することにより転送できる場合に、各サービスシャーシのシャーシ間帯域幅を、単一のサービスシャーシの最大サービス転送能力の２倍に設定できる。図６Ａ及び図６Ｂは、本願の一実施形態による、スイッチングネットワーク・マルチシャーシ・クラスタシステムのメッシュ構造の概略図２である。図６Ａ及び図６Ｂに示されるように、各サービスシャーシ内のデータスイッチングモジュールは、別のサービスシャーシ内のデータスイッチングモジュールに接続される。換言すると、各サービスシャーシ内のデータスイッチングモジュールは、互いに均等に相互接続される。従って、メッシュ・クロスコネクトプレーンを形成して、ｍ個のメッシュ・クロスコネクトプレーンを得ることができる。サービスシャーシ同士の間のデータ交換は、ｍ個のメッシュのクロスコネクトプレーンを介して完了する。各メッシュ・クロスコネクトプレーンは、互いに独立しており、且つ負荷分散モードでシャーシ間データ交換機能を実行する。
【００５２】
しかしながら、図５Ａ〜図６Ｂに示されるスイッチングネットワーク・マルチシャーシ・クラスタシステムでは、新しいサービスシャーシを追加する必要がある場合に、全てのサービスシャーシの間の相互接続ケーブルを調整する必要がある。従って、拡張操作は複雑である。例えば、ｍ＝３の場合であって、サービスシャーシ１内のデータスイッチングモジュール１が、サービスシャーシ２内のデータスイッチングモジュール１、及びサービスシャーシ３内のデータスイッチングモジュール１に接続される場合に、サービスシャーシ１内のデータスイッチングモジュール１にはｐ本のケーブルがあり、ここで、ｐは正の整数である。サービスシャーシ１内のデータスイッチングモジュール１は、ｐ／２本のケーブルを使用してサービスシャーシ２内のデータスイッチングモジュール１に接続し、サービスシャーシ１内のデータスイッチングモジュール１は、別のｐ／２本のケーブルを使用してサービスシャーシ３内のデータスイッチングモジュール１に接続する。ただし、サービスシャーシが追加される場合、つまりｍ＝４の場合であって、サービスシャーシ１内のデータスイッチングモジュール１を、サービスシャーシ２内のデータスイッチングモジュール１、サービスシャーシ３内のデータスイッチングモジュール１、及びサービスシャーシ４内のデータスイッチングモジュール１に接続する必要がある場合に、サービスシャーシ１内のデータスイッチングモジュール１は、ｐ／３本のケーブルを使用してサービスシャーシ２内のデータスイッチングモジュール１に接続し、サービスシャーシ１内のデータスイッチングモジュール１は、別のｐ／３本のケーブルを使用してサービスシャーシ３内のデータスイッチングモジュール１に接続し、サービスシャーシ１内のデータスイッチングモジュール１は残りのｐ／３本のケーブルを使用してサービスシャーシ４内のデータスイッチングモジュール１に接続する。サービスシャーシ１内のデータスイッチングモジュール１のケーブルを再分離して調整する必要があること等が分かり得る。サービスシャーシが追加される場合に、全てのサービスシャーシ内の各データスイッチングモジュールのケーブルを分離して調整する必要がある。従って、容量拡張操作は複雑である。
【００５３】
本願は、前述した問題をさらに解決するデータ通信システム及び方法を提供する。
【００５４】
第１に、本願の実施形態では、「第１のタイプのシャーシ」は、略して「タイプＡサービスシャーシ」と呼ばれる。「第２のタイプのシャーシ」は、略して「タイプＢサービスシャーシ」と呼ばれる。「高パフォーマンス・スイッチングモジュール」は、略して「Ｓ」と呼ばれる。「低パフォーマンス・スイッチングモジュール」は、略して「Ｒ」と呼ばれる。「サービス転送モジュール」は、略して「Ｘ」と呼ばれる。タイプＡサービスシャーシは、Ｓを含み、Ｒをさらに含み得る。タイプＢサービスシャーシは、Ｒを含むが、Ｓを含まない。本願では、「高パフォーマンス・スイッチングモジュール」及び「低パフォーマンス・スイッチングモジュール」という名前は、２つのタイプのモジュールを区別するためにのみ使用され、モジュールの機能を制限するものではない。接続関係において、２つのタイプのモジュールの違いは、高パフォーマンスモジュールが１つ又は複数の低パフォーマンスモジュールに接続され得ること、及び低パフォーマンスモジュールが、１つの高パフォーマンスモジュールに接続され得るが、複数の高パフォーマンスモジュールに接続できないことである。低パフォーマンスモジュールと比較して、同じシャーシ内の高パフォーマンスモジュールは、より高いパフォーマンス要件を有する。パフォーマンス要件は、例えば、帯域幅要件である。モジュールの帯域幅要件は、例えば、モジュールによって処理できるデータ帯域幅である。オプションで、低パフォーマンスモジュールと比較して、異なるシャーシ内の高パフォーマンスモジュールも高いパフォーマンス要件を有し得る。オプションで、異なるシャーシ内の高パフォーマンスモジュールは同じパフォーマンス要件を有し得、異なるシャーシ内の低パフォーマンスモジュールは同じパフォーマンス要件を有し得る。
【００５５】
図７は、本願の一実施形態によるデータ通信システムの構造の概略図である。図７に示されるように、本願のこの実施形態で提供されるデータ通信システムは、第１のシャーシ及び第２のシャーシを含み、
第１のシャーシは、第１の高パフォーマンス・スイッチングモジュール及び第１の低パフォーマンス・スイッチングモジュールを含み、
第２のシャーシは、第２の高パフォーマンス・スイッチングモジュール及び第２の低パフォーマンス・スイッチングモジュールを含み、
第１の高パフォーマンス・スイッチングモジュールは第２の低パフォーマンス・スイッチングモジュールに接続され、第１の低パフォーマンス・スイッチングモジュールは第２の高パフォーマンス・スイッチングモジュールに接続され、
第１の高パフォーマンス・スイッチングモジュールは、通信システムに追加される、第３のシャーシ内の第３の低パフォーマンス・スイッチングモジュールに接続するように構成され、第２の高パフォーマンス・スイッチングモジュールは、通信システムに追加される、第３のシャーシ内の第４の低パフォーマンス・スイッチングモジュールに接続するように構成される。
【００５６】
例えば、形成されたデータ通信システムは、第１のタイプのシャーシ及び第２のタイプのシャーシに分割される。第１のタイプのシャーシは、第１のシャーシＡ１及び第２のシャーシＡ２を含む。第１のシャーシＡ１は、第１の高パフォーマンス・スイッチングモジュールＳと、第１の低パフォーマンス・スイッチングモジュールＲ１とを含む。第２のシャーシＡ２は、第２の高パフォーマンス・スイッチングモジュールＳと、第２の低パフォーマンス・スイッチングモジュールＲ１とを含む。
【００５７】
Ａ１内のＳは、シャーシ間相互接続インターフェイスを介してＡ２内のＲ１に接続され、Ａ２内のＳは、別のシャーシ間相互接続インターフェイスを介してＡ１内のＲ１に接続される。
【００５８】
第２のタイプのシャーシが、Ａ１及びＡ２を含むデータ通信システムに追加される場合、つまり、第３のシャーシＢ１が追加される場合に、提供される第３のシャーシＢ１は、第３の低パフォーマンス・スイッチングモジュールＲ１と、第４の低パフォーマンス・スイッチングモジュールＲ２とを含む。この場合に、データ通信システムには、それぞれＡ１及びＡ２である２つのタイプＡサービスシャーシが既にあり、データ通信システムに追加されるシャーシはタイプＢサービスシャーシＢ１である。
【００５９】
Ｂ１が、Ａ１及びＡ２を含むデータ通信システムに追加されるときに、Ａ１内のＳは、Ｂ１内のＲ１に接続され得、Ａ２内のＳは、Ｂ１内のＲ２に接続され得る。前述した実施形態で提供されるデータ通信システムによれば、Ａ１、Ａ２、及びＢ１を含むデータ通信システムが提供される。中央スイッチングシャーシが除去され、タイプＡサービスシャーシ及びタイプＢサービスシャーシのみが展開される。従って、データ通信システムの設置面積が削減される。さらに、中央スイッチングシャーシが除去されているため、補助ハードウェア装置を追加する必要がなく、消費電力及びコストが削減される。Ａ１及びＡ２を含むデータ通信システムの容量拡張中に、Ａ１とＡ２との間のケーブルを変更せずに、システムに追加されるＢ１がＡ１及びＡ２に個別に接続するのを待つ必要はない。これにより、容量の拡張が容易になり、それによってこの実施形態では、バックツーバック・クラスタシステムをマルチシャーシ・クラスタデータ通信システムにスムーズに拡張することができる。
【００６０】
図８は、本願の一実施形態による別のデータ通信システムの構造の概略図である。図７に示される実施形態に基づいて、図８に示されるように、本願のこの実施形態で提供される別のデータ通信システムでは、第１のシャーシは、第１のサービス転送モジュール及び第２のサービス転送モジュールをさらに含み、第１のサービス転送モジュール及び第２のサービス転送モジュールは、データ通信システムの外部にある装置と通信するように構成される。
【００６１】
第１の低パフォーマンス・スイッチングモジュールは、
第１のサービス転送モジュールから受信したデータを第２の高パフォーマンス・スイッチングモジュールに送信し、
第２の高パフォーマンス・スイッチングモジュールから受信したデータを第２のサービス転送モジュールに送信するように構成される。
【００６２】
オプションの実施態様では、第１のシャーシは、第３のサービス転送モジュール及び第４のサービス転送モジュールをさらに含み、第３のサービス転送モジュール及び第４のサービス転送モジュールは、データ通信システムの外部にある装置と通信するように構成される。第１の高パフォーマンス・スイッチングモジュールは、第３のサービス転送モジュールから受信したデータを第２の低パフォーマンス・スイッチングモジュールに送信し、第２の低パフォーマンス・スイッチングモジュールから受信したデータを第４のサービス転送モジュールに送信するように構成される。オプションで、第３のサービス転送モジュール及び第４のサービス転送モジュールを同じモジュールにすることができる。
【００６３】
オプションの実施態様では、第１の高パフォーマンス・スイッチングモジュールは、第３のシャーシが通信システムに追加された後に、第３の低パフォーマンス・スイッチングモジュールから受信したデータを第２の低パフォーマンス・スイッチングモジュールに送信し、そして、第３のシャーシが通信システムに追加された後に、第２の低パフォーマンス・スイッチングモジュールから受信したデータを第３の低パフォーマンス・スイッチングモジュールに送信するように構成される。
【００６４】
例えば、第１のシャーシＡ１は、ｎ個のサービス転送モジュールＸをさらに含み、ここで、ｎは正の整数である。例えば、Ａ１は、第１のサービス転送モジュールＸ１、第２のサービス転送モジュールＸ２、第３のサービス転送モジュールＸ３、及び第４のサービス転送モジュールＸ４をさらに含む。第２のシャーシＡ２は、ｎ個のサービス転送モジュールＸをさらに含む。例えば、Ａ２は、第５のサービス転送モジュールＸ１、第６のサービス転送モジュールＸ２、第７のサービス転送モジュールＸ３、及び第８のサービス転送モジュールＸ４をさらに含む。Ａ１内のサービス転送モジュールの数量は、Ａ２内のサービス転送モジュールの数量と同じでも異なっていてもよい。
【００６５】
Ａ１内の各Ｘは、Ａ１内のＳと、Ａ１内のＲ１とに接続される。換言すると、Ａ１内のＸ１は、Ａ１内のＳと、Ａ１内のＲ１とに個別に接続され、Ａ１内のＸ２は、Ａ１内のＳと、Ａ１内のＲ１とに個別に接続され、Ａ１内のＸ３は、Ａ１内のＳと、Ａ１内のＲ１とに個別に接続され、Ａ１内のＸ４は、Ａ１内のＳと、Ａ１内のＲ１とに個別に接続される、等である。Ａ２内の各Ｘは、Ａ２内のＳと、Ａ２内のＲ１とに接続される。換言すると、Ａ２内のＸ１は、Ａ２内のＳと、Ａ２内のＲ１とに個別に接続され、Ａ２内のＸ２は、Ａ２内のＳと、Ａ２内のＲ１とに個別に接続され、Ａ２内のＸ３は、Ａ２内のＳと、Ａ２内のＲ１とに個別に接続され、Ａ２内のＸ４は、Ａ２内のＳと、Ａ２内のＲ１とに個別に接続される、等である。
【００６６】
Ａ１内のＸ１、Ａ１内のＸ２、Ａ１内のＸ３、及びＡ１内のＸ４は、データ通信システムの外部にある別の装置と通信し得、さらに、データ通信システムの外部にある別の装置との間でデータを送受信し得る。同様に、Ａ２内のＸ１、Ａ２内のＸ２、Ａ２内のＸ３、及びＡ２内のＸ４は、データ通信システムの外部にある別の装置と通信し得、さらに、データ通信システムの外部にある別の装置との間でデータを送受信し得る。
【００６７】
Ａ１内のＲ１は、シャーシ内（intra-chassis）相互接続インターフェイスを介して、Ａ１内のＸ１又はＡ１内のＸ２によって送信されたデータを受信することができる。次に、Ａ１内のＲ１は、データの宛先がＡ１であるか又は別のシャーシであるかを判定する。Ａ１内のＲ１が、データの宛先がＡ１であると判定した場合に、Ａ１内のＲ１は、シャーシ内相互接続インターフェイスを介してデータをＡ１内のＸ１又はＡ１内のＸ２に送信する。Ａ１内のＲ１が、データの宛先が別のシャーシであると判定した場合に、Ａ１内のＲ１は特定の宛先シャーシを識別する必要はなく、Ａ１内のＲ１は、シャーシ間相互接続インターフェイスを介してデータをＡ２内のＳに送信する。Ａ１内のＲ１は、シャーシ間相互接続インターフェイスを介して、Ａ２内のＳによって送信されたデータを受信することもできる。次に、Ａ１内のＲ１は、データの宛先がＡ１であるか又は別のシャーシであるかを判定する。Ａ１内のＲ１が、データの宛先がＡ１であると判定した場合に、Ａ１内のＲ１は、シャーシ内相互接続インターフェイスを介してデータをＡ１内のＸ１又はＡ１内のＸ２に送信する。Ａ１内のＲ１が、データの宛先が別のシャーシであると判定した場合に、Ａ１内のＲ１は、無効なデータが受信されたと見なし、データを直接破棄する。
【００６８】
Ａ１内のＳは、シャーシ内相互接続インターフェイスを介して、Ａ１内のＸ１、Ａ１内のＸ２、Ａ１内のＸ３、又はＡ１内のＸ４によって送信されたデータを受信することができる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸ１、Ａ１内のＸ２、Ａ１内のＸ３、又はＡ１内のＸ４に送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＡ２であると判定した場合に、Ａ１内のＳは、シャーシ間相互接続インターフェイスを介してデータをＡ２内のＲ１に送信する。Ａ１内のＳは、シャーシ間相互接続インターフェイスを介して、Ａ２内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸ１、Ａ１内のＸ２、Ａ１内のＸ３、又はＡ１内のＸ４に送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＡ２であると判定した場合に、Ａ１内のＳは、シャーシ間相互接続インターフェイスを介してデータをＡ２内のＲ１に送信する。
【００６９】
Ａ２内のＲ１がデータを送受信するプロセスについては、Ａ１内のＲ１がデータを送受信するプロセスを参照されたい。Ａ２内のＳがデータを送受信するプロセスについては、Ａ１内のＳがデータを送受信するプロセスを参照されたい。
【００７０】
この実施形態では、Ｂ１が、Ａ１及びＡ２を含むデータ通信システムに追加される場合に、Ａ１内のＳはＢ１内のＲ１に接続され、Ａ２内のＳはＢ１内のＲ２に接続される。Ｂ１は、少なくとも１つの第７のサービス転送モジュールＸをさらに含む。Ｂ１内のＲ１は、Ｂ１内の各Ｘに個別に接続される。Ｂ１内のＲ２は、Ｂ１内の各Ｘに個別に接続される。例えば、ｔ個のＸが、Ｂ１に設定され、且つそれぞれＸ１、Ｘ２、・・・、及びＸｔであり、ここで、tは１以上の正の整数である。
【００７１】
Ａ１内のＳは、シャーシ内相互接続インターフェイスを介して、Ａ１内のＸ１、Ａ１内のＸ２、Ａ１内のＸ３、又はＡ１内のＸ４によって送信されたデータを受信することができる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸ１、Ａ１内のＸ２、Ａ１内のＸ３、又はＡ１内のＸ４に送信する。Ａ１内のＳが、データの宛先がＢ１であると判定した場合に、Ａ１内のＳは、シャーシ間相互接続インターフェイスを介してデータをＢ１内のＲ１に送信する。Ａ１内のＳは、シャーシ間相互接続インターフェイスを介して、Ｂ１内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸ１、Ａ１内のＸ２、Ａ１内のＸ３、又はＡ１内のＸ４に送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＡ２であると判定した場合に、Ａ１内のＳは、シャーシ間相互接続インターフェイスを介してデータをＡ２内のＲ１に送信する。Ａ１内のＳは、シャーシ間相互接続インターフェイスを介して、Ａ２内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸ１、Ａ１内のＸ２、Ａ１内のＸ３、又はＡ１内のＸ４に送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＢ１であると判定した場合に、Ａ１内のＳは、シャーシ間相互接続インターフェイスを介してデータをＢ１内のＲ１に送信する。
【００７２】
Ａ２内のＳがデータを送受信するプロセスについては、Ａ１内のＳがデータを送受信するプロセスを参照されたい。
【００７３】
Ｂ１内のＲ１は、シャーシ内相互接続インターフェイスを介して、Ｂ１内のＸによって送信されたデータを受信することができる。次に、Ｂ１内のＲ１は、データの宛先がＢ１であるか又は別のシャーシであるかを判定する。Ｂ１内のＲ１が、データの宛先がＢ１であると判定した場合に、Ｂ１内のＲ１は、シャーシ内相互接続インターフェイスを介してデータをＢ１内のＸに送信する。Ｂ１内のＲ１が、データの宛先が別のシャーシであると判定した場合に、Ｂ１内のＲ１は特定の宛先シャーシを識別する必要はなく、Ｂ１内のＲ１は、シャーシ間相互接続インターフェイスを介してデータをＡ１内のＳに送信する。Ｂ１内のＲ１は、シャーシ間相互接続インターフェイスを介して、Ａ１内のＳによって送信されたデータを受信することもできる。次に、Ｂ１内のＲ１は、データの宛先がＢ１であるか又は別のシャーシであるかを判定する。Ｂ１内のＲ１が、データの宛先がＢ１であると判定した場合に、Ｂ１内のＲ１は、シャーシ内相互接続インターフェイスを介してデータをＢ１内のＸに送信する。Ｂ１内のＲ１が、データの宛先が別のシャーシであると判定した場合に、Ｂ１内のＲ１は、無効なデータが受信されたと見なし、データを直接破棄する。
【００７４】
Ｂ１内のＲ２がデータを送受信するプロセスについては、Ｂ１内のＲ１がデータを送受信するプロセスを参照されたい。
【００７５】
前述した実施形態で提供されるデータ通信システムによれば、Ａ１、Ａ２、及びＢ１を含むデータ通信システムが提供される。中央スイッチングシャーシが除去され、タイプＡサービスシャーシ及びタイプＢサービスシャーシのみが展開される。従って、データ通信システムの設置面積が削減される。さらに、中央スイッチングシャーシが除去されているため、補助ハードウェア装置を追加する必要がなく、消費電力及びコストが削減される。Ａ１及びＡ２を含むデータ通信システムの容量拡張中に、システムに追加されるＢ１は、Ａ１とＡ２との間のケーブルを変更せずに、Ａ１及びＡ２に個別に接続することができる。これにより、容量の拡張が容易になり、それによってこの実施形態では、バックツーバック・クラスタシステムをマルチシャーシ・クラスタデータ通信システムにスムーズに拡張することができる。また、Ａ１、Ａ２、及びＢ１にはサービス転送モジュールがあり、それによってデータ通信システム内のシャーシは、サービス転送モジュールを使用することにより、データ通信システムの外部にある別の装置と通信することができる。Ａ１、Ａ２、及びＢ１は、Ｓ、Ｒ１等を使用することにより、データ通信システムでのデータ通信を完了することができる。
【００７６】
図９は、本願の一実施形態によるさらに別のデータ通信システムの構造の概略図である。図７に示される実施形態に基づいて、図９に示されるように、本願のこの実施形態で提供されるさらに別のデータ通信システムでは、データ通信システムは第４のシャーシをさらに含み、第４のシャーシは、第５の低パフォーマンス・スイッチングモジュール及び第６の低パフォーマンス・スイッチングモジュールを含み、
第１の高パフォーマンス・スイッチングモジュールは第５の低パフォーマンス・スイッチングモジュールに接続され、第２の高パフォーマンス・スイッチングモジュールは第６の低パフォーマンス・スイッチングモジュールに接続される。
【００７７】
オプションの実施態様では、第１の高パフォーマンス・スイッチングモジュールは、第５の低パフォーマンス・スイッチングモジュールから受信したデータを第２の低パフォーマンス・スイッチングモジュールに送信し、第２の低パフォーマンス・スイッチングモジュールから受信したデータを第５の低パフォーマンス・スイッチングモジュールに送信するように構成される。
【００７８】
オプションの実施態様では、第１のシャーシは、第１のサービス転送モジュール及び第２のサービス転送モジュールをさらに含み、第１のサービス転送モジュール及び第２のサービス転送モジュールは、データ通信システムの外部にある装置と通信するように構成される。第１の低パフォーマンス・スイッチングモジュールは、第１のサービス転送モジュールから受信したデータを第２の高パフォーマンス・スイッチングモジュールに送信し、第２の高パフォーマンス・スイッチングモジュールから受信したデータを第２のサービス転送モジュールに送信するように構成される。
【００７９】
オプションの実施態様では、第１のシャーシは、第３のサービス転送モジュール及び第４のサービス転送モジュールをさらに含み、第３のサービス転送モジュール及び第４のサービス転送モジュールは、データ通信システムの外部にある装置と通信するように構成される。第１の高パフォーマンス・スイッチングモジュールは、第３のサービス転送モジュールから受信したデータを第２の低パフォーマンス・スイッチングモジュールに送信し、第２の低パフォーマンス・スイッチングモジュールから受信したデータを第４のサービス転送モジュールに送信するように構成される。オプションで、第３のサービス転送モジュール及び第４のサービス転送モジュールを同じモジュールにすることができる。
【００８０】
オプションの実施態様では、第１の高パフォーマンス・スイッチングモジュールは、第３のシャーシが通信システムに追加された後に、第３の低パフォーマンス・スイッチングモジュールから受信したデータを第２の低パフォーマンス・スイッチングモジュールに送信し、そして、第３のシャーシが通信システムに追加された後に、第２の低パフォーマンス・スイッチングモジュールから受信したデータを第３の低パフォーマンス・スイッチングモジュールに送信するように構成される。
【００８１】
例えば、データ通信システムには既にＡ１及びＡ２があり、Ａ１はＳ及びＲ１を含み、Ａ２はＳ及びＲ１を含む。Ａ１内のＳは、シャーシ間相互接続インターフェイスを介してＡ２内のＲ１に接続され、Ａ２内のＳは、別のシャーシ間相互接続インターフェイスを介してＡ１内のＲ１に接続される。次に、第４のシャーシＢ２は、データ通信システム内にさらに配置される。Ｂ２はタイプＢサービスシャーシである。Ｂ２は、第５の低パフォーマンス・スイッチングモジュールＲ１及び第６の低パフォーマンス・スイッチングモジュールＲ２を含む。Ａ１内のＳは、シャーシ間相互接続インターフェイスを介してＢ２内のＲ１に接続され、Ａ２内のＳは、シャーシ間相互接続インターフェイスを介してＢ２内のＲ２に接続される。
【００８２】
この場合に、データ通信システムには、それぞれＡ１及びＡ２である２つのタイプＡサービスシャーシが既にあり、データ通信システムには、タイプＢサービスシャーシＢ２もある。次に、データ通信システムに追加されるシャーシは、タイプＢサービスシャーシＢ１である。
【００８３】
Ａ１内のＳは、シャーシ内相互接続インターフェイスを介して、Ａ１内のＸによって送信されたデータを受信することができる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先がＢ２であると判定した場合に、Ａ１内のＳは、シャーシ間相互接続インターフェイスを介してデータをＢ２内のＲ１に送信する。Ａ１内のＳは、シャーシ間相互接続インターフェイスを介して、Ｂ２内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＡ２であると判定した場合に、この実施形態のＡ１内のＳは、シャーシ間相互接続インターフェイスを介してデータをＡ２内のＲ１に送信する。Ａ１内のＳは、シャーシ間相互接続インターフェイスを介して、Ａ２内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは宛先シャーシを識別し得、Ａ１内のＳは、シャーシ間相互接続インターフェイスを介してデータを宛先シャーシに送信する。例えば、Ａ１内のＳが、データの宛先がＢ２であると判定した場合に、Ａ１内のＳは、シャーシ間相互接続インターフェイスを介してデータをＢ２内のＲ１に送信する。
【００８４】
Ａ２内のＳがデータを送受信するプロセスについては、Ａ１内のＳがデータを送受信するプロセスを参照されたい。
【００８５】
タイプＢサービスシャーシが、Ａ１、Ａ２、及びＢ２を含むデータ通信システムに追加される場合、例えば、第３のシャーシＢ１が追加される場合に、提供されるＢ１はＲ１及びＲ２を含む。Ｂ１が追加される場合に、Ａ１内のＳはＢ１内のＲ１に接続され得、Ａ２内のＳはＢ１内のＲ２に接続され得る。
【００８６】
Ａ１内の別のモジュールがデータを送受信するプロセス、Ａ２内の別のモジュールがデータを送受信するプロセス、及びＢ１内のモジュールがデータを送受信するプロセスについては、図８に示される実施形態の説明を参照されたい。
【００８７】
前述した説明から、図１０は、本願の一実施形態による、さらに別のデータ通信システムにおけるタイプＡサービスシャーシの構造の概略図１である。図１０に示されるように、各タイプＡサービスシャーシは、１つのＳと、ｍ−１個のＲとを含み、さらにｎ個のＸを含み、例えば、Ｓ、Ｒ１、Ｒ２、・・・、Ｒｍ−１、及びＸ１、Ｘ２、・・・、及びＸｎを含む。各Ｘは、シャーシ内相互接続インターフェイスを介してＳに接続される。各Ｘは、シャーシ内相互接続インターフェイスを介して各Ｒに接続される。Ｓは、シャーシ間相互接続インターフェイスを介して別のシャーシに接続される。各Ｒは、シャーシ間相互接続インターフェイスを介して別のシャーシに接続される。各Ｘは、サービスインターフェイスを介してデータ通信システムの外部にある別の装置に接続される。各シャーシ内の各Ｒは、シャーシの１／ｍのサービス帯域幅を搬送する。図１１は、本願の一実施形態による、さらに別のデータ通信システムにおけるタイプＡサービスシャーシの構造の概略図２である。図１０に示されるタイプＡサービスシャーシは、図１１に示される構造を得るために簡略化される。図１２は、本願の一実施形態による、さらに別のデータ通信システムにおけるタイプＢサービスシャーシの構造の概略図１である。図１２に示されるように、各タイプＢサービスシャーシは、ｍ個のＲを含み、ｔ個のＸをさらに含み、例えば、Ｒ１、Ｒ２、・・・、及びＲｍ、Ｘ１、Ｘ２、・・・、及びＸｔを含む。各Ｘは、シャーシ内相互接続インターフェイスを介して各Ｒに接続される。各Ｒは、シャーシ間相互接続インターフェイスを介して別のシャーシに接続される。各Ｘは、サービスインターフェイスを介してデータ通信システムの外部にある別の装置に接続される。各シャーシ内の各Ｒは、シャーシの１／ｍのサービス帯域幅を搬送する。図１３は、本願の一実施形態による、さらに別のデータ通信システムにおけるタイプＢサービスシャーシの構造の概略図２である。図１２に示されるタイプＡサービスシャーシは、図１３に示される構造を得るために簡略化される。ｎ、ｍ、及びｔは全て正の整数である。さらに、ｍはタイプＡサービスシャーシの総数も示す。タイプＡサービスシャーシの数量がｍの場合に、各タイプＡサービスシャーシ内のＲの数量はｍ−１であることが分かり得る。各タイプＢサービスシャーシ内のＲの数量はｍである。タイプＢサービスシャーシの合計数量は、タイプＡサービスシャーシの合計数量と同じでも異なっていてもよい。
【００８８】
図１４は、マルチシャーシ・クラスタデータ通信装置システムの容量拡張中の、本願の一実施形態による、さらに別のデータ通信システムにおける単一シャーシのシステムの構造の概略図である。図１４に示されるように、単一シャーシのシステムは、１つのタイプＡサービスシャーシＡ１のみを含む。Ａ１は、１つのＳと、１つのＲ１とを含む。次に、第１の容量拡張が実行される。図１５は、本願の一実施形態による、さらに別のデータ通信システムにおける２つのシャーシのバックツーバック・クラスタシステムの構造の概略図である。図１５に示されるように、２つのシャーシのバックツーバック・クラスタシステムは、２つのタイプＡサービスシャーシ、つまりＡ１及びＡ２を含む。Ａ１は、１つのＳと、１つのＲ１とを含む。Ａ２は、１つのＳと、１つのＲ１とを含む。Ａ１及びＡ２は均等に相互接続される。図１４にはＡ１が１つしかなく、Ａ１は別のシャーシに接続されていないので、図１４に示される単一シャーシのシステムが図１５に示される２つのシャーシのバックツーバック・クラスタシステムに拡張される場合、つまり、Ａ２が追加される場合に、Ａ１は新しいケーブルを介してＡ２に接続される。既存のケーブルは調整されない。従って、容量拡張プロセスは、タイプＡサービスシャーシＡ１で展開されるサービスに影響を与えず、図１４に示されるシステムは、図１５に示されるシステムにスムーズに拡張される。
【００８９】
次に、第２の容量拡張が実行される。図１６は、本願の一実施形態による、さらに別のデータ通信システムにおける３つのシャーシのクラスタシステムの構造の概略図である。図１６に示されるように、タイプＢサービスシャーシＢ１が、図１５に示されるシステムに追加される。Ｂ１は、新しいケーブルを介してＡ１及びＡ２に個別に接続される。既存のケーブルは調整されない。従って、容量拡張プロセスは、タイプＡサービスシャーシ（Ａ１及びＡ２）に展開されたサービス、又はタイプＡサービスシャーシの間（Ａ１とＡ２との間）に展開されるシャーシ間接続には影響を与えず、図１５に示されるシステムは、図１６に示されるシステムにスムーズに拡張される。
【００９０】
次に、第３の容量拡張が実行される。図１７は、本願の一実施形態による、さらに別のデータ通信システムにおける４つのシャーシのクラスタシステムの構造の概略図である。図１７に示されるように、タイプＢサービスシャーシＢ２が、図１６に示されるシステムに追加される。Ｂ２は、新しいケーブルを介してＡ１及びＡ２に個別に接続される。既存のケーブルは調整されない。従って、容量の拡張は、展開されたタイプＡサービスシャーシと展開されたタイプＢサービスシャーシとの両方のサービス、又は展開されたタイプＡサービスシャーシと展開されたタイプＢサービスシャーシとの間のシャーシ間接続に影響を与えず、図１６に示されるシステムは、図１７に示されるシステムにスムーズに拡張される。
【００９１】
容量拡張が続くときに、残りは類推によって推定され得る。図１８は、本願の一実施形態による、さらに別のデータ通信システムにおけるマルチシャーシ・クラスタシステムの構造の概略図である。第ｖのタイプＢサービスシャーシが追加されると、Ｂｖは新しいケーブルを介してＡ１及びＡ２に個別に接続される。新しいタイプＢサービスシャーシが継続的に追加されるときに、追加されるタイプＢサービスシャーシは、新しいケーブルを介してＡ１及びＡ２に個別に接続されることが分かり得る。既存のケーブルは調整されない。従って、容量の拡張は、展開されたタイプＡサービスシャーシと展開されたタイプＢサービスシャーシとの両方のサービス、又は展開されたタイプＡサービスシャーシと展開されたタイプＢサービスシャーシとの間のシャーシ間接続に影響を与えない。これにより、スムーズな容量拡張が実現される。表１に、ｍ＝２の（ｍ＋ｖ）シャーシクラスタシステムを構築する場合のＳ及びＲのパフォーマンス要件を列挙し、ここで、ｖは、表１に示されるように、タイプＢサービスシャーシの数量である。
【表１】
2021517782.tif 000003
【００９２】
表１から、タイプＢサービスシャーシの数量が徐々に増大するときに、より高いパフォーマンス要件がタイプＡサービスシャーシ内のＳに課されることが分かり得る。換言すると、サポートされるクラスタスケール（規模）は、タイプＡサービスシャーシ内のスイッチングモジュールＳのエンジニアリング実装能力に依存する。
【００９３】
前述した実施形態で提供されるデータ通信システムによれば、Ａ１、Ａ２、及びＢ１を含むデータ通信システムが提供される。中央スイッチングシャーシが除去され、タイプＡサービスシャーシ及びタイプＢサービスシャーシのみが展開される。従って、データ通信システムの設置面積が削減される。さらに、中央スイッチングシャーシが除去されているため、補助ハードウェア装置を追加する必要がなく、消費電力及びコストが削減される。Ａ１及びＡ２を含むデータ通信システムの容量拡張中に、システムに追加されるＢ１は、Ａ１とＡ２との間のケーブルを変更せずに、Ａ１及びＡ２に個別に接続することができる。これにより、容量の拡張が容易になり、それによってこの実施形態では、バックツーバック・クラスタシステムをマルチシャーシ・クラスタデータ通信システムにスムーズに拡張することができる。また、Ａ１、Ａ２、及びＢ１にはサービス転送モジュールがあり、それによってデータ通信システム内のシャーシは、サービス転送モジュールを使用することにより、データ通信システムの外部にある別の装置と通信することができる。Ａ１、Ａ２、及びＢ１は、Ｓ、Ｒ１等を使用することにより、データ通信システムでのデータ通信を完了することができる。
【００９４】
図１９は、本願の一実施形態による、さらに別のデータ通信システムの構造の概略図である。図７に示される実施形態に基づいて、図１９に示されるように、本願のこの実施形態で提供されるさらに別のデータ通信システムは、第５のシャーシをさらに含み、第５のシャーシは、第３の高パフォーマンス・スイッチングモジュール、第７の低パフォーマンス・スイッチングモジュール、及び第８の低パフォーマンス・スイッチングモジュールを含み、第１のシャーシは第９の低パフォーマンス・スイッチングモジュールをさらに含み、第２のシャーシは第１０の低パフォーマンス・スイッチングモジュールをさらに含み、
第３の高パフォーマンス・スイッチングモジュールは、第９の低パフォーマンス・スイッチングモジュール及び第１０の低パフォーマンス・スイッチングモジュールに接続され、第１の高パフォーマンス・スイッチングモジュールは第７の低パフォーマンス・スイッチングモジュールに接続され、第２の高パフォーマンス・スイッチングモジュールは、第８の低パフォーマンス・スイッチングモジュールに接続され、
第３の高パフォーマンス・スイッチングモジュールは、通信システムに追加される、第３のシャーシ内の第１１の低パフォーマンス・スイッチングモジュールに接続するように構成される。
【００９５】
オプションの実施態様では、第１の高パフォーマンス・スイッチングモジュールは、第２の低パフォーマンス・スイッチングモジュールから受信したデータを第７の低パフォーマンス・スイッチングモジュールに送信し、第７の低パフォーマンス・スイッチングモジュールから受信したデータを第２の低パフォーマンス・スイッチングモジュールに送信し、そして、第３のシャーシが通信システムに追加された後に、第３の低パフォーマンス・スイッチングモジュールから受信したデータを、第２の低パフォーマンス・スイッチングモジュール及び第７の低パフォーマンス・スイッチングモジュールのうちの１つに送信し、そして、第３のシャーシが通信システムに追加された後に、第２の低パフォーマンス・スイッチングモジュール及び第７の低パフォーマンス・スイッチングモジュールのうちの１つから受信したデータを、第３の低パフォーマンス・スイッチングモジュールに送信するように構成される。
【００９６】
例えば、データ通信システムには既にＡ１及びＡ２があり、Ａ１はＳ及びＲ１を含み、Ａ２はＳ及びＲ１を含む。Ａ１内のＳは、シャーシ間相互接続インターフェイスを介してＡ２内のＲ１に接続され、Ａ２内のＳは、別のシャーシ間相互接続インターフェイスを介してＡ１内のＲ１に接続される。次に、第５のシャーシＡ３は、データ通信システム内にさらに配置される。Ａ３はタイプＡサービスシャーシである。Ａ３は、第３の高パフォーマンス・スイッチングモジュールＲ１、第７の低パフォーマンス・スイッチングモジュールＲ２、及び第８の低パフォーマンス・スイッチングモジュールＲ３を含む。この場合に、データ通信システムには、それぞれＡ１、Ａ２、及びＡ３である３つのタイプＡサービスシャーシがある。各タイプＡサービスシャーシには、１つのＳと、２つのＲとがある。さらに、Ａ１は、第９の低パフォーマンス・スイッチングモジュールＲ２をさらに含み、Ａ２は、第１０の低パフォーマンス・スイッチングモジュールＲ２をさらに含むことが分かり得る。
【００９７】
従って、データ通信システムは、それぞれＡ１、Ａ２、及びＡ３である３つのタイプＡサービスシャーシを含む。各タイプＡサービスシャーシには、１つのＳと、２つのＲとがある。Ａ１内のＳは、シャーシ間相互接続インターフェイスを介してＡ２内のＲ１に接続される。Ａ１内のＳは、１つのシャーシ間相互接続インターフェイスを介してＡ３内のＲ１に接続される。Ａ２内のＳは、１つのシャーシ間相互接続インターフェイスを介してＡ１内のＲ１に接続される。Ａ２内のＳは、１つのシャーシ間相互接続インターフェイスを介してＡ３内のＲ２に接続される。Ａ３内のＳは、１つのシャーシ間相互接続インターフェイスを介してＡ１内のＲ２に接続される。Ａ３内のＳは、１つのシャーシ間相互接続インターフェイスを介してＡ２内のＲ２に接続される。
【００９８】
第１に、図７に示される実施形態における２つのタイプＡサービスシャーシを含むデータ通信システム、及び図１９の３つのタイプＡサービスシャーシを含むデータ通信システムに基づいて、各タイプＡサービスシャーシ内のＳは他のタイプＡサービスシャーシ内のＲに均等に接続され、各タイプＡサービスシャーシ内のＲは他のタイプＡサービスシャーシ内のＳに均等に接続されることが分かり得る。図２０は、本願の一実施形態による、さらに別のデータ通信システムにおけるタイプＡサービスシャーシの接続関係の図である。図２０のタイプＡサービスシャーシは、図１１の表現方法である。図２０に示されるように、ｍ個のタイプＡサービスシャーシが配置され、ここで、ｍは２以上である。各タイプＡサービスシャーシ内のＳは、シャーシ間相互接続インターフェイスを介して他のタイプＡサービスシャーシ内のＲに均等に接続される。１つのクロスコネクトプレーンは、１つのタイプＡサービスシャーシ内のＳと、タイプＡサービスシャーシ内のＳに接続される他のタイプＡサービスシャーシ内のＲとによって構築される。従って、合計ｍ個のクロスコネクトプレーンがｍ個のタイプＡサービスシャーシによって構築される。ｍ個のクロスコネクトプレーンは互いに独立しており、負荷分散モードで動作して、全てのシャーシ間データ交換を担う。また、各クロスコネクトプレーンの内部接続は、複数のＲから１つのＳへのスター接続方式であり、これは、前述したスイッチングネットワーククラスタシステムで使用されるスイッチングモジュールのメッシュ接続方式とは全く異なる。
【００９９】
表２は、ｍ個のタイプＡサービスシャーシによって構築されたｍ個のクロスコネクトプレーンの接続方法を示している。表２に示されるように、ｍ個のタイプＡサービスシャーシが図２０に示される解決策に基づいて相互接続された後に、ｍ個のクロスコネクトプレーンが構築され、各クロスコネクトプレーンの接続ステータスが表２に示されている。表２の各行は、１つのクロスコネクトプレーンに含まれる各タイプＡサービスシャーシ内のＲ又はＳを表す。例えば、クロスコネクトプレーン１は、タイプＡサービスシャーシＡ１内のＳ、タイプＡサービスシャーシＡ２内のＲ１、タイプＡサービスシャーシＡ３内のＲ１、・・・、タイプＡサービスシャーシＡｍ−１内のＲ１、及びタイプＡサービスシャーシＡｍ内のＲ１によって構築される。
【表２】
2021517782.tif 000004
【０１００】
図２０から、ＲはタイプＡサービスシャーシ内のＳにのみ接続されることを確認することができる。従って、Ｒのシャーシ間相互接続インターフェイスのデータネット（data  net）帯域幅がＲのシャーシ内相互接続インターフェイスのデータネット帯域幅以上である限り、Ｒはラインレートで動作できる。ただし、タイプＡサービスシャーシ内のＳは、他の各サービスシャーシ内の１つのＲに接続される。従って、Ｓのシャーシ間相互接続インターフェイスのデータネット帯域幅要件は、マルチシャーシ・クラスタシステムにおけるシャーシの総量に関連している。マルチシャーシ・クラスタシステムでは、Ｓのシャーシ間相互接続インターフェイスのデータネット帯域幅は、Ｓのシャーシ内相互接続インターフェイスのデータネット帯域幅の数倍である。図２０に示されるように、マルチシャーシ・クラスタシステムに同じパフォーマンスのｍ個のタイプＡサービスシャーシしかない場合に、各Ｓのシャーシ間相互接続インターフェイスによって提供される帯域幅は、Ｓのシャーシ内相互接続インターフェイスの帯域幅のｍ−１倍である。
【０１０１】
図１９に示されるように、データ通信システムは、それぞれＡ１、Ａ２、及びＡ３である３つのタイプＡサービスシャーシを含む。データ通信システムに追加されるシャーシは、タイプＢサービスシャーシＢ１である。
【０１０２】
Ａ１内のＳは、シャーシ内相互接続インターフェイスを介して、Ａ１内のＸによって送信されたデータを受信することができる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先がＡ２であると判定した場合に、Ａ１内のＳは、シャーシ間相互接続インターフェイスを介してデータをＡ２内のＲ１に送信する。Ａ１内のＳが、データの宛先がＡ３であると判定した場合に、Ａ１内のＳは、シャーシ間相互接続インターフェイスを介してデータをＡ３内のＲ１に送信する。Ａ１内のＳは、シャーシ間相互接続インターフェイスを介して、Ａ２内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは宛先シャーシを識別し得、Ａ１内のＳは、シャーシ間相互接続インターフェイスを介してデータを宛先シャーシに送信する。例えば、Ａ１内のＳが、データの宛先がＡ３であると判定した場合に、Ａ１内のＳは、シャーシ間相互接続インターフェイスを介してデータをＡ３内のＲ１に送信する。Ａ１内のＳは、シャーシ間相互接続インターフェイスを介して、Ａ３内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは宛先シャーシを識別し得、Ａ１内のＳは、シャーシ間相互接続インターフェイスを介してデータを宛先シャーシに送信する。例えば、Ａ１内のＳが、データの宛先がＡ２であると判定した場合に、Ａ１内のＳは、シャーシ間相互接続インターフェイスを介してデータをＡ２内のＲ１に送信する。
【０１０３】
Ａ２内のＳがデータを送受信するプロセスについては、Ａ１内のＳがデータを送受信するプロセスを参照されたい。
【０１０４】
タイプＢサービスシャーシが、Ａ１、Ａ２、及びＡ３を含むデータ通信システムに追加される場合、例えば、第３のシャーシＢ１が追加される場合に、提供されるＢ１は、第３の低パフォーマンス・スイッチングモジュールＲ１、第４の低パフォーマンス・スイッチングモジュールＲ２、及び第１１の低パフォーマンス・スイッチングモジュールＲ３を含む。Ｂ１が追加される場合に、Ａ１内のＳはＢ１内のＲ１に接続され得、Ａ２内のＳはＢ１内のＲ２に接続され得、Ａ３内のＳはＢ１内のＲ３に接続され得る。
【０１０５】
Ａ１内のＳは、シャーシ間相互接続インターフェイスを介して、Ｂ２内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＡ２であると判定した場合に、Ａ１内のＳは、シャーシ間相互接続インターフェイスを介してデータをＡ２内のＲ１に送信する、又は、Ａ１内のＳが、データの宛先がＡ３であると判定した場合に、Ａ１内のＳは、シャーシ間相互接続インターフェイスを介してデータをＡ３内のＲ１に送信する。Ａ１内のＳは、シャーシ間相互接続インターフェイスを介して、Ａ２内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＢ２であると判定した場合に、Ａ１内のＳは、シャーシ間相互接続インターフェイスを介してデータをＢ２内のＲ１に送信する、又は、Ａ１内のＳが、データの宛先がＡ３であると判定した場合に、Ａ１内のＳは、シャーシ間相互接続インターフェイスを介してデータをＡ３内のＲ１に送信する。Ａ１内のＳは、シャーシ間相互接続インターフェイスを介して、Ａ３内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＢ２であると判定した場合に、Ａ１内のＳは、シャーシ間相互接続インターフェイスを介してデータをＢ２内のＲ１に送信する、又は、Ａ１内のＳが、データの宛先がＡ２であると判定した場合に、Ａ１内のＳは、シャーシ間相互接続インターフェイスを介してデータをＡ２内のＲ１に送信する。
【０１０６】
Ａ２内のＳがデータを送受信するプロセスについては、Ａ１内のＳがデータを送受信するプロセスを参照されたい。
【０１０７】
Ａ１内の別のモジュールがデータを送受信するプロセス、Ａ２内の別のモジュールがデータを送受信するプロセス、及びＢ１内のモジュールがデータを送受信するプロセスについては、図８に示される実施形態の説明を参照されたい。
【０１０８】
前述した実施形態で提供されるデータ通信システムによれば、Ａ１、Ａ２、及びＡ３を含むデータ通信システムが提供される。中央スイッチングシャーシが除去され、タイプＡサービスシャーシ及びタイプＢサービスシャーシのみが展開される。従って、データ通信システムの設置面積が削減される。さらに、中央スイッチングシャーシが除去されているため、補助ハードウェア装置を追加する必要がなく、消費電力及びコストが削減される。タイプＡサービスシャーシを含むデータ通信システムの容量拡張中に、システムに追加されるＢ１は、タイプＡサービスシャーシ同士の間のケーブルを変更せずに、タイプＡサービスシャーシに個別に接続することができる。これにより、容量拡張が容易になり、スムーズな容量拡張が実現される。また、Ａ１、Ａ２、Ａ３、及びＢ１にはサービス転送モジュールがあり、それによってデータ通信システム内のシャーシは、サービス転送モジュールを使用することにより、データ通信システムの外部にある別の装置と通信することができる。Ａ１、Ａ２、Ａ３、及びＢ１は、Ｓ、Ｒ１等を使用することにより、データ通信システムでのデータ通信を完了することができる。
【０１０９】
図２１は、本願の一実施形態による別のデータ通信システムの構造の概略図である。図１９に示される実施形態に基づいて、図２１に示されるように、本願のこの実施形態で提供される別のデータ通信システムでは、データ通信システムは、第６のシャーシをさらに含み、第６のシャーシは、第１２の低パフォーマンス・スイッチングモジュール、第１３の低パフォーマンス・スイッチングモジュール、及び第１４の低パフォーマンス・スイッチングモジュールを含む。
【０１１０】
第１２の低パフォーマンス・スイッチングモジュールは第１の高パフォーマンス・スイッチングモジュールに接続され、第１３の低パフォーマンス・スイッチングモジュールは第２の高パフォーマンス・スイッチングモジュールに接続され、第１４の低パフォーマンス・スイッチングモジュールは第３の高パフォーマンス・スイッチングモジュールに接続される。
【０１１１】
オプションの実施態様では、第１の高パフォーマンス・スイッチングモジュールは、第１２の低パフォーマンス・スイッチングモジュールから受信したデータを、第２の低パフォーマンス・スイッチングモジュール及び第７の低パフォーマンス・スイッチングモジュールのうちの１つに送信し、第２の低パフォーマンス・スイッチングモジュール及び第７の低パフォーマンス・スイッチングモジュールのうちの１つから受信したデータを、第１２の低パフォーマンス・スイッチングモジュールに送信するように構成される。
【０１１２】
例えば、データ通信システムには既にＡ１、Ａ２、及びＡ３がある。第６のシャーシＢ３は、データ通信システム内にさらに配置される。Ｂ３は、第１２の低パフォーマンス・スイッチングモジュールＲ１、第１３の低パフォーマンス・スイッチングモジュールＲ２、及び第１４の低パフォーマンス・スイッチングモジュールＲ３を含む。Ａ１内のＳは、Ｂ３内のＲ１に接続され得る。Ａ２内のＳはＢ３内のＲ２に接続される。Ａ３内のＳは、Ｂ３内のＲ３に接続される。Ａ１、Ａ２、及びＡ３の間の接続関係については、図１９に示される実施形態を参照されたい。
【０１１３】
この場合に、データ通信システムは、それぞれＡ１及びＡ２である３つのタイプＡサービスシャーシを既に有しており、データ通信システムは、タイプＢサービスシャーシＢ３も有する。次に、データ通信システムに追加されるシャーシは、タイプＢサービスシャーシＢ１である。
【０１１４】
Ａ１内のＳは、シャーシ内相互接続インターフェイスを介して、Ａ１内のＸによって送信されたデータを受信することができる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先がＡ２であると判定した場合に、Ａ１内のＳは、シャーシ間相互接続インターフェイスを介してデータをＡ２内のＲ１に送信する。Ａ１内のＳが、データの宛先がＡ３であると判定した場合に、Ａ１内のＳは、シャーシ間相互接続インターフェイスを介してデータをＡ３内のＲ１に送信する。Ａ１内のＳが、データの宛先がＢ３であると判定した場合に、Ａ１内のＳは、シャーシ間相互接続インターフェイスを介してデータをＢ３内のＲ１に送信する。Ａ１内のＳは、シャーシ間相互接続インターフェイスを介して、Ｂ３内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＡ２であると判定した場合に、Ａ１内のＳは、シャーシ間相互接続インターフェイスを介してデータをＡ２内のＲ１に送信する、又は、Ａ１内のＳが、データの宛先がＡ３であると判定した場合に、Ａ１内のＳは、シャーシ間相互接続インターフェイスを介してデータをＡ３内のＲ１に送信する。Ａ１内のＳは、シャーシ間相互接続インターフェイスを介して、Ａ２内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＢ３であると判定した場合に、Ａ１内のＳは、シャーシ間相互接続インターフェイスを介してデータをＢ３内のＲ１に送信する、又は、Ａ１内のＳが、データの宛先がＡ３であると判定した場合に、Ａ１内のＳは、シャーシ間相互接続インターフェイスを介してデータをＡ３内のＲ１に送信する。Ａ１内のＳは、シャーシ間相互接続インターフェイスを介して、Ａ３内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＢ３であると判定した場合に、Ａ１内のＳは、シャーシ間相互接続インターフェイスを介してデータをＢ３内のＲ１に送信する、又は、Ａ１内のＳが、データの宛先がＡ２であると判定した場合に、Ａ１内のＳは、シャーシ間相互接続インターフェイスを介してデータをＡ２内のＲ１に送信する。
【０１１５】
Ａ２内のＳがデータを送受信するプロセスについては、Ａ１内のＳがデータを送受信するプロセスを参照されたい。
【０１１６】
タイプＢサービスシャーシが、Ａ１、Ａ２、Ａ３、及びＢ３を含むデータ通信システムに追加される場合、例えば、第３のシャーシＢ１が追加される場合に、提供されるＢ１は、１つのＲ１と、１つのＲ２と、１つのＲ３とを含む。Ｂ１が追加される場合に、Ａ１内のＳはＢ１内のＲ１に接続され得、Ａ２内のＳはＢ１内のＲ２に接続され得、Ａ３内のＳはＢ１内のＲ３に接続され得る。
【０１１７】
Ａ１内のＳがデータを送受信するプロセス、及びＡ２内のＳがデータを送受信するプロセスについては、図１９に示される実施形態の説明を参照されたい。また、Ａ１内の別のモジュールがデータを送受信するプロセス、Ａ２内の別のモジュールがデータを送受信するプロセス、Ａ３内の別のモジュールがデータを送受信するプロセス、及びＢ１内のモジュールがデータを送受信するプロセスについては、図８に示される実施形態の説明を参照されたい。
【０１１８】
前述した実施形態で提供されるデータ通信システムによれば、Ａ１、Ａ２、Ａ３、及びＢ３を含むデータ通信システムが提供される。中央スイッチングシャーシが除去される。タイプＢサービスシャーシが追加されるときに、タイプＡサービスシャーシ及びタイプＢサービスシャーシのみが展開される。従って、データ通信システムの設置面積が削減される。さらに、中央スイッチングシャーシが除去されているため、補助ハードウェア装置を追加する必要がなく、消費電力及びコストが削減される。複数のタイプＡサービスシャーシと少なくとも１つのタイプＢサービスシャーシとを含むデータ通信システムの容量拡張中に、システムに追加されるＢ１は、タイプＡサービスシャーシ同士の間のケーブル及びインターフェイス、又は展開されたタイプＢサービスシャーシと各タイプＡサービスシャーシとの間のケーブル及びインターフェイスを変更せずに、タイプＡサービスシャーシに個別に接続することができる。これにより、容量拡張が容易になり、スムーズな容量拡張が実現される。また、Ａ１、Ａ２、Ａ３、Ｂ３、及びＢ１にはサービス転送モジュールがあり、それによってデータ通信システム内のシャーシは、サービス転送モジュールを使用することにより、データ通信システムの外部にある別の装置と通信することができる。Ａ１、Ａ２、Ａ３、Ｂ３、及びＢ１は、Ｓ、Ｒ１等を使用することにより、データ通信システムでのデータ通信を完了することができる。
【０１１９】
図２２は、本願の一実施形態による、さらに別のデータ通信システムの構造の概略図１である。図２３は、本願の一実施形態による、さらに別のデータ通信システムの構造の概略図２である。図１９に示される実施形態に基づいて、図２２及び図２３に示されるように、本願のこの実施形態で提供されるさらに別のデータ通信システムは、ｍ個のタイプＡサービスシャーシと、ｖ個のタイプＢサービスシャーシとを含む。各タイプＡサービスシャーシは、１つのＳと、ｍ−１個のＲとを含み、各タイプＢサービスシャーシはｍ個のＲを含み、ここで、ｍ及びｖは正の整数である。
【０１２０】
例えば、図１９〜図２１の説明から、データ通信システムがｍ個のタイプＡサービスシャーシ及びｖ個のタイプＢサービスシャーシを含む場合に、図１９〜図２１の接続方法を参照して、タイプＢサービスシャーシ内のＲとタイプＡサービスシャーシ内のＲとがクロスコネクトされることが分かり得る。具体的には、タイプＢサービスシャーシ内のＲは、全てのタイプＡサービスシャーシ内のＳに均等に接続される。各タイプＢサービスシャーシはｍ個のＲを含む。各Ｒは、タイプＢサービスシャーシの１／ｍの内部データ交換タスクを実行する。各Ｒは、シャーシ間相互接続インターフェイスを介してローカルシャーシのデータを送信することができる。各Ｒは、シャーシ間相互接続インターフェイスを介して別のシャーシからデータを受信することができる。各タイプＢサービスシャーシ内のｍ個のＲは、ｍ個のタイプＡサービスシャーシ内のＳに順番に接続され、それによってタイプＢサービスシャーシのシャーシ間データ交換は、タイプＡサービスシャーシ内のＳで完了する。タイプＡサービスシャーシが展開された後にタイプＢサービスシャーシがシステムに追加されるときに、追加されるタイプＢサービスシャーシはタイプＡサービスシャーシに個別に接続される。展開されたタイプＡサービスシャーシと展開されたタイプＢサービスシャーシとの両方でサービスを変更したり、又は展開されたタイプＡサービスシャーシと展開されたタイプＢサービスシャーシとの間のシャーシ間接続を変更したりする必要はない。従って、スムーズな容量拡張が実現される。
【０１２１】
図２２に示されるように、ｍ個のタイプＡサービスシャーシ及びｖ個のタイプＢサービスシャーシによって構築された（ｍ＋ｖ）個のシャーシクラスタシステムは、依然としてｍ個のクロスコネクトプレーンを維持する。ｍ個のクロスコネクトプレーンにおけるそれぞれの構成を表３に示す。
【表３】
2021517782.tif 000005
【０１２２】
図２１に示される実施形態では、表２及び表３から、クラスタシステムがタイプＡサービスシャーシのみを含む場合でも、又はタイプＡサービスシャーシとタイプＢサービスシャーシとの両方を含む場合でも、クラスタシステムの各クロスコネクトプレーンのコアモジュールは、タイプＡサービスシャーシ内のＳであると分かり得る。Ｓは、全てのサービスシャーシのシャーシ間データ交換タスクをクロスコネクトプレーン上で実行する。従って、Ｓのエンジニアリング実装能力は、クラスタシステムの構築スケールに直接影響を与える。表４に、ｍ個のタイプＡサービスシャーシ及びｖ個のタイプＢサービスシャーシのコンポーネントを含む、クラスタシステムのＳ及びＲのパフォーマンス要件を列挙する。表４に示されるように、単一シャーシはシャーシを指し、単一シャーシのサービスパフォーマンスは、サービススイッチングモジュールのパフォーマンスにサービススイッチングモジュールの数を掛けて得られた値を示す。
【表４】
2021517782.tif 000006
【０１２３】
表４から、クラスタシステムにおけるＳ及びＲのパフォーマンス要件は、単一シャーシのサービスパフォーマンス及びシャーシの総数に関連していることが分かり得る。
【０１２４】
さらに、タイプＡサービスシャーシ及びタイプＢサービスシャーシには、サービス転送モジュールがある。前述した実施形態におけるサービス転送モジュールの説明を参照されたい。さらに、データ通信システム内のシャーシは、サービス転送モジュールを使用することにより、データ通信システムの外部にある別の装置と通信することができる。タイプＡサービスシャーシ及びタイプＢサービスシャーシは、Ｓ、Ｒ１等を使用することにより、データ通信システムでのデータ通信を完了することができる。
【０１２５】
前述した実施形態で提供されるデータ通信システムによれば、ｍ個のタイプＡサービスシャーシ及びｖ個のタイプＢサービスシャーシを含むデータ通信システムが提供される。中央スイッチングシャーシが除去される。タイプＢサービスシャーシが追加されるときに、タイプＡサービスシャーシ及びタイプＢサービスシャーシのみが展開される。従って、データ通信システムの設置面積が削減される。さらに、中央スイッチングシャーシが除去されているため、補助ハードウェア装置を追加する必要がなく、消費電力及びコストが削減される。タイプＡサービスシャーシが展開された後にタイプＢサービスシャーシがシステムに追加されるときに、追加されるタイプＢサービスシャーシのみがタイプＡサービスシャーシに個別に接続される。展開されたタイプＡサービスシャーシと展開されたタイプＢサービスシャーシとの両方でサービスを変更したり、又は展開されたタイプＡサービスシャーシと展開されたタイプＢサービスシャーシとの間のシャーシ間接続を変更したりする必要はない。従って、スムーズな容量拡張を実現できる。
【０１２６】
第１に、本願の実施形態では、「第３のタイプのシャーシ」は、略して「タイプＣのサービスシャーシ」と呼ばれる。「第４のタイプのシャーシ」は、略して「タイプＤサービスシャーシ」と呼ばれる。「高パフォーマンス・スイッチングモジュール」は、略して「Ｓ」と呼ばれる。「低パフォーマンス・スイッチングモジュール」は、略して「Ｒ」と呼ばれる。「サービス転送モジュール」は、略して「Ｘ」と呼ばれる。タイプＣサービスシャーシはＳを含む。タイプＤサービスシャーシはＲを含む。
【０１２７】
図２４は、本願の一実施形態による、別のデータ通信システムの構造の概略図１である。図２４に示されるように、本願のこの実施形態で提供される別のデータ通信システムは、第１のシャーシ及び第２のシャーシを含み、
第１のシャーシは、第１の高パフォーマンス・スイッチングモジュール、第１のサービス転送モジュール、及び第２のサービス転送モジュールを含み、第１のサービス転送モジュール及び第２のサービス転送モジュールは、データ通信システムの外部にある装置と通信するように構成され、
第２のシャーシは、第１の低パフォーマンス・スイッチングモジュールを含み、
第１の高パフォーマンス・スイッチングモジュールは、第１の低パフォーマンス・スイッチングモジュールに接続され、
第１の高パフォーマンス・スイッチングモジュールは、第１のサービス転送モジュールから受信したデータを第１の低パフォーマンス・スイッチングモジュールに送信し、第１の低パフォーマンス・スイッチングモジュールから受信したデータを第２のサービス転送モジュールに送信するように構成され、
第１の高パフォーマンス・スイッチングモジュールは、通信システムに追加される、第３のシャーシ内の第２の低パフォーマンス・スイッチングモジュールに接続するようにさらに構成される。オプションで、第１のサービス転送モジュール及び第２のサービス転送モジュールは、同じモジュールにすることができる。
【０１２８】
オプションの実施態様では、第１の高パフォーマンス・スイッチングモジュールは、第３のシャーシが通信システムに追加された後に、第２の低パフォーマンス・スイッチングモジュールから受信したデータを、第１の低パフォーマンス・スイッチングモジュール、第１のサービス転送モジュール、及び第２のサービス転送モジュールのうちの１つに送信し、そして、第３のシャーシが通信システムに追加された後に、第１の低パフォーマンス・スイッチングモジュール、第１のサービス転送モジュール、及び第２のサービス転送モジュールのうちの１つから受信したデータを、第２の低パフォーマンス・スイッチングモジュールに送信するようにさらに構成される。
【０１２９】
例えば、シャーシは、第３のタイプのシャーシ及び第４のタイプのシャーシに分類される。換言すると、シャーシは、タイプＣサービスシャーシ及びタイプＤサービスシャーシに分類される。
【０１３０】
データ通信システムは、第１のシャーシＣ１及び第２のシャーシＤ１を含む。図２５は、本願の一実施形態による、別のデータ通信システムにおける第１のシャーシの構造の概略図１である。図２５に示されるように、第１のシャーシＣ１は、第１の高パフォーマンス・スイッチングモジュールＳを含む。オプションで、第１のシャーシＣ１は、ｎ個のサービス転送モジュールＸをさらに含み、例えば、Ｘ１、Ｘ２、・・・、及びＸｎを含み、ここで、ｎは１以上の正の整数である。例えば、第１のシャーシＣ１は、第１のサービス転送モジュールＸ１及び第２のサービス転送モジュールＸ２を含む。図２５に示されるように、Ｃ１内の各Ｘは、Ｃ１内のＳに接続される。具体的には、Ｃ１内のＸ１及びＣ１内のＸ２はそれぞれＣ１内のＳに接続される。図２６は、本願の一実施形態による、別のデータ通信システムにおける第１のシャーシの構造の概略図２である。図２６に示されるように、図２５に示されるＣ１は、図２６に示される構造を得るために、簡略化され得る。
【０１３１】
図２７は、本願の一実施形態による、別のデータ通信システムにおける第２のシャーシの構造の概略図１である。図２７に示されるように、第２のシャーシＤ１は、第１の低パフォーマンス・スイッチングモジュールＲを含む。オプションで、第１のシャーシＣ１は、ｔ個のサービス転送モジュールＸをさらに含み、例えば、Ｘ１、Ｘ２、・・・、及びＸｔを含み、ここで、ｔは１以上の正の整数である。図２７に示されるように、Ｄ１内の各Ｘは、Ｄ１内のＲに接続される。図２８は、本願の一実施形態による、別のデータ通信システムにおける第２のシャーシの構造の概略図２である。図２８に示されるように、図２７に示されるＤ１は、図２８に示される構造を得るために、簡略化され得る。
【０１３２】
図２４に示されるように、Ｃ１内のＳは、シャーシ間相互接続インターフェイスを介してＤ１内のＲに接続される。図２９は、本願の一実施形態による、別のデータ通信システムの構造の概略図２である。図２６及び図２８に示される構造に基づいて、図２４に示される構造は、図２９に示される構造を得るために、簡略化され得る。
【０１３３】
この場合に、データ通信システムには、それぞれＣ１及びＤ１であるタイプＣサービスシャーシ及びタイプＤサービスシャーシが既にある。次に、データ通信システムに追加される第３のシャーシは、タイプＤサービスシャーシＤ２である。
【０１３４】
Ｃ１内のＸは、データ通信システムの外部にある別の装置と通信し、さらに、データ通信システムの外部にある別の装置とのデータの送受信を実行することができる。同様に、Ｄ１内のＸは、データ通信システムの外部にある別の装置と通信し、さらに、データ通信システムの外部にある別の装置とのデータの送受信を実行することができる。
【０１３５】
Ｃ１内のＳは、シャーシ内相互接続インターフェイスを介して、Ｃ１内のＸによって送信されたデータを受信することができ、例えば、Ｃ１内のＸ１又はＣ１内のＸ２によって送信されたデータを受信する。次に、Ｃ１内のＳは、データの宛先がＣ１であるか又は別のシャーシであるかを判定する。Ｃ１内のＳが、データの宛先がＣ１であると判定した場合に、Ｃ１内のＳは、シャーシ内相互接続インターフェイスを介してデータをＣ１内のＸに送信する。Ｃ１内のＳが、データの宛先がＤ１であると判定した場合に、Ｃ１内のＳは、シャーシ間相互接続インターフェイスを介してデータをＤ１内のＲに送信する。Ｃ１内のＳは、シャーシ間相互接続インターフェイスを介して、Ｄ１内のＲによって送信されたデータを受信することもできる。次に、Ｃ１内のＳは、データの宛先がＣ１であるか又は別のシャーシであるかを判定する。Ｃ１内のＳが、データの宛先がＣ１であると判定した場合に、Ｃ１内のＳは、シャーシ内相互接続インターフェイスを介してデータをＣ１内のＸに送信し、例えばＣ１内のＸ１又はＣ１内のＸ２に送信する。Ｃ１内のＳが、データの宛先が別のシャーシであると判定した場合に、Ｃ１内のＳは宛先シャーシを識別し得、Ｃ１内のＳは、シャーシ間相互接続インターフェイスを介してデータを宛先シャーシに送信する。Ｃ１及びＤ１しかない場合に、Ｃ１内のＳが、データの宛先がＤ１であると判定した場合に、Ｃ１内のＳは、シャーシ間相互接続インターフェイスを介してデータをＤ１内のＲに送信する。
【０１３６】
タイプＤサービスシャーシが、Ｃ１及びＤ１を含むデータ通信システムに追加される場合、例えば、第３のシャーシＤ２が追加される場合に、提供されるＤ１は、１つのＲと、少なくとも１つのＸとを含み、Ｄ２の構造はＤ１のそれと同じである。Ｄ２が追加される場合に、Ｃ１内のＳはＤ２内のＲに接続され得る。
【０１３７】
Ｃ１内のＳは、シャーシ内相互接続インターフェイスを介して、Ｃ１内のＸによって送信されたデータを受信することができ、例えば、Ｃ１内のＸ１又はＣ１内のＸ２によって送信されたデータを受信する。次に、Ｃ１内のＳは、データの宛先がＣ１であるか又は別のシャーシであるかを判定する。Ｃ１内のＳが、データの宛先がＣ１であると判定した場合に、Ｃ１内のＳは、シャーシ内相互接続インターフェイスを介してデータをＣ１内のＸに送信する。Ｃ１内のＳが、データの宛先が別のシャーシであると判定した場合に、Ｃ１内のＳは宛先シャーシを識別し得、次に、Ｃ１内のＳは、シャーシ間相互接続インターフェイスを介してデータを宛先シャーシに送信する。例えば、Ｃ１内のＳが、データの宛先がＤ１であると判定した場合に、Ｃ１内のＳは、シャーシ間相互接続インターフェイスを介してデータをＤ１内のＲに送信する。Ｃ１内のＳが、データの宛先がＤ２であると判定した場合に、Ｃ１内のＳは、シャーシ間相互接続インターフェイスを介してデータをＤ２内のＲに送信する。Ｃ１内のＳは、シャーシ間相互接続インターフェイスを介して、Ｄ１内のＲによって送信されたデータを受信することもできる。次に、Ｃ１内のＳは、データの宛先がＣ１であるか又は別のシャーシであるかを判定する。Ｃ１内のＳが、データの宛先がＣ１であると判定した場合に、Ｃ１内のＳは、シャーシ内相互接続インターフェイスを介してデータをＣ１内のＸに送信し、例えば、Ｃ１内のＸ１又はＣ１内のＸ２に送信する。Ｃ１内のＳが、データの宛先が別のシャーシであると判定した場合に、Ｃ１内のＳは宛先シャーシを識別し得、Ｃ１内のＳは、シャーシ間相互接続インターフェイスを介してデータを宛先シャーシに送信する。この場合に、Ｄ２が追加される。Ｃ１内のＳが、データの宛先がＤ２であると判定した場合に、Ｃ１内のＳは、シャーシ間相互接続インターフェイスを介してデータをＤ２内のＲに送信する。Ｃ１内のＳは、シャーシ間相互接続インターフェイスを介して、Ｄ２内のＲによって送信されたデータを受信することもできる。次に、Ｃ１内のＳは、データの宛先がＣ１であるか又は別のシャーシであるかを判定する。Ｃ１内のＳが、データの宛先がＣ１であると判定した場合に、Ｃ１内のＳは、シャーシ内相互接続インターフェイスを介してデータをＣ１内のＸに送信し、例えば、Ｃ１内のＸ１又はＣ１内のＸ２に送信する。Ｃ１内のＳが、データの宛先が別のシャーシであると判定した場合に、Ｃ１内のＳは宛先シャーシを識別し得、Ｃ１内のＳは、シャーシ間相互接続インターフェイスを介してデータを宛先シャーシに送信する。例えば、Ｃ１内のＳは、データの宛先がＤ１であると判定し、Ｃ１内のＳは、シャーシ間相互接続インターフェイスを介してデータをＤ１内のＲに送信する。
【０１３８】
図３０は、マルチシャーシ・クラスタデータ通信装置システムの容量拡張中の、本願の一実施形態による、別のデータ通信システムにおける単一シャーシのシステムの構造の概略図である。図３０に示されるように、単一シャーシのシステムは、１つのタイプＣサービスシャーシＣ１のみを含む。Ｃ１は１つのＳを含む。次に、第１の容量拡張が実行される。図３１は、本願の一実施形態による、別のデータ通信システムにおける２つのシャーシのバックツーバック・クラスタシステムの構造の概略図である。図３１に示されるように、２つのシャーシのバックツーバック・クラスタシステムは、１つのタイプＣサービスシャーシＣ１及び１つのタイプＤサービスシャーシＤ１を含む。Ｃ１は１つのＳを含み、Ｄ１は１つのＲを含む。Ｃ１内のＳはＤ１内のＲに接続される。図３０にはＣ１が１つしかなく、Ｃ１は別のシャーシに接続されていないので、図３０に示される単一シャーシのシステムが図３１に示される２つのシャーシのバックツーバック・クラスタシステムに拡張される場合、つまり、Ｄ１が追加される場合に、Ｄ１は新しいケーブルを介してＣ１に接続される。既存のケーブルは調整されない。従って、容量拡張プロセスは、タイプＣサービスシャーシＣ１で展開されるサービスに影響を与えず、図３０に示されるシステムは、図３１に示されるシステムにスムーズに拡張される。
【０１３９】
次に、第２の容量拡張が実行される。図３２は、本願の一実施形態による、別のデータ通信システムにおける３つのシャーシのクラスタシステムの構造の概略図である。図３２に示されるように、タイプＤサービスシャーシＤ２が、図３１に示されるシステムに追加される。Ｃ１は新しいケーブルを介してＤ２に接続される。既存のケーブルは調整されない。従って、容量拡張プロセスは、タイプＣサービスシャーシＣ１とタイプＤサービスシャーシＤ１との両方で展開されたサービス、又はＣ１とＤ１との間に展開されたシャーシ間接続に影響を与えず、図３１に示されるシステムは、図３２に示すシステムにスムーズに拡張される。
【０１４０】
容量拡張が続くときに、残りは類推によって推定され得る。図３３は、本願の一実施形態による、別のデータ通信システムにおけるマルチシャーシ・クラスタシステムの構造の概略図である。第ｖのタイプＤサービスシャーシが追加される場合に、Ｄｖ内のＲが新しいケーブルを介してＣ１内のＳに接続され、ここで、ｖは１以上の正の整数である。新しいタイプＤサービスシャーシが継続的に追加されるときに、追加されるタイプＤサービスシャーシは、新しいケーブルを介してＣ１に接続されることが分かり得る。既存のケーブルは調整されない。従って、１つのタイプＤサービスシャーシを追加しても、展開されたサービスシャーシ及びシャーシ間接続に影響は与えず、容量拡張は、展開されたタイプＣサービスシャーシとタイプＣサービスシャーシの両方のサービスに影響を与えず、又は、タイプＣサービスシャーシとタイプＣサービスシャーシとの間のシャーシ間接続に影響を与えない。これにより、スムーズな容量拡張が実現される。
【０１４１】
前述した容量拡張プロセスでは、各タイプＤサービスシャーシがタイプＣサービスシャーシにのみ接続されており、タイプＤサービスシャーシ同士の間に直接接続がないため、タイプＣサービスシャーシとタイプＣサービスシャーシ内のＳとが展開された後に、タイプＤサービスシャーシが再度追加されることが分かり得る。展開されたタイプＣサービスシャーシのサービス及び展開されたタイプＤサービスシャーシのサービスは、影響を受けない。展開されたタイプＣサービスシャーシと展開されたタイプＤサービスシャーシとの間のシャーシ間相互接続は影響を受けない。従って、スムーズな容量拡張をシャーシ毎に実現できる。
【０１４２】
図３３に示されるマルチシャーシ・クラスタシステムには、１つのタイプＣサービスシャーシとｖ個のタイプＤサービスシャーシとがある。次に、１つの（１＋ｖ）シャーシクラスタシステムは、タイプＣサービスシャーシ及びｖ個のタイプＤサービスシャーシによって構築することができる。（１＋ｖ）シャーシクラスタシステムには、論理的に１つのクロスコネクトプレーンしかない。クロスコネクトプレーンの構成を表５に示す。
【表５】
2021517782.tif 000007
【０１４３】
表５から、（１＋ｖ）シャーシクラスタシステムのコアは、依然としてタイプＣサービスシャーシ内のＳであることが分かり得る。Ｓは、全てのサービスシャーシのシャーシ間データ交換タスクを実行する。従って、Ｓのエンジニアリング実装能力は、クラスタシステムの構築スケールに直接影響を与える。表６に、（１＋ｖ）シャーシクラスタシステムのＳ及びＲのパフォーマンス要件を列挙する。
【表６】
2021517782.tif 000008
【０１４４】
表６から、（１＋ｖ）シャーシクラスタシステムにおける単一シャーシのサービスパフォーマンスは、シャーシの総量に関連していることが分かり得る。クラスタのスケール（規模）が大きくなるにつれて、タイプＣサービスシャーシ内のＳのパフォーマンス要件が高くなる。表７に、ｖの値が異なる（１＋ｖ）シャーシクラスタシステムにおけるＳ及びＲのパフォーマンス要件を列挙する。表６及び表７では、単一シャーシがシャーシを指す。
【表７】
2021517782.tif 000009
【０１４５】
前述した実施形態で提供されるデータ通信システムによれば、タイプＣサービスシャーシ及びｖ個のタイプＤサービスシャーシを含むデータ通信システムが提供される。中央スイッチングシャーシが除去される。タイプＤサービスシャーシが追加されるときに、タイプＣサービスシャーシ及びタイプＤサービスシャーシのみが展開される。従って、データ通信システムの設置面積が削減される。さらに、中央スイッチングシャーシが除去されているため、補助ハードウェア装置を追加する必要がなく、消費電力及びコストが削減される。タイプＣサービスシャーシが展開されている場合にタイプＤサービスシャーシがシステムに追加されると、追加されるタイプＤサービスシャーシのみがタイプＣサービスシャーシに接続される。展開されたタイプＣサービスシャーシと展開されたタイプＤサービスシャーシとの両方でサービスを変更したり、又は展開されたタイプＣサービスシャーシと展開されたタイプＤサービスシャーシとの間のシャーシ間接続を変更したりする必要はない。従って、スムーズな容量拡張を実現できる。
【０１４６】
図３４は、本願の一実施形態によるデータ通信システムに適用されるデータ通信方法を示す。データ通信システムは、第１のシャーシ及び第２のシャーシを含む。第１のシャーシは、第１の高パフォーマンス・スイッチングモジュール及び第１の低パフォーマンス・スイッチングモジュールを含む。第２のシャーシは、第２の高パフォーマンス・スイッチングモジュール及び第２の低パフォーマンス・スイッチングモジュールを含む。第１の高パフォーマンス・スイッチングモジュールは、第２の低パフォーマンス・スイッチングモジュールに接続される。第１の低パフォーマンス・スイッチングモジュールは、第２の高パフォーマンス・スイッチングモジュールに接続される。第１の高パフォーマンス・スイッチングモジュールは、通信システムに追加される、第３のシャーシ内の第３の低パフォーマンス・スイッチングモジュールに接続するように構成される。第２の高パフォーマンス・スイッチングモジュールは、通信システムに追加される、第３のシャーシ内の第４の低パフォーマンス・スイッチングモジュールに接続するように構成される。図３４に示されるように、本願のこの実施形態で提供される方法は、以下を含む。
【０１４７】
ステップＳ３４１：第１の高パフォーマンス・スイッチングモジュールは、第３の低パフォーマンス・スイッチングモジュールから受信したデータを第２の低パフォーマンス・スイッチングモジュールに送信し、第１の高パフォーマンス・スイッチングモジュールは、第２の低パフォーマンス・スイッチングモジュールから受信したデータを第３の低パフォーマンス・スイッチングモジュールに送信する。
【０１４８】
ステップＳ３４２：第２の高パフォーマンス・スイッチングモジュールは、第４の低パフォーマンス・スイッチングモジュールから受信したデータを第１の低パフォーマンス・スイッチングモジュールに送信し、第２の高パフォーマンス・スイッチングモジュールは、第１の低パフォーマンス・スイッチングモジュールから受信したデータを第４の低パフォーマンス・スイッチングモジュールに送信する。
【０１４９】
ステップＳ３４１及びステップＳ３４２の実行順序は限定されない。
【０１５０】
オプションの実施態様では、第１のシャーシは、第１のサービス転送モジュール及び第２のサービス転送モジュールをさらに含む。第１のサービス転送モジュール及び第２のサービス転送モジュールは、データ通信システムの外部にある装置と通信するように構成される。この実施形態で提供される方法は、以下のステップをさらに含む。
【０１５１】
ステップ３４３：第１の低パフォーマンス・スイッチングモジュールは、第１のサービス転送モジュールから受信したデータを第２の高パフォーマンス・スイッチングモジュールに送信する。
【０１５２】
ステップＳ３４４：第１の低パフォーマンス・スイッチングモジュールは、第２の高パフォーマンス・スイッチングモジュールから受信したデータを第２のサービス転送モジュールに送信する。
【０１５３】
第１のシャーシは、第３のサービス転送モジュール及び第４のサービス転送モジュールをさらに含む。第３のサービス転送モジュール及び第４のサービス転送モジュールは、データ通信システムの外部にある装置と通信するように構成される。この実施形態で提供される方法は、以下のステップをさらに含む。
【０１５４】
ステップ３４５：第１の高パフォーマンス・スイッチングモジュールは、第３のサービス転送モジュールから受信したデータを第２の低パフォーマンス・スイッチングモジュールに送信する。
【０１５５】
ステップＳ３４６：第２の低パフォーマンス・スイッチングモジュールは、第２の高パフォーマンス・スイッチングモジュールから受信したデータを第４のサービス転送モジュールに送信する。
【０１５６】
前述したステップの実行順序は限定されない。
【０１５７】
例えば、この実施形態におけるモジュールの原理、及びこの実施形態の方法原理については、図７及び図８に示される実施形態の説明を参照されたい。
【０１５８】
図３５は、本願の一実施形態による、データ通信システムに適用される別のデータ通信方法を示す。データ通信システムは、第１のシャーシ及び第２のシャーシを含む。第１のシャーシは、第１の高パフォーマンス・スイッチングモジュール及び第１の低パフォーマンス・スイッチングモジュールを含む。第２のシャーシは、第２の高パフォーマンス・スイッチングモジュール及び第２の低パフォーマンス・スイッチングモジュールを含む。第１の高パフォーマンス・スイッチングモジュールは、第２の低パフォーマンス・スイッチングモジュールに接続される。第１の低パフォーマンス・スイッチングモジュールは、第２の高パフォーマンス・スイッチングモジュールに接続される。第１の高パフォーマンス・スイッチングモジュールは、通信システムに追加される、第３のシャーシ内の第３の低パフォーマンス・スイッチングモジュールに接続するように構成される。第２の高パフォーマンス・スイッチングモジュールは、通信システムに追加される、第３のシャーシ内の第４の低パフォーマンス・スイッチングモジュールに接続するように構成される。データ通信システムは第４のシャーシをさらに含む。第４のシャーシは、第５の低パフォーマンス・スイッチングモジュール及び第６の低パフォーマンス・スイッチングモジュールを含む。第１の高パフォーマンス・スイッチングモジュールは、第５の低パフォーマンス・スイッチングモジュールに接続される。第２の高パフォーマンス・スイッチングモジュールは、第６の低パフォーマンス・スイッチングモジュールに接続される。図３５に示されるように、本願のこの実施形態で提供される方法は、以下を含む。
【０１５９】
ステップＳ３５１：第１の高パフォーマンス・スイッチングモジュールは、第３の低パフォーマンス・スイッチングモジュールから受信したデータを第２の低パフォーマンス・スイッチングモジュールに送信し、第１の高パフォーマンス・スイッチングモジュールは、第２の低パフォーマンス・スイッチングモジュールから受信したデータを第３の低パフォーマンス・スイッチングモジュールに送信する。
【０１６０】
ステップＳ３５２：第２の高パフォーマンス・スイッチングモジュールは、第４の低パフォーマンス・スイッチングモジュールから受信したデータを第１の低パフォーマンス・スイッチングモジュールに送信し、第２の高パフォーマンス・スイッチングモジュールは、第１の低パフォーマンス・スイッチングモジュールから受信したデータを第４の低パフォーマンス・スイッチングモジュールに送信する。
【０１６１】
ステップ３５３：第１の高パフォーマンス・スイッチングモジュールは、第５の低パフォーマンス・スイッチングモジュールから受信したデータを第２の低パフォーマンス・スイッチングモジュールに送信する。
【０１６２】
ステップ３５４：第１の高パフォーマンス・スイッチングモジュールは、第２の低パフォーマンス・スイッチングモジュールから受信したデータを第５の低パフォーマンス・スイッチングモジュールに送信する。
【０１６３】
ステップＳ３５１、ステップＳ３５２、ステップＳ３５３、及びステップＳ３５４の実行順序は限定されない。
【０１６４】
例えば、この実施形態におけるモジュールの原理、及びこの実施形態の方法原理については、図９〜図１８に示される実施形態の説明を参照されたい。
【０１６５】
オプションの実施態様では、図３４に示される実施形態に基づいて、データ通信システムは第５のシャーシをさらに含み、第５のシャーシは、第３の高パフォーマンス・スイッチングモジュール、第７の低パフォーマンス・スイッチングモジュール、及び第８の低パフォーマンス・スイッチングモジュールを含み、第１のシャーシは第９の低パフォーマンス・スイッチングモジュールをさらに含み、第２のシャーシは第１０の低パフォーマンス・スイッチングモジュールをさらに含み、
第３の高パフォーマンス・スイッチングモジュールは、第９の低パフォーマンス・スイッチングモジュール及び第１０の低パフォーマンス・スイッチングモジュールに接続され、第１の高パフォーマンス・スイッチングモジュールは第７の低パフォーマンス・スイッチングモジュールに接続され、第２の高パフォーマンス・スイッチングモジュールは第８の低パフォーマンス・スイッチングモジュールに接続され、
第３の高パフォーマンス・スイッチングモジュールは、通信システムに追加される、第３のシャーシ内の第１１の低パフォーマンス・スイッチングモジュールに接続するように構成され、
本願のこの実施形態で提供される方法は、以下をさらに含む。
【０１６６】
ステップＳ３６１：第３の高パフォーマンス・スイッチングモジュールは、第１１の低パフォーマンス・スイッチングモジュールから受信したデータを、第９の低パフォーマンス・スイッチングモジュール及び第１０の低パフォーマンス・スイッチングモジュールのうちの１つに送信し、第９の低パフォーマンス・スイッチングモジュール及び第１０の低パフォーマンス・スイッチングモジュールのうちの１つから受信したデータを第１１の低パフォーマンス・スイッチングモジュールに送信する。
【０１６７】
ステップ３６２：第１の高パフォーマンス・スイッチングモジュールは、第２の低パフォーマンス・スイッチングモジュールから受信したデータを第７の低パフォーマンス・スイッチングモジュールに送信する。
【０１６８】
ステップ３６３：第１の高パフォーマンス・スイッチングモジュールは、第７の低パフォーマンス・スイッチングモジュールから受信したデータを第２の低パフォーマンス・スイッチングモジュールに送信する。
【０１６９】
ステップ３６４：第１の高パフォーマンス・スイッチングモジュールは、第３の低パフォーマンス・スイッチングモジュールから受信したデータを、第２の低パフォーマンス・スイッチングモジュール及び第７の低パフォーマンス・スイッチングモジュールのうちの１つに送信する。
【０１７０】
ステップ３６５：第１の高パフォーマンス・スイッチングモジュールは、第２の低パフォーマンス・スイッチングモジュール及び第７の低パフォーマンス・スイッチングモジュールのうちの１つから受信したデータを、第３の低パフォーマンス・スイッチングモジュールに送信する。
【０１７１】
前述したステップの実行順序は限定されない。
【０１７２】
オプションで、データ通信システムは第６のシャーシをさらに含む。第６のシャーシは、第１２の低パフォーマンス・スイッチングモジュール、第１３の低パフォーマンス・スイッチングモジュール、及び第１４の低パフォーマンス・スイッチングモジュールを含む。第１２の低パフォーマンス・スイッチングモジュールは、第１の高パフォーマンス・スイッチングモジュールに接続される。第１３の低パフォーマンス・スイッチングモジュールは、第２の高パフォーマンス・スイッチングモジュールに接続される。第１４の低パフォーマンス・スイッチングモジュールは、第３の高パフォーマンス・スイッチングモジュールに接続される。本願のこの実施形態で提供される方法は、以下をさらに含む。
【０１７３】
ステップ３６６：第１の高パフォーマンス・スイッチングモジュールは、第１２の低パフォーマンス・スイッチングモジュールから受信したデータを、第２の低パフォーマンス・スイッチングモジュール及び第７の低パフォーマンス・スイッチングモジュールのうちの１つに送信する。
【０１７４】
ステップ３６７：第１の高パフォーマンス・スイッチングモジュールは、第２の低パフォーマンス・スイッチングモジュール及び第７の低パフォーマンス・スイッチングモジュールのうちの１つから受信したデータを、第１２の低パフォーマンス・スイッチングモジュールに送信する。
【０１７５】
前述したステップの実行順序は限定されない。
【０１７６】
例えば、この実施形態におけるモジュールの原理、及びこの実施形態の方法原理については、図１９〜図２３に示される実施形態の説明を参照されたい。
【０１７７】
図３６は、本願の一実施形態によるデータ通信システムに適用される別のデータ通信方法を示す。データ通信システムは、第１のシャーシ及び第２のシャーシを含む。第１のシャーシは、第１の高パフォーマンス・スイッチングモジュール、第１のサービス転送モジュール、及び第２のサービス転送モジュールを含む。第１のサービス転送モジュール及び第２のサービス転送モジュールは、データ通信システムの外部にある装置と通信するように構成される。第２のシャーシは、第１の低パフォーマンス・スイッチングモジュールを含む。第１の高パフォーマンス・スイッチングモジュールは、第１の低パフォーマンス・スイッチングモジュールに接続される。第１の高パフォーマンス・スイッチングモジュールは、通信システムに追加される、第３のシャーシ内の第２の低パフォーマンス・スイッチングモジュールに接続するように構成される。この実施形態で提供される方法は、以下を含む。
【０１７８】
ステップ３７１：第１の高パフォーマンス・スイッチングモジュールは、第１のサービス転送モジュールから受信したデータを第１の低パフォーマンス・スイッチングモジュールに送信する。
【０１７９】
ステップＳ３７２：第１の高パフォーマンス・スイッチングモジュールは、第１の低パフォーマンス・スイッチングモジュールから受信したデータを第２のサービス転送モジュールに送信する。
【０１８０】
ステップＳ３７３：第１の高パフォーマンス・スイッチングモジュールは、第２の低パフォーマンス・スイッチングモジュールから受信したデータを、第１の低パフォーマンス・スイッチングモジュール、第１のサービス転送モジュール、及び第２のサービス転送モジュールのうちの１つに送信する。
【０１８１】
ステップＳ３７４：第１の高パフォーマンス・スイッチングモジュールは、第１の低パフォーマンス・スイッチングモジュール、第１のサービス転送モジュール、及び第２のサービス転送モジュールのうちの１つから受信したデータを、第２の低パフォーマンス・スイッチングモジュールに送信する。
【０１８２】
ステップＳ３７１〜ステップＳ３７４までの実行順序は限定されない。
【０１８３】
例えば、この実施形態におけるモジュールの原理、及びこの実施形態の方法原理については、図２４〜図３３に示される実施形態の説明を参照されたい。
【０１８４】
本願におけるモジュールＳ、モジュールＲ、及びモジュールＸは、単に論理的な抽象的な概念であることに留意されたい。エンジニアリングの実装では、前述したモジュールは、エンジニアリングの実装可能性及びシステムの信頼性等の設計要件を参照して、細分化、統合、又は相互統合することができる。例えば、１つのモジュールＳは、１つの集積回路チップ又は回路モジュールを使用することにより構築され得るか、又は１つのモジュールＳは、複数の集積回路チップ又は回路モジュールを使用することにより共同で構築され得る。１つのモジュールＲは、１つの集積回路チップ又は回路モジュールを使用することにより構築され得るか、又は１つのモジュールＲは、複数の集積回路チップ又は回路モジュールを使用することにより共同で構築され得る。１つのモジュールＸは、１つの集積回路チップ又は回路モジュールを使用することにより構築され得るか、又は１つのモジュールＸは、複数の集積回路チップ又は回路モジュールを使用することにより共同で構築され得る。例えば、１つ又は複数のモジュールＳ及び／又は１つ又は複数のモジュールＲは、１つの集積回路チップ又は１つの回路モジュールに統合される。例えば、モジュールＳは、複数のスイッチング集積回路チップ又は回路モジュールを使用し、モジュールＲは、１つのスイッチング集積回路チップ又は回路モジュールを使用する。例えば、１つ又は複数のモジュールＳ、１つ又は複数のモジュールＲ、及び／又は１つ又は複数のモジュールＸは、１つの集積回路チップ又は１つの回路モジュールに統合される。例えば、モジュールＳ又はモジュールＲは、複数のシリアライザ／デシリアライザ（serializer/deserializer,  serdes：並直列変換回路）データチャネルを有するスイッチング集積回路チップを使用し、それによって、フォーマット要件を満たし、且つ任意の並直列変換回路データチャネルによって入力される、スイッチングされるデータセル、セルヘッダベースの情報等は、出力のために任意の並直列変換回路データチャネルにスイッチングされる。
【０１８５】
本願では、スイッチング宛先は、例えば、セルヘッダに基づいて決定される。セルヘッダは、例えば、宛先モジュールを一意に識別するために使用される宛先識別子を含む。宛先識別子には、例えば、シャーシ番号、スロット番号、及びサービス転送モジュール番号が含まれる。
【０１８６】
本願におけるシャーシ間相互接続インターフェイス及びシャーシ内相互接続インターフェイスには、プリント回路基板（printed  circuit  board,  PCB）インターフェイス、ケーブルインターフェイス、光ケーブルインターフェイス、ワイヤレスインターフェイス等が含まれるが、これらに限定されない。シャーシ間相互接続インターフェイス及びシャーシ内相互接続インターフェイスで使用される接続媒体には、ＰＣＢ、ケーブル、光ケーブルが含まれるが、これらに限定されない。又は、シャーシ間相互接続インターフェイス及びシャーシ内相互接続インターフェイスは、無線接続等で直接接続される。
【０１８７】
本願では、第１のタイプのシャーシ内のＳは、予め設定された解決策に基づいて、第２のタイプのシャーシ内のＲへのアクセスを得るために使用されるインターフェイスの数を予約するように設計される。予め設定された解決策には、通信システムにアクセスできる最大数の第２のタイプのシャーシが含まれる。予め設定された解決策は、クラスタシステムのスケール（規模）、ネットワーク相互接続の要件、パフォーマンス要件等に基づいて設定できる。
【０１８８】
図３７は、本願の一実施形態による、さらに別のデータ通信システムにおけるマルチシャーシ・クラスタシステムの構造の概略図である。図３７に示されるように、本願のこの実施形態で提供されるデータ通信システムは、図７及び図８に示される実施形態におけるデータ通信システムの動作又はステップを実行するように構成され得、図９〜図１８に示される実施形態におけるデータ通信システムの動作又はステップを実行するように構成され得、図１９〜図２０に示される実施形態における装置のデータ通信システムの動作又はステップを実行するように構成され得、及び図２１〜図２３に示される実施形態における装置のデータ通信システムの動作又はステップを実行するように構成され得る。本願のこの実施形態で提供されるデータ通信システムは、第１のシャーシＡ１及び第２のシャーシＡ２を含み、さらに、データ通信システムに追加される第３のシャーシＢ１を提供する。
【０１８９】
各第１のシャーシについて、各第１のシャーシは、具体的には、プロセッサ２７０１ａ及びメモリ２７０２ａを含む。
【０１９０】
メモリ２７０２ａは、コンピュータプログラムを格納するように構成される。
【０１９１】
プロセッサ２７０１ａは、メモリ２７０２ａに格納されたコンピュータプログラムを実行して、図７〜図２３に示される実施形態におけるタイプＡサービスシャーシ内のモジュールの動作を実行する、又は図３４〜図３５に示される実施形態におけるタイプＡサービスシャーシの動作又はステップを実行するように構成される。詳細については再度説明しない。
【０１９２】
オプションで、第１のシャーシは、バス２７０３ａをさらに含み得る。プロセッサ２７０１ａ及びメモリ２７０２ａは、バス２７０３ａを介して互いに接続され得る。バス２７０３ａは、周辺コンポーネント相互接続（peripheral  component  interconnect,  PCI）バス、拡張業界標準構造（extended  industry  standard  architecture,  EISA）バス等であり得る。バス２７０３ａは、アドレスバス、データバス、制御バス等に分類され得る。表現を容易にするために、図３７でバスを表すために１本の太い線のみが使用されているが、これは、バスが１つしかない、又はバスの種類が１つしかないという意味ではない。
【０１９３】
各第２のシャーシについて、各第２のシャーシは、具体的には、プロセッサ２７０１ｂ及びメモリ２７０２ｂを含む。
【０１９４】
メモリ２７０２ｂは、コンピュータプログラムを格納するように構成される。
【０１９５】
プロセッサ２７０１ｂは、メモリ２７０２ｂに格納されたコンピュータプログラムを実行して、図７〜図２３に示される実施形態におけるタイプＢサービスシャーシ内のモジュールの動作を実行する、又は図３４〜図３５に示される実施形態におけるタイプＢサービスシャーシの動作又はステップを実行するように構成される。詳細については再度説明しない。
【０１９６】
オプションで、第２のシャーシは、バス２７０３ｂをさらに含み得る。プロセッサ２７０１ｂ及びメモリ２７０２ｂは、バス２７０３ｂを介して互いに接続され得る。バス２７０３ｂａは、ＰＣＩバス、ＥＩＳＡバス等であり得る。バス２７０３ｂは、アドレスバス、データバス、制御バス等に分類され得る。表現を容易にするために、図３７でバスを表すために１本の太い線のみが使用されているが、これは、バスが１つしかない、又はバスの種類が１つしかないという意味ではない。
【０１９７】
本願の実施形態では、前述した実施形態について互いに参照することができる。同じ又は類似のステップ及び名詞を再び１つずつ説明しない。
【０１９８】
前述したモジュールのいくつか又は全ては、代替的に、ＳＭＦエンティティのチップに埋め込まれる集積回路の形態で実装され得る。さらに、モジュールは、個別に実装することも、一緒に統合することもできる。換言すると、モジュールは、前述した方法を実施するための１つ又は複数の集積回路、例えば、１つ又は複数の特定用途向け集積回路（Application  Specific  Integrated  Circuit,  ASIC）、１つ又は複数のマイクロプロセッサ（digital  signal  processor,  DSP）、又は１つ又は複数のフィールドプログラマブルゲートアレイ（Field  Programmable  Gate  Array,  FPGA）として構成され得る。
【０１９９】
図３８は、本願の一実施形態による、さらに別のデータ通信システムにおけるマルチシャーシ・クラスタシステムの構造の概略図である。図３８に示されるように、本願のこの実施形態で提供されるデータ通信システムは、図２４〜図３３に示される実施形態におけるデータ通信システムの動作又はステップを実行するように構成され得る。本願のこの実施形態で提供されるデータ通信システムは、第１のシャーシＣ１及び第２のシャーシＤ１を含み、さらに、データ通信システムに追加される第３のシャーシＤ２を提供する。
【０２００】
第１のシャーシＣ１はタイプＣサービスシャーシであり、第２のシャーシＤ１及び第３のシャーシＤ２は両方ともタイプＤサービスシャーシである。
【０２０１】
各タイプＣサービスシャーシについて、各タイプＣサービスシャーシは、具体的には、プロセッサ２８０１ａ及びメモリ２８０２ａを含む。
【０２０２】
メモリ２８０２ａは、コンピュータプログラムを格納するように構成される。
【０２０３】
プロセッサ２８０１ａは、メモリ２８０２ａに格納されたコンピュータプログラムを実行して、図２４〜図３３に示される実施形態におけるタイプＣサービスシャーシ内のモジュールの動作を実行する、又は図３６に示される実施形態におけるタイプＣサービスシャーシの動作又はステップを実行するように構成される。詳細については再度説明しない。
【０２０４】
オプションで、タイプＣサービスシャーシは、バス２８０３ａをさらに含み得る。プロセッサ２８０１ａ及びメモリ２８０２ａは、バス２８０３ａを介して互いに接続され得る。バス２８０３ａは、ＰＣＩバス、ＥＩＳＡバス等であり得る。バス２８０３ａは、アドレスバス、データバス、制御バス等に分類され得る。表現を容易にするために、図３８でバスを表すために１本の太い線のみが使用されているが、これは、バスが１つしかない、又はバスの種類が１つしかないという意味ではない。
【０２０５】
各タイプＤサービスシャーシについて、各タイプＤサービスシャーシは、具体的には、プロセッサ２８０１ｂ及びメモリ２８０２ｂを含む。
【０２０６】
メモリ２８０２ｂは、コンピュータプログラムを格納するように構成される。
【０２０７】
プロセッサ２８０１ｂは、メモリ２８０２ｂに格納されたコンピュータプログラムを実行して、図２４〜図３３に示される実施形態におけるタイプＤサービスシャーシ内のモジュールの動作を実行する、又は図３６に示される実施形態におけるタイプＤサービスシャーシの動作又はステップを実行するように構成される。詳細については再度説明しない。
【０２０８】
オプションで、２４〜３３にはバス２８０３ｂが含まれ得る。プロセッサ２８０１ｂ及びメモリ２８０２ｂは、バス２８０３ｂを介して互いに接続され得る。バス２８０３ｂａは、ＰＣＩバス、ＥＩＳＡバス等であり得る。バス２８０３ｂは、アドレスバス、データバス、制御バス等に分類され得る。表現を容易にするために、図３８でバスを表すために１本の太い線のみが使用されているが、これは、バスが１つしかない、又はバスの種類が１つしかないという意味ではない。
【０２０９】
本願の実施形態では、前述した実施形態について互いに参照することができる。同じ又は類似のステップ及び名詞を再び１つずつ説明しない。
【０２１０】
前述したモジュールのいくつか又は全ては、代替的に、端末装置のチップに埋め込まれる集積回路の形態で実装され得る。さらに、モジュールは、個別に実装することも、一緒に統合することもできる。換言すると、モジュールは、前述の方法を実施するための１つ又は複数の集積回路、例えば、１つ又は複数のＡＳＩＣ、１つ又は複数のＤＳＰ、又は１つ又は複数のＦＰＧＡとして構成され得る。
【０２１１】
前述した実施形態の全て又はいくつかは、ソフトウェア、ハードウェア、ファームウェア、又はそれらの任意の組合せを使用することにより実施することができる。ソフトウェアを使用して実施形態を実施する場合に、実施形態の全て又は一部は、コンピュータプログラム製品の形態で実施することができる。コンピュータプログラム製品は、１つ又は複数のコンピュータ命令を含む。コンピュータプログラム命令がコンピュータにロードされて実行されるときに、本願の一実施形態による手順又は機能は、全て又は部分的に生成される。コンピュータは、汎用コンピュータ、専用コンピュータ、コンピュータネットワーク、又は他のプログラム可能な機器であり得る。コンピュータ命令は、コンピュータ可読記憶媒体に記憶され得るか、又はコンピュータ可読記憶媒体から別のコンピュータ可読記憶媒体に送信され得る。例えば、コンピュータ命令は、ウェブサイト、コンピュータ、サーバー、又はデータセンターから、有線（例えば、同軸ケーブル、光ファイバー、又はデジタル加入者回線（digital  subscriber  line,  DSL））、又は無線（例えば、赤外線、無線、又はマイクロ波）方式で別のウェブサイト、コンピュータ、サーバー、又はデータセンターに送信され得る。コンピュータ可読記憶媒体は、コンピュータによってアクセス可能な任意の使用可能な媒体、或いは１つ又は複数の使用可能な媒体を統合するサーバー又はデータセンター等のデータ記憶装置であり得る。使用可能な媒体は、磁気媒体（例えば、フロッピーディスク、ハードディスク、又は磁気テープ）、光学媒体（例えば、ＤＶＤ）、半導体媒体（例えば、ソリッドステートドライブ（solid  state  disk,  SSD））等であり得る。
【０２１２】
当業者は、前述した１つ又は複数の例において、本願の実施形態に記載される機能は、ハードウェア、ソフトウェア、ファームウェア、又はそれらの任意の組合せによって実現され得ることに留意されたい。本願の実施形態がソフトウェアによって実現される場合に、前述した機能は、コンピュータ可読媒体に格納され得るか、又はコンピュータ可読媒体において１つ又は複数の命令又はコードとして送信され得る。コンピュータ可読媒体は、コンピュータ記憶媒体及び通信媒体を含む。通信媒体には、コンピュータプログラムをある場所から別の場所に送信することを可能にする任意の媒体が含まれる。記憶媒体は、汎用又は専用のコンピュータにアクセス可能な任意の利用可能な媒体であり得る。
【図１】
2021517782.tif 000010
【図２】
2021517782.tif 000011
【図３Ａ】
2021517782.tif 000012
【図３Ｂ】
2021517782.tif 000013
【図４Ａ】
2021517782.tif 000014
【図４Ｂ】
2021517782.tif 000015
【図５Ａ】
2021517782.tif 000016
【図５Ｂ】
2021517782.tif 000017
【図６Ａ】
2021517782.tif 000018
【図６Ｂ】
2021517782.tif 000019
【図７】
2021517782.tif 000020
【図８】
2021517782.tif 000021
【図９】
2021517782.tif 000022
【図１０】
2021517782.tif 000023
【図１１】
2021517782.tif 000024
【図１２】
2021517782.tif 000025
【図１３】
2021517782.tif 000026
【図１４】
2021517782.tif 000027
【図１５】
2021517782.tif 000028
【図１６】
2021517782.tif 000029
【図１７】
2021517782.tif 000030
【図１８】
2021517782.tif 000031
【図１９】
2021517782.tif 000032
【図２０】
2021517782.tif 000033
【図２１】
2021517782.tif 000034
【図２２】
2021517782.tif 000035
【図２３】
2021517782.tif 000036
【図２４】
2021517782.tif 000037
【図２５】
2021517782.tif 000038
【図２６】
2021517782.tif 000039
【図２７】
2021517782.tif 000040
【図２８】
2021517782.tif 000041
【図２９】
2021517782.tif 000042
【図３０】
2021517782.tif 000043
【図３１】
2021517782.tif 000044
【図３２】
2021517782.tif 000045
【図３３】
2021517782.tif 000046
【図３４】
2021517782.tif 000047
【図３５】
2021517782.tif 000048
【図３６】
2021517782.tif 000049
【図３７】
2021517782.tif 000050
【図３８】
2021517782.tif 000051
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
第１のシャーシ及び第２のシャーシを含むデータ通信システムであって、
前記第１のシャーシは、第１の高パフォーマンス・スイッチングモジュール及び第１の低パフォーマンス・スイッチングモジュールを含み、
前記第２のシャーシは、第２の高パフォーマンス・スイッチングモジュール及び第２の低パフォーマンス・スイッチングモジュールを含み、
前記第１の高パフォーマンス・スイッチングモジュールは前記第２の低パフォーマンス・スイッチングモジュールに接続され、前記第１の低パフォーマンス・スイッチングモジュールは前記第２の高パフォーマンス・スイッチングモジュールに接続され、
前記第１の高パフォーマンス・スイッチングモジュールは、当該データ通信システムに追加される、第３のシャーシ内の第３の低パフォーマンス・スイッチングモジュールに接続するように構成され、前記第２の高パフォーマンス・スイッチングモジュールは、当該データ通信システムに追加される、前記第３のシャーシ内の第４の低パフォーマンス・スイッチングモジュールに接続するように構成される、
データ通信システム。
【請求項２】
当該データ通信システムは第４のシャーシをさらに含み、該第４のシャーシは、第５の低パフォーマンス・スイッチングモジュール及び第６の低パフォーマンス・スイッチングモジュールを含み、
前記第１の高パフォーマンス・スイッチングモジュールは前記第５の低パフォーマンス・スイッチングモジュールに接続され、第２の高パフォーマンス・スイッチングモジュールは前記第６の低パフォーマンス・スイッチングモジュールに接続される、請求項１に記載のデータ通信システム。
【請求項３】
当該データ通信システムは第５のシャーシをさらに含み、該第５のシャーシは、第３の高パフォーマンス・スイッチングモジュール、第７の低パフォーマンス・スイッチングモジュール、及び第８の低パフォーマンス・スイッチングモジュールを含み、前記第１のシャーシは第９の低パフォーマンス・スイッチングモジュールをさらに含み、前記第２のシャーシは第１０の低パフォーマンス・スイッチングモジュールをさらに含み、
前記第３の高パフォーマンス・スイッチングモジュールは、前記第９の低パフォーマンス・スイッチングモジュール、及び前記第１０の低パフォーマンス・スイッチングモジュールに接続され、前記第１の高パフォーマンス・スイッチングモジュールは、前記第７の低パフォーマンス・スイッチングモジュールに接続され、前記第２の高パフォーマンス・スイッチングモジュールは、前記第８の低パフォーマンス・スイッチングモジュールに接続され、
前記第３の高パフォーマンス・スイッチングモジュールは、当該データ通信システムに追加される、前記第３のシャーシ内の第１１の低パフォーマンス・スイッチングモジュールに接続するように構成される、請求項１に記載のデータ通信システム。
【請求項４】
当該データ通信システムは第６のシャーシをさらに含み、該第６のシャーシは、第１２の低パフォーマンス・スイッチングモジュール、第１３の低パフォーマンス・スイッチングモジュール、及び第１４の低パフォーマンス・スイッチングモジュールを含み、
前記第１２の低パフォーマンス・スイッチングモジュールは、前記第１の高パフォーマンス・スイッチングモジュールに接続され、前記第１３の低パフォーマンス・スイッチングモジュールは、前記第２の高パフォーマンス・スイッチングモジュールに接続され、前記第１４の低パフォーマンス・スイッチングモジュールは、前記第３の高パフォーマンス・スイッチングモジュールに接続される、請求項３に記載のデータ通信システム。
【請求項５】
前記第１のシャーシは、第１のサービス転送モジュール及び第２のサービス転送モジュールをさらに含み、前記第１のサービス転送モジュール及び前記第２のサービス転送モジュールは、当該データ通信システムの外部にある装置と通信するように構成され、前記第１の低パフォーマンス・スイッチングモジュールは、
前記第１のサービス転送モジュールから受信したデータを前記第２の高パフォーマンス・スイッチングモジュールに送信し、
前記第２の高パフォーマンス・スイッチングモジュールから受信したデータを前記第２のサービス転送モジュールに送信するように構成される、請求項１乃至４のいずれか一項に記載のデータ通信システム。
【請求項６】
前記第１のシャーシは、第３のサービス転送モジュール及び第４のサービス転送モジュールをさらに含み、前記第３のサービス転送モジュール及び前記第４のサービス転送モジュールは、当該データ通信システムの外部にある装置と通信するように構成され、前記第１の高パフォーマンス・スイッチングモジュールは、
前記第３のサービス転送モジュールから受信したデータを前記第２の低パフォーマンス・スイッチングモジュールに送信し、
前記第２の低パフォーマンス・スイッチングモジュールから受信したデータを前記第４のサービス転送モジュールに送信するように構成される、請求項１乃至５のいずれか一項に記載のデータ通信システム。
【請求項７】
前記第１の高パフォーマンス・スイッチングモジュールは、
前記第３のシャーシが当該データ通信システムに追加された後に、前記第３の低パフォーマンス・スイッチングモジュールから受信したデータを前記第２の低パフォーマンス・スイッチングモジュールに送信し、
前記第３のシャーシが当該データ通信システムに追加された後に、前記第２の低パフォーマンス・スイッチングモジュールから受信したデータを前記第３の低パフォーマンス・スイッチングモジュールに送信するように構成される、請求項１に記載のデータ通信システム。
【請求項８】
前記第１の高パフォーマンス・スイッチングモジュールは、
前記第５の低パフォーマンス・スイッチングモジュールから受信したデータを前記第２の低パフォーマンス・スイッチングモジュールに送信し、
前記第２の低パフォーマンス・スイッチングモジュールから受信したデータを前記第５の低パフォーマンス・スイッチングモジュールに送信するように構成される、請求項２に記載のデータ通信システム。
【請求項９】
前記第１の高パフォーマンス・スイッチングモジュールは、
前記第２の低パフォーマンス・スイッチングモジュールから受信したデータを前記第７の低パフォーマンス・スイッチングモジュールに送信し、
前記第７の低パフォーマンス・スイッチングモジュールから受信したデータを前記第２の低パフォーマンス・スイッチングモジュールに送信し、
前記第３のシャーシが当該データ通信システムに追加された後に、前記第３の低パフォーマンス・スイッチングモジュールから受信したデータを、前記第２の低パフォーマンス・スイッチングモジュール及び前記第７の低パフォーマンス・スイッチングモジュールのうちの１つに送信し、
前記第３のシャーシが当該データ通信システムに追加された後に、前記第２の低パフォーマンス・スイッチングモジュール及び前記第７の低パフォーマンス・スイッチングモジュールのうちの１つから受信したデータを、前記第３の低パフォーマンス・スイッチングモジュールに送信するように構成される、請求項３に記載のデータ通信システム。
【請求項１０】
前記第１の高パフォーマンス・スイッチングモジュールは、
前記第１２の低パフォーマンス・スイッチングモジュールから受信したデータを、前記第２の低パフォーマンス・スイッチングモジュール及び前記第７の低パフォーマンス・スイッチングモジュールのうちの１つに送信し、
前記第２の低パフォーマンス・スイッチングモジュール及び前記第７の低パフォーマンス・スイッチングモジュールのうちの１つから受信したデータを、前記第１２の低パフォーマンス・スイッチングモジュールに送信するように構成される、請求項４に記載のデータ通信システム。
【請求項１１】
第１のシャーシ及び第２のシャーシを含むデータ通信システムであって、
前記第１のシャーシは、第１の高パフォーマンス・スイッチングモジュール、第１のサービス転送モジュール、及び第２のサービス転送モジュールを含み、前記第１のサービス転送モジュール及び前記第２のサービス転送モジュールは、当該データ通信システムの外部にある装置と通信するように構成され、
前記第２のシャーシは、第１の低パフォーマンス・スイッチングモジュールを含み、
前記第１の高パフォーマンス・スイッチングモジュールは、前記第１の低パフォーマンス・スイッチングモジュールに接続され、
前記第１の高パフォーマンス・スイッチングモジュールは、前記第１のサービス転送モジュールから受信したデータを前記第１の低パフォーマンス・スイッチングモジュールに送信し、該第１の低パフォーマンス・スイッチングモジュールから受信したデータを前記第２のサービス転送モジュールに送信するように構成され、
前記第１の高パフォーマンス・スイッチングモジュールは、当該データ通信システムに追加される、第３のシャーシ内の第２の低パフォーマンス・スイッチングモジュールに接続するようにさらに構成される、
データ通信システム。
【請求項１２】
前記第１の高パフォーマンス・スイッチングモジュールは、
前記第３のシャーシが当該データ通信システムに追加された後に、前記第２の低パフォーマンス・スイッチングモジュールから受信したデータを、前記第１の低パフォーマンス・スイッチングモジュール、前記第１のサービス転送モジュール、及び前記第２のサービス転送モジュールのうちの１つに送信し、
前記第３のシャーシが当該データ通信システムに追加された後に、前記第１の低パフォーマンス・スイッチングモジュール、前記第１のサービス転送モジュール、及び前記第２のサービス転送モジュールのうちの１つから受信したデータを、前記第２の低パフォーマンス・スイッチングモジュールに送信するようにさらに構成される、請求項１１に記載のデータ通信システム。
【請求項１３】
データ通信システムに適用されるデータ通信方法であって、前記データ通信システムは第１のシャーシ及び第２のシャーシを含み、前記第１のシャーシは、第１の高パフォーマンス・スイッチングモジュール及び第１の低パフォーマンス・スイッチングモジュールを含み、前記第２のシャーシは、第２の高パフォーマンス・スイッチングモジュール及び第２の低パフォーマンス・スイッチングモジュールを含み、前記第１の高パフォーマンス・スイッチングモジュールは前記第２の低パフォーマンス・スイッチングモジュールに接続され、前記第１の低パフォーマンス・スイッチングモジュールは前記第２の高パフォーマンス・スイッチングモジュールに接続され、前記第１の高パフォーマンス・スイッチングモジュールは、前記データ通信システムに追加される、第３のシャーシ内の第３の低パフォーマンス・スイッチングモジュールに接続するように構成され、前記第２の高パフォーマンス・スイッチングモジュールは、前記データ通信システムに追加される、前記第３のシャーシ内の第４の低パフォーマンス・スイッチングモジュールに接続するように構成され、当該方法は、
前記第１の高パフォーマンス・スイッチングモジュールによって、前記第３の低パフォーマンス・スイッチングモジュールから受信したデータを前記第２の低パフォーマンス・スイッチングモジュールに送信するステップと、前記第１の高パフォーマンス・スイッチングモジュールによって、前記第２の低パフォーマンス・スイッチングモジュールから受信したデータを前記第３の低パフォーマンス・スイッチングモジュールに送信するステップと、
前記第２の高パフォーマンス・スイッチングモジュールによって、前記第４の低パフォーマンス・スイッチングモジュールから受信したデータを前記第１の低パフォーマンス・スイッチングモジュールに送信するステップと、前記第２の高パフォーマンス・スイッチングモジュールによって、前記第１の低パフォーマンス・スイッチングモジュールから受信したデータを前記第４の低パフォーマンス・スイッチングモジュールに送信するステップと、を含む、
方法。
【請求項１４】
前記データ通信システムは第４のシャーシをさらに含み、該第４のシャーシは、第５の低パフォーマンス・スイッチングモジュール及び第６の低パフォーマンス・スイッチングモジュールを含み、
前記第１の高パフォーマンス・スイッチングモジュールは前記第５の低パフォーマンス・スイッチングモジュールに接続され、前記第２の高パフォーマンス・スイッチングモジュールは前記第６の低パフォーマンス・スイッチングモジュールに接続される、請求項１３に記載の方法。
【請求項１５】
前記データ通信システムは第５のシャーシをさらに含み、該第５のシャーシは、第３の高パフォーマンス・スイッチングモジュール、第７の低パフォーマンス・スイッチングモジュール、及び第８の低パフォーマンス・スイッチングモジュールを含み、前記第１のシャーシは第９の低パフォーマンス・スイッチングモジュールをさらに含み、前記第２のシャーシは第１０の低パフォーマンス・スイッチングモジュールをさらに含み、
前記第３の高パフォーマンス・スイッチングモジュールは、前記第９の低パフォーマンス・スイッチングモジュール及び前記第１０の低パフォーマンス・スイッチングモジュールに接続され、前記第１の高パフォーマンス・スイッチングモジュールは前記第７の低パフォーマンス・スイッチングモジュールに接続され、前記第２の高パフォーマンス・スイッチングモジュールは前記第８の低パフォーマンス・スイッチングモジュールに接続され、
前記第３の高パフォーマンス・スイッチングモジュールは、前記データ通信システムに追加される、前記第３のシャーシ内の第１１の低パフォーマンス・スイッチングモジュールに接続するように構成され、
当該方法は、
前記第３の高パフォーマンス・スイッチングモジュールによって、前記第１１の低パフォーマンス・スイッチングモジュールから受信したデータを、前記第９の低パフォーマンス・スイッチングモジュール及び前記第１０の低パフォーマンス・スイッチングモジュールのうちの１つに送信するステップと、前記第９の低パフォーマンス・スイッチングモジュール及び前記第１０の低パフォーマンス・スイッチングモジュールのうちの１つから受信したデータを、前記第１１の低パフォーマンス・スイッチングモジュールに送信するステップと、をさらに含む、請求項１３に記載の方法。
【請求項１６】
前記データ通信システムは第６のシャーシをさらに含み、該第６のシャーシは、第１２の低パフォーマンス・スイッチングモジュール、第１３の低パフォーマンス・スイッチングモジュール、及び第１４の低パフォーマンス・スイッチングモジュールを含み、
前記第１２の低パフォーマンス・スイッチングモジュールは前記第１の高パフォーマンス・スイッチングモジュールに接続され、前記第１３の低パフォーマンス・スイッチングモジュールは前記第２の高パフォーマンス・スイッチングモジュールに接続され、前記第１４の低パフォーマンス・スイッチングモジュールは前記第３の高パフォーマンス・スイッチングモジュールに接続される、請求項１５に記載の方法。
【請求項１７】
前記第１のシャーシは、第１のサービス転送モジュール及び第２のサービス転送モジュールをさらに含み、前記第１のサービス転送モジュール及び前記第２のサービス転送モジュールは、前記データ通信システムの外部にある装置と通信するように構成され、当該方法は、
前記第１の低パフォーマンス・スイッチングモジュールによって、前記第１のサービス転送モジュールから受信したデータを前記第２の高パフォーマンス・スイッチングモジュールに送信するステップと、
前記第１の低パフォーマンス・スイッチングモジュールによって、前記第２の高パフォーマンス・スイッチングモジュールから受信したデータを前記第２のサービス転送モジュールに送信するステップと、をさらに含む、請求項１３乃至１６のいずれか一項に記載の方法。
【請求項１８】
前記第１のシャーシは、第３のサービス転送モジュール及び第４のサービス転送モジュールをさらに含み、前記第３のサービス転送モジュール及び前記第４のサービス転送モジュールは、前記データ通信システムの外部にある装置と通信するように構成され、当該方法は、
前記第１の高パフォーマンス・スイッチングモジュールによって、前記第３のサービス転送モジュールから受信したデータを前記第２の低パフォーマンス・スイッチングモジュールに送信するステップと、
該第２の低パフォーマンス・スイッチングモジュールによって、前記第２の高パフォーマンス・スイッチングモジュールから受信したデータを前記第４のサービス転送モジュールに送信するステップと、をさらに含む、請求項１３乃至１７のいずれか一項に記載の方法。
【請求項１９】
当該方法は、
前記第１の高パフォーマンス・スイッチングモジュールによって、前記第５の低パフォーマンス・スイッチングモジュールから受信したデータを前記第２の低パフォーマンス・スイッチングモジュールに送信するステップと、
前記第１の高パフォーマンス・スイッチングモジュールによって、前記第２の低パフォーマンス・スイッチングモジュールから受信したデータを前記第５の低パフォーマンス・スイッチングモジュールに送信するステップと、をさらに含む、請求項１４に記載の方法。
【請求項２０】
当該方法は、
前記第１の高パフォーマンス・スイッチングモジュールによって、前記第２の低パフォーマンス・スイッチングモジュールから受信したデータを前記第７の低パフォーマンス・スイッチングモジュールに送信するステップと、
前記第１の高パフォーマンス・スイッチングモジュールによって、前記第７の低パフォーマンス・スイッチングモジュールから受信したデータを前記第２の低パフォーマンス・スイッチングモジュールに送信するステップと、
前記第１の高パフォーマンス・スイッチングモジュールによって、前記第３の低パフォーマンス・スイッチングモジュールから受信したデータを、前記第２の低パフォーマンス・スイッチングモジュール及び前記第７の低パフォーマンス・スイッチングモジュールのうちの１つに送信するステップと、
前記第１の高パフォーマンス・スイッチングモジュールによって、前記第２の低パフォーマンス・スイッチングモジュール及び前記第７の低パフォーマンス・スイッチングモジュールのうちの１つから受信したデータを、前記第３の低パフォーマンス・スイッチングモジュールに送信するステップと、をさらに含む、請求項１５に記載の方法。
【請求項２１】
当該方法は、
前記第１の高パフォーマンス・スイッチングモジュールによって、前記第１２の低パフォーマンス・スイッチングモジュールから受信したデータを、前記第２の低パフォーマンス・スイッチングモジュール及び前記第７の低パフォーマンス・スイッチングモジュールのうちの１つに送信するステップと、
前記第１の高パフォーマンス・スイッチングモジュールによって、前記第２の低パフォーマンス・スイッチングモジュール及び前記第７の低パフォーマンス・スイッチングモジュールのうちの１つから受信したデータを、前記第１２の低パフォーマンス・スイッチングモジュールに送信するステップと、をさらに含む、請求項１６に記載の方法。
【請求項２２】
データ通信システムに適用されるデータ通信方法であって、前記データ通信システムは、第１のシャーシ及び第２のシャーシを含み、前記第１のシャーシは、第１の高パフォーマンス・スイッチングモジュール、第１のサービス転送モジュール、及び第２のサービス転送モジュールを含み、前記第１のサービス転送モジュール及び前記第２のサービス転送モジュールは、当該データ通信システムの外部にある装置と通信するように構成され、前記第２のシャーシは第１の低パフォーマンス・スイッチングモジュールを含み、前記第１の高パフォーマンス・スイッチングモジュールは前記第１の低パフォーマンス・スイッチングモジュールに接続され、前記第１の高パフォーマンス・スイッチングモジュールは、前記データ通信システムに追加される、第３のシャーシ内の第２の低パフォーマンス・スイッチングモジュールに接続するように構成され、当該方法は、
前記第１の高パフォーマンス・スイッチングモジュールによって、前記第１のサービス転送モジュールから受信したデータを前記第１の低パフォーマンス・スイッチングモジュールに送信するステップと、
前記第１の高パフォーマンス・スイッチングモジュールによって、前記第１の低パフォーマンス・スイッチングモジュールから受信したデータを前記第２のサービス転送モジュールに送信するステップと、
前記第１の高パフォーマンス・スイッチングモジュールによって、前記第２の低パフォーマンス・スイッチングモジュールから受信したデータを、前記第１の低パフォーマンス・スイッチングモジュール、前記第１のサービス転送モジュール、及び前記第２のサービス転送モジュールのうちの１つに送信するステップと、
前記第１の高パフォーマンス・スイッチングモジュールによって、前記第１の低パフォーマンス・スイッチングモジュール、前記第１のサービス転送モジュール、及び前記第２のサービス転送モジュールのうちの１つから受信したデータを、前記第２の低パフォーマンス・スイッチングモジュールに送信するステップと、を含む、データ通信方法。
【請求項２３】
データ通信システムであって、当該データ通信システムの各シャーシにはプロセッサ及びメモリが含まれ、前記メモリはコンピュータプログラムを格納するように構成され、前記プロセッサは、前記メモリに格納されたコンピュータプログラムを呼び出して、請求項１３乃至２１のいずれか一項に記載の方法を実行する、データ通信システム。
【請求項２４】
データ通信システムであって、当該データ通信システムの各シャーシにはプロセッサ及びメモリが含まれ、前記メモリはコンピュータプログラムを格納するように構成され、前記プロセッサは、前記メモリに格納されたコンピュータプログラムを呼び出して、請求項２２に記載の方法を実行する、データ通信システム。
【請求項２５】
データ通信システムであって、当該データ通信システムは、請求項１３乃至２１のいずれか一項に記載の方法を実行するように構成される少なくとも１つの処理要素又はチップを含む、データ通信システム。
【請求項２６】
データ通信システムであって、当該データ通信システムは、請求項２２に記載の方法を実行するように構成される少なくとも１つの処理要素又はチップを含む、データ通信システム。
【請求項２７】
プログラムであって、当該プログラムがプロセッサによって実行されると、請求項１３乃至２１のいずれか一項に記載の方法が実行される、プログラム。
【請求項２８】
プログラムであって、当該プログラムがプロセッサによって実行されると、請求項２２に記載の方法が実行される、プログラム。
【請求項２９】
コンピュータ可読記憶媒体であって、当該コンピュータ可読記憶媒体は、請求項２７又は２８に記載のプログラムを含む、コンピュータ可読記憶媒体。
【手続補正２】
【補正対象書類名】明細書
【補正対象項目名】００８７
【補正方法】変更
【補正の内容】
【００８７】
前述した説明から、図１０は、本願の一実施形態による、さらに別のデータ通信システムにおけるタイプＡサービスシャーシの構造の概略図１である。図１０に示されるように、各タイプＡサービスシャーシは、１つのＳと、ｍ−１個のＲとを含み、さらにｎ個のＸを含み、例えば、Ｓ、Ｒ１、Ｒ２、・・・、Ｒｍ−１、及びＸ１、Ｘ２、・・・、及びＸｎを含む。各Ｘは、シャーシ内相互接続インターフェイスを介してＳに接続される。各Ｘは、シャーシ内相互接続インターフェイスを介して各Ｒに接続される。Ｓは、シャーシ間相互接続インターフェイスを介して別のシャーシに接続される。各Ｒは、シャーシ間相互接続インターフェイスを介して別のシャーシに接続される。各Ｘは、サービスインターフェイスを介してデータ通信システムの外部にある別の装置に接続される。各シャーシ内の各Ｒは、シャーシの１／ｍのサービス帯域幅を搬送する。図１１は、本願の一実施形態による、さらに別のデータ通信システムにおけるタイプＡサービスシャーシの構造の概略図２である。図１０に示されるタイプＡサービスシャーシは、図１１に示される構造を得るために簡略化される。図１２は、本願の一実施形態による、さらに別のデータ通信システムにおけるタイプＢサービスシャーシの構造の概略図１である。図１２に示されるように、各タイプＢサービスシャーシは、ｍ個のＲを含み、ｔ個のＸをさらに含み、例えば、Ｒ１、Ｒ２、・・・、及びＲｍ、Ｘ１、Ｘ２、・・・、及びＸｔを含む。各Ｘは、シャーシ内相互接続インターフェイスを介して各Ｒに接続される。各Ｒは、シャーシ間相互接続インターフェイスを介して別のシャーシに接続される。各Ｘは、サービスインターフェイスを介してデータ通信システムの外部にある別の装置に接続される。各シャーシ内の各Ｒは、シャーシの１／ｍのサービス帯域幅を搬送する。図１３は、本願の一実施形態による、さらに別のデータ通信システムにおけるタイプＢサービスシャーシの構造の概略図２である。図１２に示されるタイプＢサービスシャーシは、図１３に示される構造を得るために簡略化される。ｎ、ｍ、及びｔは全て正の整数である。さらに、ｍはタイプＡサービスシャーシの総数も示す。タイプＡサービスシャーシの数量がｍの場合に、各タイプＡサービスシャーシ内のＲの数量はｍ−１であることが分かり得る。各タイプＢサービスシャーシ内のＲの数量はｍである。タイプＢサービスシャーシの合計数量は、タイプＡサービスシャーシの合計数量と同じでも異なっていてもよい。
【手続補正３】
【補正対象書類名】明細書
【補正対象項目名】０１０５
【補正方法】変更
【補正の内容】
【０１０５】
Ａ１内のＳは、シャーシ間相互接続インターフェイスを介して、Ｂ１内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＡ２であると判定した場合に、Ａ１内のＳは、シャーシ間相互接続インターフェイスを介してデータをＡ２内のＲ１に送信する、又は、Ａ１内のＳが、データの宛先がＡ３であると判定した場合に、Ａ１内のＳは、シャーシ間相互接続インターフェイスを介してデータをＡ３内のＲ１に送信する。Ａ１内のＳは、シャーシ間相互接続インターフェイスを介して、Ａ２内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＢ１であると判定した場合に、Ａ１内のＳは、シャーシ間相互接続インターフェイスを介してデータをＢ１内のＲ１に送信する、又は、Ａ１内のＳが、データの宛先がＡ３であると判定した場合に、Ａ１内のＳは、シャーシ間相互接続インターフェイスを介してデータをＡ３内のＲ１に送信する。Ａ１内のＳは、シャーシ間相互接続インターフェイスを介して、Ａ３内のＲ１によって送信されたデータを受信することもできる。次に、Ａ１内のＳは、データの宛先がＡ１であるか又は別のシャーシであるかを判定する。Ａ１内のＳが、データの宛先がＡ１であると判定した場合に、Ａ１内のＳは、シャーシ内相互接続インターフェイスを介してデータをＡ１内のＸに送信する。Ａ１内のＳが、データの宛先が別のシャーシであると判定した場合に、Ａ１内のＳは特定の宛先シャーシを識別し得、Ａ１内のＳは、シャーシ間相互接続インターフェイスを介してデータを宛先シャーシに送信する。例えば、Ａ１内のＳが、データの宛先がＢ１であると判定した場合に、Ａ１内のＳは、シャーシ間相互接続インターフェイスを介してデータをＢ１内のＲ１に送信する、又は、Ａ１内のＳが、データの宛先がＡ２であると判定した場合に、Ａ１内のＳは、シャーシ間相互接続インターフェイスを介してデータをＡ２内のＲ１に送信する。
【手続補正４】
【補正対象書類名】明細書
【補正対象項目名】０１１３
【補正方法】変更
【補正の内容】
【０１１３】
この場合に、データ通信システムは、それぞれＡ１、Ａ２、及びＡ３である３つのタイプＡサービスシャーシを既に有しており、データ通信システムは、タイプＢサービスシャーシＢ３も有する。次に、データ通信システムに追加されるシャーシは、タイプＢサービスシャーシＢ１である。
【手続補正５】
【補正対象書類名】明細書
【補正対象項目名】０１２２
【補正方法】変更
【補正の内容】
【０１２２】
図２１に示される実施形態では、表２及び表３から、クラスタシステムがタイプＡサービスシャーシのみを含む場合でも、又はタイプＡサービスシャーシとタイプＢサービスシャーシとの両方を含む場合でも、クラスタシステムの各クロスコネクトプレーンのコアモジュールは、タイプＡサービスシャーシ内のＳであると分かり得る。Ｓは、全てのサービスシャーシのシャーシ間データ交換タスクをクロスコネクトプレーン上で実行する。従って、Ｓのエンジニアリング実装能力は、クラスタシステムの構築スケールに直接影響を与える。表４に、ｍ個のタイプＡサービスシャーシ及びｖ個のタイプＢサービスシャーシのコンポーネントを含む、クラスタシステムのＳ及びＲのパフォーマンス要件を列挙する。表４に示されるように、単一シャーシはシャーシを指し、単一シャーシのサービスパフォーマンスは、サービス転送モジュールのパフォーマンスにサービス転送モジュールの数を掛けて得られた値を示す。
【表４】
2021517782.tif 000052
【手続補正６】
【補正対象書類名】明細書
【補正対象項目名】０１３１
【補正方法】変更
【補正の内容】
【０１３１】
図２７は、本願の一実施形態による、別のデータ通信システムにおける第２のシャーシの構造の概略図１である。図２７に示されるように、第２のシャーシＤ１は、第１の低パフォーマンス・スイッチングモジュールＲを含む。オプションで、第２のシャーシＤ１は、ｔ個のサービス転送モジュールＸをさらに含み、例えば、Ｘ１、Ｘ２、・・・、及びＸｔを含み、ここで、ｔは１以上の正の整数である。図２７に示されるように、Ｄ１内の各Ｘは、Ｄ１内のＲに接続される。図２８は、本願の一実施形態による、別のデータ通信システムにおける第２のシャーシの構造の概略図２である。図２８に示されるように、図２７に示されるＤ１は、図２８に示される構造を得るために、簡略化され得る。
【手続補正７】
【補正対象書類名】明細書
【補正対象項目名】０１４０
【補正方法】変更
【補正の内容】
【０１４０】
容量拡張が続くときに、残りは類推によって推定され得る。図３３は、本願の一実施形態による、別のデータ通信システムにおけるマルチシャーシ・クラスタシステムの構造の概略図である。第ｖのタイプＤサービスシャーシが追加される場合に、Ｄｖ内のＲが新しいケーブルを介してＣ１内のＳに接続され、ここで、ｖは１以上の正の整数である。新しいタイプＤサービスシャーシが継続的に追加されるときに、追加されるタイプＤサービスシャーシは、新しいケーブルを介してＣ１に接続されることが分かり得る。既存のケーブルは調整されない。従って、１つのタイプＤサービスシャーシを追加しても、展開されたサービスシャーシ及びシャーシ間接続に影響は与えず、容量拡張は、展開されたタイプＣサービスシャーシと展開されたタイプＤサービスシャーシの両方のサービスに影響を与えず、又は、タイプＣサービスシャーシと展開されたタイプＤサービスシャーシとの間のシャーシ間接続に影響を与えない。これにより、スムーズな容量拡張が実現される。
【手続補正８】
【補正対象書類名】明細書
【補正対象項目名】０１９６
【補正方法】変更
【補正の内容】
【０１９６】
オプションで、第２のシャーシは、バス２７０３ｂをさらに含み得る。プロセッサ２７０１ｂ及びメモリ２７０２ｂは、バス２７０３ｂを介して互いに接続され得る。バス２７０３ｂは、ＰＣＩバス、ＥＩＳＡバス等であり得る。バス２７０３ｂは、アドレスバス、データバス、制御バス等に分類され得る。表現を容易にするために、図３７でバスを表すために１本の太い線のみが使用されているが、これは、バスが１つしかない、又はバスの種類が１つしかないという意味ではない。
【手続補正９】
【補正対象書類名】明細書
【補正対象項目名】０１９８
【補正方法】変更
【補正の内容】
【０１９８】
前述したモジュールのいくつか又は全ては、代替的に、ＳＭＦエンティティのチップに埋め込まれる集積回路の形態で実装され得る。さらに、モジュールは、個別に実装することも、一緒に統合することもできる。換言すると、モジュールは、前述した方法を実施するための１つ又は複数の集積回路、例えば、１つ又は複数の特定用途向け集積回路（Application  Specific  Integrated  Circuit,  ASIC）、１つ又は複数のマイクロプロセッサ（digital  signal  processor,  DSP等）、又は１つ又は複数のフィールドプログラマブルゲートアレイ（Field  Programmable  Gate  Array,  FPGA）として構成され得る。
【手続補正１０】
【補正対象書類名】明細書
【補正対象項目名】０２０８
【補正方法】変更
【補正の内容】
【０２０８】
オプションで、タイプＤサービスシャーシにはバス２８０３ｂが含まれ得る。プロセッサ２８０１ｂ及びメモリ２８０２ｂは、バス２８０３ｂを介して互いに接続され得る。バス２８０３ｂは、ＰＣＩバス、ＥＩＳＡバス等であり得る。バス２８０３ｂは、アドレスバス、データバス、制御バス等に分類され得る。表現を容易にするために、図３８でバスを表すために１本の太い線のみが使用されているが、これは、バスが１つしかない、又はバスの種類が１つしかないという意味ではない。
【国際調査報告】
2021517782.tif 000053
2021517782.tif 000054
2021517782.tif 000055
2021517782.tif 000056